(57)【要約】【課題】本発明は、ネットワーク上の詳細情報を手軽に入手するのに好適なデータ出力制御装置および携帯端末を提供することを目的とする。【解決手段】データ出力制御端末３００は、利用者が所持する携帯端末１００と、各地に点在して設置された印刷装置ＰＲ1〜ＰＲnと、ＷＷＷサーバＤＳ1〜ＤＳmとにインターネット４００を介して通信可能に接続し、データ印刷要求を携帯端末１００から受け、そのデータ印刷要求に係るデータをＷＷＷサーバＤＳから取得し、いずれかの印刷装置ＰＲを選択し、取得したデータをその選択した印刷装置ＰＲに出力する。携帯端末１００は、ＷＷＷサーバＤＳからデータを取得し、取得したデータをＬＣＤ４４に表示するとともにデータ印刷要求項目をその表示用データの末尾に付してＬＣＤ４４に表示し、表示したデータ印刷要求項目が選択されたときは、データ印刷要求をデータ出力制御端末３００に発する。【選択図】図１
2007026466.tif 000002
【特許請求の範囲】
【請求項１】
利用者が所持しデータの出力要求を発する携帯可能な携帯端末と、各地に点在して設置されデータを出力する複数の出力端末と、データを蓄積するデータ蓄積端末とにネットワークを介して通信可能に接続し、前記データ出力要求に係るデータを前記データ蓄積端末から取得する取得手段と、前記複数の出力端末のなかからいずれかを選択する選択手段と、前記取得手段で取得したデータを前記選択手段で選択した出力端末に出力する出力手段とを備えるデータ出力制御装置を利用する当該携帯端末であって、
前記データ蓄積端末からデータを取得する端末側取得手段と、前記端末側取得手段で取得したデータを表示する表示手段と、前記表示手段で表示したデータの出力要求を入力するための入力手段と、前記入力手段で入力したデータ出力要求を前記データ出力制御装置に発するデータ出力要求発信手段とを備えることを特徴とする携帯端末。
【請求項２】
請求項１において、
前記入力手段への入力を促すための入力項目を前記端末側取得手段で取得したデータに付して前記表示手段に表示し、
前記データ出力要求発信手段は、前記入力手段による入力として前記入力項目が選択されたときは、前記表示手段で表示したデータの出力要求を前記データ出力制御装置に発するようになっていることを特徴とする携帯端末。
【請求項３】
請求項１において、
前記入力手段への入力を促すための入力項目を前記端末側取得手段で取得したデータとは別のメニュー項目として前記表示手段に表示し、
前記データ出力要求発信手段は、前記入力手段による入力として前記入力項目が選択されたときは、前記表示手段で表示したデータの出力要求を前記データ出力制御装置に発するようになっていることを特徴とする携帯端末。
【請求項４】
請求項１において、
データ出力要求を入力するための入力ボタンを前記入力手段として設けたことを特徴とする携帯端末。
【請求項５】
利用者が所持しデータの出力要求を発する携帯可能な携帯端末と、各地に点在して設置されデータを出力する複数の出力端末とにネットワークを介して通信可能に接続し、前記複数の出力端末のなかからいずれかを選択する選択手段と、前記データ出力要求に係るデータを前記選択手段で選択した出力端末に出力する出力手段とを備えるデータ出力制御装置を利用する当該携帯端末であって、
異なる通信方式により前記データ出力制御装置と通信を行う複数の通信手段と、前記複数の通信手段のうち前記データ出力制御装置と現在通信可能な通信手段を選択する通信路選択手段と、前記通信路選択手段で選択した通信手段により前記データ出力要求を前記データ出力制御装置に発するデータ出力要求発信手段とを備えることを特徴とする携帯端末。
【請求項６】
請求項５において、
前記通信路選択手段及び前記データ出力要求発信手段は、前記複数の通信手段のうちいずれかの通信手段により前記データ出力要求を前記データ出力制御装置に発し、前記データ出力制御装置との通信に失敗したときは、前記複数の通信手段のうち他の通信手段により前記データ出力要求を前記データ出力制御装置に発するようになっていることを特徴とする携帯端末。
【請求項７】
請求項５及び６のいずれかにおいて、
長距離無線ＬＡＮ（Local-Area Network）及び短距離無線ＬＡＮの少なくとも一方を前記通信手段として有することを特徴とする携帯端末。
【請求項８】
利用者が所持しデータの出力要求を発する携帯可能な携帯端末と、各地に点在して設置されデータを出力する複数の出力端末と、データを蓄積する複数のデータ蓄積端末とにネットワークを介して通信可能に接続し、前記データ出力要求に含まれる前記データ蓄積端末でのデータの格納位置を特定するための出力対象格納位置データにより特定されるデータ蓄積端末から当該データ出力要求に係るデータを取得する取得手段と、前記複数の出力端末のなかからいずれかを選択する選択手段と、前記取得手段で取得したデータを前記選択手段で選択した出力端末に出力する出力手段とを備えるデータ出力制御装置を利用する当該携帯端末であって、
前記データ蓄積端末からデータを取得する端末側取得手段と、前記端末側取得手段で取得したデータを表示する表示手段と、前記端末側取得手段で取得したデータの前記データ蓄積端末での格納位置を特定するための出力対象格納位置データのみを含むデータ出力要求を前記データ出力制御装置に発するデータ出力要求発信手段とを備えることを特徴とする携帯端末。
【請求項９】
利用者が所持しデータの印刷要求を発する携帯可能な携帯端末と、各地に点在して設置されデータを印刷する複数の出力端末とにネットワークを介して通信可能に接続し、前記複数の出力端末のなかからいずれかを選択する選択手段と、前記データ印刷要求に係るデータが前記選択手段で選択した出力端末で印刷されたときのイメージ画像である前記携帯端末で表示可能なイメージ画像データを生成する画像データ生成手段と、前記データ印刷要求に係るデータを前記選択手段で選択した出力端末に出力する出力手段とを備え、前記出力手段は、前記画像データ生成手段で生成したイメージ画像データを前記携帯端末に出力し、前記イメージ画像データの出力に対する応答として前記携帯端末からデータ印刷実行要求を受けたときは、前記データ印刷要求に係るデータを前記選択手段で選択した出力端末に出力するようになっているデータ出力制御装置を利用する当該携帯端末であって、
前記データ印刷要求を前記データ出力制御装置に発するデータ印刷要求発信手段と、前記データ出力制御装置からのイメージ画像データを表示する表示手段と、前記表示手段に表示されたイメージ画像データが複数のデータから構成されるときはそれらのうち印刷を希望する部分の指定を入力するための入力手段と、前記データ印刷実行要求を前記データ出力制御装置に発するデータ印刷実行要求発信手段とを備え、
前記データ印刷実行要求発信手段は、前記入力手段による入力があったときは、前記入力手段で入力した指定部分を印刷する要求を含むデータ印刷実行要求を前記データ出力制御装置に発するようになっていることを特徴とする携帯端末。
【請求項１０】
利用者が所持しデータの出力要求を発する携帯可能な携帯端末と、前記携帯端末からのデータ出力要求を受けてそのデータ出力要求に係るデータの出力制御を行うデータ出力制御装置とを含んで構成されるシステムであって、
前記データ出力制御装置は、前記携帯端末と、各地に点在して設置されデータを出力する複数の出力端末と、データを蓄積するデータ蓄積端末とにネットワークを介して通信可能に接続し、
前記データ出力要求に係るデータを前記データ蓄積端末から取得する取得手段と、前記複数の出力端末のなかからいずれかを選択する選択手段と、前記取得手段で取得したデータを前記選択手段で選択した出力端末に出力する出力手段とを備え、
前記携帯端末は、前記データ蓄積端末からデータを取得する端末側取得手段と、前記端末側取得手段で取得したデータを表示する表示手段と、前記表示手段で表示したデータの出力要求を入力するための入力手段と、前記入力手段で入力したデータ出力要求を前記データ出力制御装置に発するデータ出力要求発信手段とを備えることを特徴とするデータ出力制御システム。
【請求項１１】
請求項１０において、
前記携帯端末は、前記入力手段への入力を促すための入力項目を前記端末側取得手段で取得したデータに付して前記表示手段に表示し、
前記データ出力要求発信手段は、前記入力手段による入力として前記入力項目が選択されたときは、前記表示手段で表示したデータの出力要求を前記データ出力制御装置に発するようになっていることを特徴とするデータ出力制御システム。
【請求項１２】
請求項１０において、
前記携帯端末は、前記入力手段への入力を促すための入力項目を前記端末側取得手段で取得したデータとは別のメニュー項目として前記表示手段に表示し、
前記データ出力要求発信手段は、前記入力手段による入力として前記入力項目が選択されたときは、前記表示手段で表示したデータの出力要求を前記データ出力制御装置に発するようになっていることを特徴とするデータ出力制御システム。
【請求項１３】
請求項１０において、
前記携帯端末は、データ出力要求を入力するための入力ボタンを前記入力手段として設けたことを特徴とするデータ出力制御システム。
【請求項１４】
利用者が所持しデータの出力要求を発する携帯可能な携帯端末と、前記携帯端末からのデータ出力要求を受けてそのデータ出力要求に係るデータの出力制御を行うデータ出力制御装置とを含んで構成されるシステムであって、
前記データ出力制御装置は、前記携帯端末と、各地に点在して設置されデータを出力する複数の出力端末とにネットワークを介して通信可能に接続し、
前記複数の出力端末のなかからいずれかを選択する選択手段と、前記データ出力要求に係るデータを前記選択手段で選択した出力端末に出力する出力手段とを備え、
前記携帯端末は、異なる通信方式により前記データ出力制御装置と通信を行う複数の通信手段と、前記複数の通信手段のうち前記データ出力制御装置と現在通信可能な通信手段を選択する通信路選択手段と、前記通信路選択手段で選択した通信手段により前記データ出力要求を前記データ出力制御装置に発するデータ出力要求発信手段とを備えることを特徴とするデータ出力制御システム。
【請求項１５】
請求項１４において、
前記通信路選択手段及び前記データ出力要求発信手段は、前記複数の通信手段のうちいずれかの通信手段により前記データ出力要求を前記データ出力制御装置に発し、前記データ出力制御装置との通信に失敗したときは、前記複数の通信手段のうち他の通信手段により前記データ出力要求を前記データ出力制御装置に発するようになっていることを特徴とするデータ出力制御システム。
【請求項１６】
請求項１４及び１５のいずれかにおいて、
前記携帯端末は、長距離無線ＬＡＮ（Local-Area Network）及び短距離無線ＬＡＮの少なくとも一方を前記通信手段として有することを特徴とするデータ出力制御システム。
【請求項１７】
利用者が所持しデータの出力要求を発する携帯可能な携帯端末と、前記携帯端末からのデータ出力要求を受けてそのデータ出力要求に係るデータの出力制御を行うデータ出力制御装置とを含んで構成されるシステムであって、
前記データ出力制御装置は、前記携帯端末と、各地に点在して設置されデータを出力する複数の出力端末と、データを蓄積する複数のデータ蓄積端末とにネットワークを介して通信可能に接続し、
前記データ出力要求に含まれる前記データ蓄積端末でのデータの格納位置を特定するための出力対象格納位置データにより特定されるデータ蓄積端末から当該データ出力要求に係るデータを取得する取得手段と、前記複数の出力端末のなかからいずれかを選択する選択手段と、前記取得手段で取得したデータを前記選択手段で選択した出力端末に出力する出力手段とを備え、
前記携帯端末は、前記データ蓄積端末からデータを取得する端末側取得手段と、前記端末側取得手段で取得したデータを表示する表示手段と、前記端末側取得手段で取得したデータの前記データ蓄積端末での格納位置を特定するための出力対象格納位置データのみを含むデータ出力要求を前記データ出力制御装置に発するデータ出力要求発信手段とを備えることを特徴とするデータ出力制御システム。
【請求項１８】
利用者が所持しデータの出力要求を発する携帯可能な携帯端末と、前記携帯端末からのデータ出力要求を受けてそのデータ出力要求に係るデータの出力制御を行うデータ出力制御装置とを含んで構成されるシステムであって、
前記データ出力制御装置は、前記携帯端末と、各地に点在して設置されデータを印刷する複数の出力端末とにネットワークを介して通信可能に接続し、
前記複数の出力端末のなかからいずれかを選択する選択手段と、前記データ印刷要求に係るデータが前記選択手段で選択した出力端末で印刷されたときのイメージ画像である前記携帯端末で表示可能なイメージ画像データを生成する画像データ生成手段と、前記データ印刷要求に係るデータを前記選択手段で選択した出力端末に出力する出力手段とを備え、
前記出力手段は、前記画像データ生成手段で生成したイメージ画像データを前記携帯端末に出力し、前記イメージ画像データの出力に対する応答として前記携帯端末からデータ印刷実行要求を受けたときは、前記データ印刷要求に係るデータを前記選択手段で選択した出力端末に出力するようになっており、
前記携帯端末は、前記データ印刷要求を前記データ出力制御装置に発するデータ印刷要求発信手段と、前記データ出力制御装置からのイメージ画像データを表示する表示手段と、前記表示手段に表示されたイメージ画像データが複数のデータから構成されるときはそれらのうち印刷を希望する部分の指定を入力するための入力手段と、前記データ印刷実行要求を前記データ出力制御装置に発するデータ印刷実行要求発信手段とを備え、
前記データ印刷実行要求発信手段は、前記入力手段による入力があったときは、前記入力手段で入力した指定部分を印刷する要求を含むデータ印刷実行要求を前記データ出力制御装置に発するようになっていることを特徴とするデータ出力制御システム。
【発明の詳細な説明】
【技術分野】
【０００１】
本発明は、利用者が所持する携帯端末と、各地に点在して設置された複数の印刷装置とにネットワークを介して通信可能に接続し、携帯端末からのデータ印刷要求を受け、そのデータ印刷要求に係るデータをいずれかの印刷装置に出力するシステムおよび端末に係り、特に、ネットワーク上の詳細情報を手軽に入手するのに好適な携帯端末およびデータ出力制御システムに関する。
【背景技術】
【０００２】
近年、インターネットの情報は、例えば、ＮＴＴ移動通信網株式会社（ＮＴＴ  ＤｏＣｏＭｏ）が提供するｉモード（登録商標）を利用することにより、どこでも手軽に入手することができる。
【発明の開示】
【発明が解決しようとする課題】
【０００３】
しかしながら、こうした携帯端末は、インターネットの情報をどこでも手軽に入手することができる反面、携帯端末の小型化や省力化を図る等の理由から表示手段が簡易な構成となっているため、表示される情報は、通常のパソコンで表示するものに比してかなり簡素化されたものであり、利用者が十分に満足できる情報提供を実現しているとは言い難かった。
【０００４】
したがって、携帯端末の小型化や省力化を維持しつつ、詳細な情報を入手するためには、携帯端末と印刷装置とを組み合わせて、大まかな情報は携帯端末で表示し、詳細な情報は印刷装置で印刷するという形態を提案することができる。しかし、このように携帯端末と印刷装置とを組み合わせた形態では、技術的に解決しなければならないいくつかの問題がある。
【０００５】
例えば、印刷装置は大型であるため携帯端末に付随して持ち運ぶのが困難であることから、詳細情報を印刷するには、通常、家庭やオフィスに設置された印刷装置を利用することが考えられる。しかし、固定された特定の印刷装置を利用するのでは、情報をどこでも手軽に入手できるとは言い難く、これを実現するためには、印刷装置を携帯可能な程度まで小型化するか、あるいは任意の印刷装置を利用できるようにする必要がある。前者の場合は、現段階では技術的に達成するのがきわめて困難であり、現実的ではない。後者の場合は、印刷装置ごとに固有のドライバが必要であることから、利用しようとするすべての印刷装置のドライバを携帯端末に組み込まなければならず、やはり現実的ではない。
【０００６】
そこで、本発明は、このような従来の技術の有する未解決の課題に着目してなされたものであって、ネットワーク上の詳細情報を手軽に入手するのに好適な携帯端末およびデータ出力制御システムを提供することを目的としている。
【課題を解決するための手段】
【０００７】
上記目的を達成するために、本発明に係る請求項１および９記載の携帯端末並びに請求項１０および１８記載のデータ出力制御システムを提案することができる。以下、本発明に係る請求項１および９記載の携帯端末並びに請求項１０および１８記載のデータ出力制御システムの構成を図１を参照しながら説明する。図１は、本発明に係る請求項１および９記載の携帯端末並びに請求項１０および１８記載のデータ出力制御システムの構成を示す概念図である。
【０００８】
本発明に係る請求項１記載の携帯端末２０は、図１に示すように、利用者が所持しデータの出力要求を発する携帯可能な携帯端末２０と、各地に点在して設置されデータを出力する複数の出力端末１５と、データを蓄積するデータ蓄積端末１６とにネットワークを介して通信可能に接続し、前記データ出力要求に係るデータを前記データ蓄積端末１６から取得する取得手段１１と、前記複数の出力端末１５のなかからいずれかを選択する選択手段１２と、前記取得手段１１で取得したデータを前記選択手段１２で選択した出力端末１５に出力する出力手段１３とを備えるデータ出力制御装置１０を利用する当該携帯端末であって、前記データ蓄積端末１６からデータを取得する端末側取得手段２１と、前記端末側取得手段２１で取得したデータを表示する表示手段２２と、前記表示手段２２で表示したデータの出力要求を入力するための入力手段２３と、前記入力手段２３で入力したデータ出力要求を前記データ出力制御装置１０に発するデータ出力要求発信手段２４とを備える。
【０００９】
このような構成であれば、携帯端末２０では、端末側取得手段２１により、データ蓄積端末１６からデータが取得され、表示手段２２により、取得されたデータが表示される。そして、表示されたデータの出力要求が入力手段２３から入力されると、データ出力要求発信手段２４により、入力されたデータ出力要求がデータ出力制御装置１０に発せられる。
【００１０】
データ出力制御装置１０では、携帯端末２０からデータ出力要求を受けると、取得手段１１により、そのデータ出力要求に係るデータがデータ蓄積端末１６から取得され、選択手段１２により、複数の出力端末１５のうちいずれかが選択され、出力手段１３により、取得されたデータが、選択された出力端末１５に出力される。そして、出力端末１５により、そのデータが出力される。
【００１１】
ここで、選択手段１２は、複数の出力端末１５のなかかからいずれかを選択するようになっていればどのような構成であってもよいが、具体的には、携帯端末２０の利用者が出力データの提供を受けるのに最適であると思われる出力端末１５を選択するようになっている。この場合、携帯端末２０の利用者が出力データの提供を受けるのに最適であると思われる出力端末１５としては、例えば、携帯端末２０の位置を基準として距離的または時間的に最も近くにあると思われる出力端末１５、携帯端末２０の利用者の目的地を基準として距離的または時間的に最も近くにあると思われる出力端末１５、出力端末１５のデータ出力速度を考慮して利用者が時間的に最も早く出力データの提供を受けることができると思われる出力端末１５、または出力データの提供に対する対価が最も安い出力端末１５が挙げられる。以下、請求項５、８若しくは９記載の携帯端末２０または請求項１０、１４、１７若しくは１８記載のデータ出力制御システムにおいて同じである。
【００１２】
また、出力端末１５は、データを出力するようになっていればどのような構成であってもよく、これには、例えば、データを表示する表示手段、データを音声等として出力する音出力手段、またはデータを印刷する印刷手段を備えたものが含まれる。以下、請求項５若しくは８記載の携帯端末２０または請求項１０、１４若しくは１７記載のデータ出力制御システムにおいて同じである。
【００１３】
さらに、本発明に係る請求項２記載の携帯端末２０は、図１に示すように、請求項１記載の携帯端末２０において、前記入力手段２３への入力を促すための入力項目を前記端末側取得手段２１で取得したデータに付して前記表示手段２２に表示し、前記データ出力要求発信手段２４は、前記入力手段２３による入力として前記入力項目が選択されたときは、前記表示手段２２で表示したデータの出力要求を前記データ出力制御装置１０に発するようになっている。
【００１４】
このような構成であれば、携帯端末２０では、表示手段２２により、取得されたデータが表示されるとともに、入力手段２３への入力を促すための入力項目が、取得されたデータに付されて表示される。そして、入力項目が選択されると、データ出力要求発信手段２４により、表示されたデータの出力要求がデータ出力制御装置１０に発せられる。
【００１５】
さらに、本発明に係る請求項３記載の携帯端末２０は、図１に示すように、請求項１記載の携帯端末２０において、前記入力手段２３への入力を促すための入力項目を前記端末側取得手段２１で取得したデータとは別のメニュー項目として前記表示手段２２に表示し、前記データ出力要求発信手段２４は、前記入力手段２３による入力として前記入力項目が選択されたときは、前記表示手段２２で表示したデータの出力要求を前記データ出力制御装置１０に発するようになっている。
【００１６】
このような構成であれば、携帯端末２０では、表示手段２２により、取得されたデータが表示され、入力手段２３への入力を促すための入力項目がメニュー項目として表示される。そして、入力項目が選択されると、データ出力要求発信手段２４により、表示されたデータの出力要求がデータ出力制御装置１０に発せられる。
【００１７】
さらに、本発明に係る請求項４記載の携帯端末２０は、図１に示すように、請求項１記載の携帯端末２０において、データ出力要求を入力するための入力ボタンを前記入力手段２３として設けた。
【００１８】
このような構成であれば、携帯端末２０では、入力ボタンが押下されると、表示されたデータの出力要求がデータ出力制御装置１０に発せられる。
【００１９】
さらに、本発明に係る請求項５記載の携帯端末２０は、図１に示すように、利用者が所持しデータの出力要求を発する携帯可能な携帯端末２０と、各地に点在して設置されデータを出力する複数の出力端末１５とにネットワークを介して通信可能に接続し、前記複数の出力端末１５のなかからいずれかを選択する選択手段１２と、前記データ出力要求に係るデータを前記選択手段１２で選択した出力端末１５に出力する出力手段１３とを備えるデータ出力制御装置１０を利用する当該携帯端末であって、異なる通信方式により前記データ出力制御装置１０と通信を行う複数の通信手段２５と、前記複数の通信手段２５のうち前記データ出力制御装置１０と現在通信可能な通信手段２５を選択する通信路選択手段２６と、前記通信路選択手段２６で選択した通信手段２５により前記データ出力要求を前記データ出力制御装置１０に発するデータ出力要求発信手段２４とを備える。
【００２０】
このような構成であれば、携帯端末２０では、通信路選択手段２６により、複数の通信手段２５のうちデータ出力制御装置１０と現在通信可能な通信手段２５が選択され、データ出力要求発信手段２４によって、選択された通信手段２５によりデータ出力要求がデータ出力制御装置１０に発せられる。
【００２１】
データ出力制御装置１０では、携帯端末２０からデータ出力要求を受けると、選択手段１２により、複数の出力端末１５のうちいずれかが選択され、出力手段１３により、データ出力要求に係るデータが、選択された出力端末１５に出力される。そして、出力端末１５により、そのデータが出力される。
【００２２】
ここで、データ出力要求に係るデータは、例えば、携帯端末２０から受信することにより得るようにしてもよいし、当該装置１０および携帯端末２０以外のところから取得することにより得るようにしてもよい。後者の場合、より具体的には、次のような構成が挙げられる。すなわち、前記データ出力制御装置１０は、さらに、データを蓄積するデータ蓄積端末１６にネットワークを介して通信可能に接続し、前記データ出力要求に係るデータを前記データ蓄積端末１６から取得する取得手段１１を備え、前記出力手段１３は、前記取得手段１１で取得したデータを前記選択手段１２で選択した出力端末１５に出力するようになっている。以下、請求項１４記載のデータ出力制御システムにおいて同じである。
【００２３】
このような構成であれば、データ出力制御装置１０では、携帯端末２０からデータ出力要求を受けると、取得手段１１により、データ出力要求に係るデータがデータ蓄積端末１６から取得され、出力手段１３により、取得されたデータが選択手段１２で選択された出力端末１５に出力される。
【００２４】
さらに、本発明に係る請求項６記載の携帯端末２０は、図１に示すように、請求項５記載の携帯端末２０において、前記通信路選択手段２６および前記データ出力要求発信手段２４は、前記複数の通信手段２５のうちいずれかの通信手段２５により前記データ出力要求を前記データ出力制御装置１０に発し、前記データ出力制御装置１０との通信に失敗したときは、前記複数の通信手段２５のうち他の通信手段２５により前記データ出力要求を前記データ出力制御装置１０に発するようになっている。
【００２５】
このような構成であれば、携帯端末２０では、通信路選択手段２６およびデータ出力要求発信手段２４によって、複数の通信手段２５のうちいずれかの通信手段２５によりデータ出力要求がデータ出力制御装置１０に発せられ、データ出力制御装置１０との通信に失敗したときは、複数の通信手段２５のうち他の通信手段２５によりデータ出力要求がデータ出力制御装置１０に発せられる。
【００２６】
さらに、本発明に係る請求項７記載の携帯端末２０は、図１に示すように、請求項５および６のいずれかに記載の携帯端末２０において、長距離無線ＬＡＮ（Local-Area Network）および短距離無線ＬＡＮの少なくとも一方を前記通信手段２５として有する。
【００２７】
このような構成であれば、携帯端末２０では、通信路選択手段２６により、長距離無線ＬＡＮまたは短距離無線ＬＡＮが通信手段２５として選択されると、データ出力要求発信手段２４によって、長距離無線ＬＡＮまたは短距離無線ＬＡＮによりデータ出力要求がデータ出力制御装置１０に発せられる。
【００２８】
さらに、本発明に係る請求項８記載の携帯端末２０は、図１に示すように、利用者が所持しデータの出力要求を発する携帯可能な携帯端末２０と、各地に点在して設置されデータを出力する複数の出力端末１５と、データを蓄積する複数のデータ蓄積端末１６とにネットワークを介して通信可能に接続し、前記データ出力要求に含まれる前記データ蓄積端末１６でのデータの格納位置を特定するための出力対象格納位置データにより特定されるデータ蓄積端末１６から当該データ出力要求に係るデータを取得する取得手段１１と、前記複数の出力端末１５のなかからいずれかを選択する選択手段１２と、前記取得手段１１で取得したデータを前記選択手段１２で選択した出力端末１５に出力する出力手段１３とを備えるデータ出力制御装置１０を利用する当該携帯端末であって、前記データ蓄積端末１６からデータを取得する端末側取得手段２１と、前記端末側取得手段２１で取得したデータを表示する表示手段２２と、前記端末側取得手段２１で取得したデータの前記データ蓄積端末１６での格納位置を特定するための出力対象格納位置データのみを含むデータ出力要求を前記データ出力制御装置１０に発するデータ出力要求発信手段２４とを備える。
【００２９】
このような構成であれば、携帯端末２０では、端末側取得手段２１により、データ蓄積端末１６からデータが取得され、表示手段２２により、取得されたデータが表示される。そして、データ出力発信手段により、出力対象格納位置データのみを含むデータ出力要求がデータ出力制御装置１０に発せられる。
【００３０】
データ出力制御装置１０では、携帯端末２０からデータ出力要求を受けると、取得手段１１により、そのデータ出力要求に含まれる出力対象格納位置データにより特定されるデータ蓄積端末１６からそのデータ出力要求に係るデータが取得され、選択手段１２により、複数の出力端末１５のうちいずれかが選択され、出力手段１３により、取得されたデータが、選択された出力端末１５に出力される。そして、出力端末１５により、そのデータが出力される。
【００３１】
さらに、本発明に係る請求項９記載の携帯端末２０は、図１に示すように、利用者が所持しデータの印刷要求を発する携帯可能な携帯端末２０と、各地に点在して設置されデータを印刷する複数の出力端末１５とにネットワークを介して通信可能に接続し、前記複数の出力端末１５のなかからいずれかを選択する選択手段１２と、前記データ印刷要求に係るデータが前記選択手段１２で選択した出力端末１５で印刷されたときのイメージ画像である前記携帯端末２０で表示可能なイメージ画像データを生成する画像データ生成手段１４と、前記データ印刷要求に係るデータを前記選択手段１２で選択した出力端末１５に出力する出力手段１３とを備え、前記出力手段１３は、前記画像データ生成手段１４で生成したイメージ画像データを前記携帯端末２０に出力し、前記イメージ画像データの出力に対する応答として前記携帯端末２０からデータ印刷実行要求を受けたときは、前記データ印刷要求に係るデータを前記選択手段１２で選択した出力端末１５に出力するようになっているデータ出力制御装置１０を利用する当該携帯端末であって、前記データ印刷要求を前記データ出力制御装置１０に発するデータ印刷要求発信手段２４と、前記データ出力制御装置１０からのイメージ画像データを表示する表示手段２２と、前記表示手段２２に表示されたイメージ画像データが複数のデータから構成されるときはそれらのうち印刷を希望する部分の指定を入力するための入力手段２７と、前記データ印刷実行要求を前記データ出力制御装置１０に発するデータ印刷実行要求発信手段２８とを備え、前記データ印刷実行要求発信手段２８は、前記入力手段２７による入力があったときは、前記入力手段２７で入力した指定部分を印刷する要求を含むデータ印刷実行要求を前記データ出力制御装置１０に発するようになっている。
【００３２】
このような構成であれば、携帯端末２０では、データ印刷要求発信手段２４により、データ印刷要求がデータ出力制御装置１０に出力される。
【００３３】
データ出力制御装置１０では、携帯端末２０からデータ印刷要求を受けると、選択手段１２により、複数の出力端末１５のなかからいずれかが選択され、画像データ生成手段１４により、データ印刷要求に係るデータがその選択された出力端末１５で印刷されたときのイメージ画像であるイメージ画像データが生成され、出力手段１３により、生成されたイメージ画像データが携帯端末２０に出力される。
【００３４】
携帯端末２０では、データ出力制御装置１０からイメージ画像データを受けると、表示手段２２により、そのイメージ画像データが表示される。このとき、表示されたイメージ画像データが複数のデータから構成されるときは、それらのうち印刷を希望する部分の指定が入力手段２７から入力されると、データ印刷実行要求発信手段２８により、その指定部分を印刷する要求を含むデータ印刷実行要求がデータ出力制御装置１０に発せられる。
【００３５】
データ出力制御装置１０では、携帯端末２０からデータ印刷実行要求を受けると、出力手段１３により、そのデータ印刷要求に係るデータが選択手段１２で選択された出力端末１５に出力される。そして、出力端末１５により、そのデータが印刷される。
【００３６】
ここで、データ印刷要求に係るデータは、例えば、携帯端末２０から受信することにより得るようにしてもよいし、当該装置１０および携帯端末２０以外のところから取得することにより得るようにしてもよい。後者の場合、より具体的には、次のような構成が挙げられる。すなわち、前記データ出力制御装置１０は、さらに、データを蓄積するデータ蓄積端末１６にネットワークを介して通信可能に接続し、前記データ印刷要求に係るデータを前記データ蓄積端末１６から取得する取得手段１１を備え、前記出力手段１３は、前記取得手段１１で取得したデータを前記選択手段１２で選択した出力端末１５に出力するようになっている。以下、請求項１８記載のデータ出力制御システムにおいて同じである。
【００３７】
このような構成であれば、データ出力制御装置１０では、携帯端末２０からデータ印刷要求を受けると、取得手段１１により、データ印刷要求に係るデータがデータ蓄積端末１６から取得され、出力手段１３により、取得されたデータが選択手段１２で選択された出力端末１５に出力される。
【００３８】
一方、本発明に係る請求項１０記載のデータ出力制御システムは、図１に示すように、利用者が所持しデータの出力要求を発する携帯可能な携帯端末２０と、前記携帯端末２０からのデータ出力要求を受けてそのデータ出力要求に係るデータの出力制御を行うデータ出力制御装置１０とを含んで構成されるシステムであって、前記データ出力制御装置１０は、前記携帯端末２０と、各地に点在して設置されデータを出力する複数の出力端末１５と、データを蓄積するデータ蓄積端末１６とにネットワークを介して通信可能に接続し、前記データ出力要求に係るデータを前記データ蓄積端末１６から取得する取得手段１１と、前記複数の出力端末１５のなかからいずれかを選択する選択手段１２と、前記取得手段１１で取得したデータを前記選択手段１２で選択した出力端末１５に出力する出力手段１３とを備え、前記携帯端末２０は、前記データ蓄積端末１６からデータを取得する端末側取得手段２１と、前記端末側取得手段２１で取得したデータを表示する表示手段２２と、前記表示手段２２で表示したデータの出力要求を入力するための入力手段２３と、前記入力手段２３で入力したデータ出力要求を前記データ出力制御装置１０に発するデータ出力要求発信手段２４とを備える。
【００３９】
このような構成であれば、請求項１記載の携帯端末２０と同様の作用が得られる。
【００４０】
さらに、本発明に係る請求項１１記載のデータ出力制御システムは、図１に示すように、請求項１０記載のデータ出力制御システムにおいて、前記携帯端末２０は、前記入力手段２３への入力を促すための入力項目を前記端末側取得手段２１で取得したデータに付して前記表示手段２２に表示し、前記データ出力要求発信手段２４は、前記入力手段２３による入力として前記入力項目が選択されたときは、前記表示手段２２で表示したデータの出力要求を前記データ出力制御装置１０に発するようになっている。
【００４１】
このような構成であれば、請求項２記載の携帯端末２０と同様の作用が得られる。
【００４２】
さらに、本発明に係る請求項１２記載のデータ出力制御システムは、図１に示すように、請求項１０記載のデータ出力制御システムにおいて、前記携帯端末２０は、前記入力手段２３への入力を促すための入力項目を前記端末側取得手段２１で取得したデータとは別のメニュー項目として前記表示手段２２に表示し、前記データ出力要求発信手段２４は、前記入力手段２３による入力として前記入力項目が選択されたときは、前記表示手段２２で表示したデータの出力要求を前記データ出力制御装置１０に発するようになっている。
【００４３】
このような構成であれば、請求項３記載の携帯端末２０と同様の作用が得られる。
【００４４】
さらに、本発明に係る請求項１３記載のデータ出力制御システムは、図１に示すように、請求項１０記載のデータ出力制御システムにおいて、前記携帯端末２０は、データ出力要求を入力するための入力ボタンを前記入力手段２３として設けた。
【００４５】
このような構成であれば、請求項４記載の携帯端末２０と同様の作用が得られる。
【００４６】
さらに、本発明に係る請求項１４記載のデータ出力制御システムは、図１に示すように、利用者が所持しデータの出力要求を発する携帯可能な携帯端末２０と、前記携帯端末２０からのデータ出力要求を受けてそのデータ出力要求に係るデータの出力制御を行うデータ出力制御装置１０とを含んで構成されるシステムであって、前記データ出力制御装置１０は、前記携帯端末２０と、各地に点在して設置されデータを出力する複数の出力端末１５とにネットワークを介して通信可能に接続し、前記複数の出力端末１５のなかからいずれかを選択する選択手段１２と、前記データ出力要求に係るデータを前記選択手段１２で選択した出力端末１５に出力する出力手段１３とを備え、前記携帯端末２０は、異なる通信方式により前記データ出力制御装置１０と通信を行う複数の通信手段２５と、前記複数の通信手段２５のうち前記データ出力制御装置１０と現在通信可能な通信手段２５を選択する通信路選択手段２６と、前記通信路選択手段２６で選択した通信手段２５により前記データ出力要求を前記データ出力制御装置１０に発するデータ出力要求発信手段２４とを備える。
【００４７】
このような構成であれば、請求項５記載の携帯端末２０と同様の作用が得られる。
【００４８】
さらに、本発明に係る請求項１５記載のデータ出力制御システムは、図１に示すように、請求項１４記載のデータ出力制御システムにおいて、前記通信路選択手段２６および前記データ出力要求発信手段２４は、前記複数の通信手段２５のうちいずれかの通信手段２５により前記データ出力要求を前記データ出力制御装置１０に発し、前記データ出力制御装置１０との通信に失敗したときは、前記複数の通信手段２５のうち他の通信手段２５により前記データ出力要求を前記データ出力制御装置１０に発するようになっている。
【００４９】
このような構成であれば、請求項６記載の携帯端末２０と同様の作用が得られる。
【００５０】
さらに、本発明に係る請求項１６記載のデータ出力制御システムは、図１に示すように、請求項１４および１５のいずれかに記載のデータ出力制御システムにおいて、前記携帯端末２０は、長距離無線ＬＡＮ（Local-Area Network）および短距離無線ＬＡＮの少なくとも一方を前記通信手段２５として有する。
【００５１】
このような構成であれば、請求項７記載の携帯端末２０と同様の作用が得られる。
【００５２】
さらに、本発明に係る請求項１７記載のデータ出力制御システムは、図１に示すように、利用者が所持しデータの出力要求を発する携帯可能な携帯端末２０と、前記携帯端末２０からのデータ出力要求を受けてそのデータ出力要求に係るデータの出力制御を行うデータ出力制御装置１０とを含んで構成されるシステムであって、前記データ出力制御装置１０は、前記携帯端末２０と、各地に点在して設置されデータを出力する複数の出力端末１５と、データを蓄積する複数のデータ蓄積端末１６とにネットワークを介して通信可能に接続し、前記データ出力要求に含まれる前記データ蓄積端末１６でのデータの格納位置を特定するための出力対象格納位置データにより特定されるデータ蓄積端末１６から当該データ出力要求に係るデータを取得する取得手段１１と、前記複数の出力端末１５のなかからいずれかを選択する選択手段１２と、前記取得手段１１で取得したデータを前記選択手段１２で選択した出力端末１５に出力する出力手段１３とを備え、前記携帯端末２０は、前記データ蓄積端末１６からデータを取得する端末側取得手段２１と、前記端末側取得手段２１で取得したデータを表示する表示手段２２と、前記端末側取得手段２１で取得したデータの前記データ蓄積端末１６での格納位置を特定するための出力対象格納位置データのみを含むデータ出力要求を前記データ出力制御装置１０に発するデータ出力要求発信手段２４とを備える。
【００５３】
このような構成であれば、請求項８記載の携帯端末２０と同様の作用が得られる。
【００５４】
さらに、本発明に係る請求項１８記載のデータ出力制御システムは、図１に示すように、利用者が所持しデータの出力要求を発する携帯可能な携帯端末２０と、前記携帯端末２０からのデータ出力要求を受けてそのデータ出力要求に係るデータの出力制御を行うデータ出力制御装置１０とを含んで構成されるシステムであって、前記データ出力制御装置１０は、前記携帯端末２０と、各地に点在して設置されデータを印刷する複数の出力端末１５とにネットワークを介して通信可能に接続し、前記複数の出力端末１５のなかからいずれかを選択する選択手段１２と、前記データ印刷要求に係るデータが前記選択手段１２で選択した出力端末１５で印刷されたときのイメージ画像である前記携帯端末２０で表示可能なイメージ画像データを生成する画像データ生成手段１４と、前記データ印刷要求に係るデータを前記選択手段１２で選択した出力端末１５に出力する出力手段１３とを備え、前記出力手段１３は、前記画像データ生成手段１４で生成したイメージ画像データを前記携帯端末２０に出力し、前記イメージ画像データの出力に対する応答として前記携帯端末２０からデータ印刷実行要求を受けたときは、前記データ印刷要求に係るデータを前記選択手段１２で選択した出力端末１５に出力するようになっており、前記携帯端末２０は、前記データ印刷要求を前記データ出力制御装置１０に発するデータ印刷要求発信手段２４と、前記データ出力制御装置１０からのイメージ画像データを表示する表示手段２２と、前記表示手段２２に表示されたイメージ画像データが複数のデータから構成されるときはそれらのうち印刷を希望する部分の指定を入力するための入力手段２７と、前記データ印刷実行要求を前記データ出力制御装置１０に発するデータ印刷実行要求発信手段２８とを備え、前記データ印刷実行要求発信手段２８は、前記入力手段２７による入力があったときは、前記入力手段２７で入力した指定部分を印刷する要求を含むデータ印刷実行要求を前記データ出力制御装置１０に発するようになっている。
【００５５】
このような構成であれば、請求項９記載の携帯端末２０と同様の作用が得られる。
【発明を実施するための最良の形態】
【００５６】
以下、本発明の実施の形態を図面を参照しながら説明する。図２ないし図６は、本発明に係る携帯端末およびデータ出力制御システムの実施の形態を示す図である。
【００５７】
この実施の形態は、本発明に係る携帯端末およびデータ出力制御システムを、図２に示すように、利用者が所持する携帯電話等の携帯端末１００と、各地に点在する複数の店舗Ｓ1〜Ｓnにそれぞれ設置された印刷装置ＰＲ1〜ＰＲnとにインターネット４００を介して通信可能に接続するデータ出力制御端末３００により、サービス提供者が、利用者からのデータの印刷要求に応じて、そのデータ印刷要求に係るデータをＷＷＷ（World Wide Web）サーバＤＳ1〜ＤＳmのうちいずれかから取得して印刷装置ＰＲ1〜ＰＲnのうちいずれかに出力するというサービスを提供する場合について適用したものである。なお、発明の理解を容易にするため、携帯端末１００を１台しか図示していないが、実際には、異なる複数機種の携帯端末１００がインターネット４００に接続可能となっている。
【００５８】
まず、本発明に係る携帯端末およびデータ出力制御システムを適用するネットワークシステムの構成を図２を参照しながら説明する。図２は、本発明に係る携帯端末およびデータ出力制御システムを適用するネットワークシステムの構成を示すブロック図である。
【００５９】
インターネット４００には、図２に示すように、携帯端末１００とインターネット４００との通信を中継する中継局２１０と、データを印刷する印刷装置ＰＲ1〜ＰＲnと、データを蓄積するＷＷＷサーバＤＳ1〜ＤＳmと、データ印刷要求に係るデータをＷＷＷサーバＤＳ1〜ＤＳmのうちいずれかから取得して印刷装置ＰＲ1〜ＰＲnのうちいずれかに出力するデータ出力制御端末３００と、データ出力制御端末３００が取得したデータを印刷装置ＰＲ1〜ＰＲnで印刷可能なデータに変換するデータフォーマット変換用端末ＣＳ1〜ＣＳlとが接続されている。
【００６０】
中継局２１０には、携帯端末１００と無線通信を行う複数の基地局２００が接続されており、中継局２１０は、携帯端末１００がインターネット４００に接続するときは、携帯端末１００に代わってインターネット４００上での一端末となって、基地局２００を介して受信した携帯端末１００からのデータをインターネット４００を介して目的の端末に送信するとともに、インターネット４００上にある目的の端末のデータを基地局２００を介して携帯端末１００に送信するようになっている。なお、携帯端末１００は、少なくとも３つの基地局２００と同時に通信を行い、中継局２１０は、携帯端末１００からの電波がそれら基地局２００に到達するまでの時間のそれぞれの時間差を測定し、測定した時間差に基づいて携帯端末１００の位置を測定するようになっている。
【００６１】
ＷＷＷサーバＤＳ1〜ＤＳmは、携帯端末１００で表示するための表示用データと、表示用データに対応する印刷装置ＰＲ1〜ＰＲnで印刷するための印刷用データとを記憶する記憶部と、中継局２１０やデータ出力制御端末３００等のインターネット４００に接続される端末からのリクエストに応じてその端末に記憶部のデータを送信するリクエスト処理部とで構成されている。
【００６２】
リクエスト処理部は、図示しないＣＰＵが外部記憶装置等に格納されたプログラムを実行することにより実現される機能であって、外部端末（携帯端末１００，データ出力制御端末３００等）からのデータ送信リクエストがあったときは、記憶部の表示用データまたは印刷用データを送信するようになっている。表示用データまたは印刷用データのどちらを送信するかは、データ送信リクエストに含まれるＵＲＬにより判定する。なお、記憶部には、印刷用データとして、テキストデータ、静止画像データ、サウンドデータ、ＭＰＥＧ等の動画データ、ＶＲＭＬ等の３Ｄ画像データ、またはＪＡＶＡ（登録商標）等のプログラムデータ等の各種のファイルや、ＨＴＭＬ（Hyper Text Markup Language）ファイルが格納されている。
【００６３】
データフォーマット変換用端末ＣＳ1〜ＣＳlは、データ出力制御端末３００が取得したデータを印刷装置ＰＲ1〜ＰＲnで印刷可能なデータに変換するデータフォーマット変換処理を実行するための端末であって、インターネット４００の伝送負荷またはデータフォーマット変換用端末ＣＳの処理負荷に応じて、データフォーマット変換用端末ＣＳ1〜ＣＳlのうちいずれかまたは複数を選択し、選択したデータフォーマット変換用端末ＣＳでデータフォーマット変換処理を実行するようになっている。具体的には、インターネット４００の伝送負荷またはデータフォーマット変換用端末ＣＳの処理負荷が小さい順に、データフォーマット変換用端末ＣＳ1〜ＣＳlのうちデータフォーマット変換処理に必要ないずれかまたは複数を選択する。
【００６４】
データフォーマット変換処理が実行されるデータフォーマット変換用端末ＣＳは、データ出力制御端末３００からデータフォーマット変換要求および変換対象となるデータを受信し、データフォーマット変換処理により、データ出力制御端末３００が取得したデータのうち所定のフォーマットのデータを、印刷装置ＰＲ1〜ＰＲnのうち対応するもので印刷可能なデータに変換し、変換したデータをデータ出力制御端末３００に送信する。
【００６５】
例えば、データフォーマット変換用端末ＣＳ1〜ＣＳ3でフォーマット変換処理が実行されている場合において、データフォーマット変換用端末ＣＳ1は、データ出力制御端末３００が取得したデータのうち所定のフォーマットＡ（例えば、ＨＴＭＬ形式）のデータを、印刷装置ＰＲ1〜ＰＲ5で印刷可能なデータに変換し、データフォーマット変換用端末ＣＳ2は、データ出力制御端末３００が取得したデータのうち所定のフォーマットＢ（例えば、ＪＰＥＧ形式）のデータを、印刷装置ＰＲ6〜ＰＲ10で印刷可能なデータに変換し、データフォーマット変換用端末ＣＳ3は、データ出力制御端末３００が取得したデータのうち所定のフォーマットＣ（例えば、ＷＯＲＤ（登録商標）文書形式）のデータを、印刷装置ＰＲ11〜ＰＲ15で印刷可能なデータに変換するという具合である。この場合、見かけ上、印刷装置ＰＲ1〜ＰＲ5は、所定のデータフォーマットＡのデータを専用に印刷する装置となり、印刷装置ＰＲ6〜ＰＲ10は、所定のデータフォーマットＢのデータを専用に印刷する装置となり、印刷装置ＰＲ11〜ＰＲ15は、所定のデータフォーマットＣのデータを専用に印刷する装置となる。
【００６６】
また、データフォーマット変換処理が実行されるデータフォーマット変換用端末ＣＳは、データ出力制御端末３００が取得したデータを変換するとともに、携帯端末１００の各機種ごとに、その表示機能（表示可能行数、表示解像度等）に応じて、データ出力制御端末３００が取得したデータが印刷装置ＰＲで印刷されたときのイメージ画像である携帯端末１００で表示可能なプレビューデータを生成し、生成したプレビューデータをデータ出力制御端末３００に送信するようになっている。
【００６７】
したがって、データ出力制御端末３００は、データ印刷要求に係るデータを印刷しようとする印刷装置ＰＲに対応しているデータフォーマット変換用端末ＣＳに対し、データフォーマット変換要求およびＷＷＷサーバＤＳから取得したデータを送信し、その応答として、印刷しようとする印刷装置ＰＲで印刷可能なデータおよびプレビューデータを受信する。
【００６８】
次に、携帯端末１００の構成を図３を参照しながら説明する。図３は、携帯端末１００の構成を示すブロック図である。
【００６９】
携帯端末１００は、図３に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、ＲＡＭ３４の特定領域に格納されているデータを画像信号に変換してＬＣＤ（Liquid Crystal Display）４４に出力するＬＣＤＣ（Liquid Crystal Display Controller）３６と、外部装置に対してデータの入出力を媒介するＩ／Ｆ３８とで構成されており、これらは、データを転送するための信号線であるバス３９で相互にかつデータ授受可能に接続されている。
【００７０】
Ｉ／Ｆ３８には、外部装置として、ヒューマンインターフェースとして複数のキーによりデータの入力が可能なキーパネル４０と、基地局２００と無線により通信を行う送受信制御装置４２と、画像信号に基づいて画面を表示するＬＣＤ４４と、現在地点の位置を測定する位置測定装置４６とが接続されている。
【００７１】
送受信制御装置４２は、異なる通信方式により基地局２００と通信を行う複数の通信装置を有しており、複数の通信装置のうちいずれかの通信装置により基地局２００と通信を行い、基地局２００との通信に失敗したときは、複数の通信装置のうち他の通信装置により基地局２００と通信を行うようになっている。これら通信装置のうち２つのものは、長距離無線ＬＡＮにより基地局２００と通信を行う長距離通信装置４２ａと、短距離無線ＬＡＮにより基地局２００と通信を行う短距離通信装置４２ｂとからなる。なお、発明の理解を容易にするため、基地局２００と通信を行う装置として、長距離通信装置４２ａおよび短距離通信装置４２ｂしか図示していないが、これ以外にも、異なる通信方式により基地局２００と通信を行うさらに複数の通信装置を接続してもよい。
【００７２】
ＲＯＭ３２には、ＣＰＵ３０の制御プログラムのほか、データ出力制御端末３００が提供する印刷サービスを利用する正当な利用者であるか否かを認証するための認証データが格納されている。
【００７３】
ＲＡＭ３４は、特定領域として、ＬＣＤ４４に表示するための表示用データを格納するＶＲＡＭ３５を有しており、ＶＲＡＭ３５は、ＣＰＵ３０とＬＣＤＣ３６とで独立にアクセスが可能となっている。
【００７４】
ＬＣＤＣ３６は、ＶＲＡＭ３５に格納されている表示用データを先頭アドレスから所定周期で順次読み出し、読み出した表示用データを画像信号に変換してＬＣＤ４４に出力するようになっている。
【００７５】
位置測定装置４６は、ＧＰＳ（Global Positioning System）等を利用するものであって、現在の時刻を示す時刻信号を送信する周回衛星から時刻信号を受信し、それら時刻信号により示される時刻のずれおよび各周回衛星の周回軌道に基づいて、現在地点の位置を測定するようになっている。
【００７６】
ＣＰＵ３０は、マイクロプロセッシングユニットＭＰＵ等からなり、ＲＯＭ３２の所定領域に格納されている所定のプログラムを起動させ、そのプログラムに従って、図４のフローチャートに示すデータ印刷要求処理を実行するようになっている。図４は、データ印刷要求処理を示すフローチャートである。
【００７７】
データ印刷要求処理は、データ出力制御端末３００に対して、データ印刷要求を発することにより、利用者が指定するＷＷＷサーバＤＳのデータを印刷装置ＰＲ1〜ＰＲnのうちいずれかで印刷する要求を行う処理であって、ＣＰＵ３０において実行されると、図４に示すように、まず、ステップＳ９６に移行する。
【００７８】
ステップＳ９６では、利用者が指定するＷＷＷサーバＤＳにアクセスしてそのＷＷＷサーバＤＳから表示用データを取得し、ステップＳ９８に移行して、取得した表示用データをＬＣＤ４４に表示するとともに、取得した表示用データに対応する印刷用データの印刷要求を入力するためのデータ印刷要求項目を、その表示用データの末尾に付してＬＣＤ４４に表示し、ステップＳ１００に移行する。
【００７９】
ステップＳ１００では、利用者によるキーパネル４０の入力によりデータ印刷要求項目が選択されたか否かを判定し、データ印刷要求項目が選択されたと判定されたとき(Yes)は、データ印刷要求を入力したとしてステップＳ１０２に移行して、位置測定装置４６により現在地点の位置を測定し、ステップＳ１０４に移行して、印刷に関する諸情報をキーパネル４０から入力する。利用者は、この印刷に関する諸情報として、例えば、印刷対象となる印刷用データが格納されているＷＷＷサーバＤＳのインターネット４００上での位置を一意に特定するＵＲＬや、出力データの提供を希望する大まかな場所である提供希望地域や、用紙サイズ、カラー／モノクロの別、印刷精度または印刷速度等の印刷装置ＰＲの印刷仕様や、印刷対象となる印刷用データのデータフォーマットや、印刷装置ＰＲを直接指定する場合はその印刷装置ＰＲを識別するための印刷装置ＩＤを入力する。
これら入力項目は、いずれも必須項目ではなく、利用者の必要に応じて選択的に入力する。ただし、ＷＷＷサーバＤＳのＵＲＬは、特に指定がないときは、利用者が携帯端末１００で現在閲覧しているＷＷＷサーバＤＳのＵＲＬが自動的に入力される。
【００８０】
次いで、ステップＳ１０６に移行して、入力された印刷に関する諸情報に基づいて、データ印刷要求に含めるデータを生成する。すなわち、データ印刷要求に含めるデータは、ステップＳ１０２で測定した現在地点の位置を、その現在地点の位置を特定するための携帯端末位置データとして、ＷＷＷサーバＤＳのＵＲＬを、そのＵＲＬを示す印刷対象格納位置データとして、提供希望地域が入力されたときは、その提供希望地域を示す提供希望地域データとして、印刷装置ＰＲの印刷仕様が入力されたときは、その印刷仕様を示す印刷仕様データとして、データフォーマットが入力されたときは、そのデータフォーマットを示す印刷フォーマットデータとして、印刷装置ＰＲの印刷装置ＩＤが入力されたときは、その印刷装置ＩＤを示す印刷装置識別データとして、生成する。
【００８１】
次いで、ステップＳ１０８に移行して、送受信制御装置４２によりデータ印刷要求をデータ出力制御端末３００に送信し、ステップＳ１１０に移行して、その応答として、利用者が出力データの提供を受けるのに最適であると思われるいくつかの印刷装置ＰＲの候補がリストアップされた印刷装置候補データをデータ出力制御端末３００から受信し、受信した印刷装置候補データに基づいて、リストアップされた印刷装置ＰＲの候補をＬＣＤ４４に表示し、ステップＳ１１２に移行する。
【００８２】
ステップＳ１１２では、ＬＣＤ４４に表示された印刷装置ＰＲの候補のなかに出力データの提供を希望する印刷装置ＰＲがあるか否かを判定し、ＬＣＤ４４に表示された印刷装置ＰＲの候補のなかからいずれかの選択をキーパネル４０から入力することにより、出力データの提供を希望する印刷装置ＰＲがあると判定されたとき(Yes)は、ステップＳ１１４に移行する。
【００８３】
ステップＳ１１４では、印刷装置ＰＲを決定したことを示す決定信号をデータ出力制御端末３００に送信し、ステップＳ１１６に移行して、決定信号送信の第１の応答として、決定した印刷装置ＰＲに関する詳細情報（印刷装置ＰＲの設置場所、印刷仕様等）である印刷装置情報をデータ出力制御端末３００から受信し、受信した印刷装置情報に基づいて、印刷装置ＰＲに関する詳細情報をＬＣＤ４４に表示し、ステップＳ１１８に移行する。
【００８４】
ステップＳ１１８では、決定信号送信の第２の応答として、携帯端末１００の位置から、決定した印刷装置ＰＲが設置されている設置場所まで利用者を案内するための案内情報（道順情報、地図情報等）を示す案内データをデータ出力制御端末３００から受信し、受信した案内データに基づいて、案内情報をＬＣＤ４４に表示し、ステップＳ１２０に移行して、決定信号送信の第３の応答として、プレビューデータをデータ出力制御端末３００から受信し、受信したプレビューデータに基づいて、決定した印刷装置ＰＲで印刷されたときのイメージ画像をＬＣＤ４４に表示し、ステップＳ１２２に移行する。
【００８５】
ステップＳ１２２では、印刷しようとする印刷用データが、ＬＣＤ４４に表示されたイメージ画像で間違いないか否かを判定し、ＬＣＤ４４に表示されたイメージ画像で間違いない旨の選択をキーパネル４０から入力することにより、ＬＣＤ４４に表示されたイメージ画像で間違いないと判定されたとき(Yes)は、ステップＳ１２４に移行する。このとき、プレビューデータが複数のデータから構成されるときは、それらのうち印刷を希望する部分を特に指定することもできる。
【００８６】
ステップＳ１２４では、データ印刷実行要求をデータ出力制御端末３００に送信し、ステップＳ１２６に移行して、ＲＯＭ３２の認証データをデータ出力制御端末３００に送信し、ステップＳ１２８に移行して、その応答として、データ出力制御端末３００からメッセージを受信し、受信したメッセージをＬＣＤ４４に表示し、ステップＳ１３０に移行して、データの印刷が終了したことを示す終了信号をデータ出力制御端末３００から受信したか否かを判定し、終了信号を受信したと判定されたとき(Yes)は、一連の処理を終了するが、そうでないと判定されたとき(No)は、終了信号を受信するまでステップＳ１２８を繰り返す。
【００８７】
一方、ステップＳ１２２で、ＬＣＤ４４に表示されたイメージ画像が間違いである旨の選択をキーパネル４０から入力することにより、ＬＣＤ４４に表示されたイメージ画像が間違いであると判定されたとき(No)は、ステップＳ１３２に移行して、データの印刷を中断する要求である中断信号をデータ出力制御端末３００に送信し、一連の処理を終了する。
【００８８】
一方、ステップＳ１１２で、ＬＣＤ４４に表示された印刷装置ＰＲの候補のなかに希望する印刷装置ＰＲがない旨の選択をキーパネル４０から入力することにより、出力データの提供を希望する印刷装置ＰＲがないと判定されたとき(No)は、ステップＳ１３４に移行して、出力データの提供を受けるのに最適であると思われる印刷装置ＰＲを再検索する要求であるリトライ信号をデータ出力制御端末３００に送信し、ステップＳ１０４に移行する。
【００８９】
一方、ステップＳ１００で、データ印刷要求項目が選択されないと判定されたとき(No)は、データ印刷要求を入力しないとしてデータ印刷要求項目が選択されるまでステップＳ１００で待機する。
【００９０】
次に、データ出力制御端末３００の構成を図５を参照しながら説明する。図５は、データ出力制御端末３００の構成を示すブロック図である。
【００９１】
データ出力制御端末３００は、携帯端末１００からのデータ印刷要求に係るデータを取得し、印刷装置ＰＲ1〜ＰＲnのうちデータを印刷すべきいずれかを選択し、取得したデータをその選択した印刷装置ＰＲに出力するようになっており、図５に示すように、制御プログラムに基づいて演算およびシステム全体を制御するＣＰＵ５０と、所定領域にあらかじめＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、ＲＡＭ５４の特定領域に格納されているデータを画像信号に変換して出力するＣＲＴＣ５６と、外部装置に対してデータの入出力を媒介するＩ／Ｆ５８とで構成されており、これらは、データを転送するための信号線であるバス５９で相互にかつデータ授受可能に接続されている。
【００９２】
Ｉ／Ｆ５８には、外部装置として、ヒューマンインターフェースとしてデータの入力が可能なキーボードやマウス等からなる入力装置６０と、データやテーブル等をファイルとして格納する記憶装置６２と、画像信号に基づいて画面を表示する表示装置６４と、インターネット４００に接続するための信号線とが接続されている。
【００９３】
ＲＡＭ５４は、特定領域として、表示装置６４に表示するための表示用データを格納するＶＲＡＭ５５を有しており、ＶＲＡＭ５５は、ＣＰＵ５０とＣＲＴＣ５６とで独立にアクセスが可能となっている。
【００９４】
ＣＲＴＣ５６は、ＶＲＡＭ５５に格納されている表示用データを先頭アドレスから所定周期で順次読み出し、読み出した表示用データを画像信号に変換して表示装置６４に出力するようになっている。
【００９５】
記憶装置６２には、印刷装置ＰＲ1〜ＰＲnのうちデータを印刷すべきいずれかを選択するにあたって必要な印刷装置ＰＲに関する印刷装置情報が格納されている。印刷装置情報は、各印刷装置ＰＲ1〜ＰＲnごとに、その印刷装置ＰＲの設置場所を特定するための印刷装置位置データと、その印刷装置ＰＲに対応しているデータフォーマット変換用端末ＣＳが変換可能なデータフォーマット（すなわち、その印刷装置ＰＲが印刷可能なデータフォーマット）を示す印刷フォーマットデータと、その印刷装置ＰＲの印刷仕様を示す印刷仕様データと、その印刷装置ＩＤを示す印刷装置識別データとを登録して構成されている。
【００９６】
ＣＰＵ５０は、マイクロプロセッシングユニットＭＰＵ等からなり、ＲＯＭ５２の所定領域に格納されている所定のプログラムを起動させ、そのプログラムに従って、図６のフローチャートに示すデータ出力制御処理を実行するようになっている。図６は、データ出力制御処理を示すフローチャートである。
【００９７】
データ出力制御処理は、携帯端末１００からのデータ印刷要求に係る印刷用データをＷＷＷサーバＤＳから取得し、携帯端末１００の利用者が出力データの提供を受けるのに最適であると思われるいずれかの印刷装置ＰＲを選択し、取得した印刷用データをその選択した印刷装置ＰＲに出力するものであって、ＣＰＵ５０において実行されると、図６に示すように、まず、ステップＳ２００に移行するようになっている。
【００９８】
ステップＳ２００では、データ印刷要求を携帯端末１００から受信したか否かを判定し、データ印刷要求を受信したと判定されたとき(Yes)は、ステップＳ２０２に移行して、受信したデータ印刷要求に含まれるデータ（少なくとも携帯端末位置データおよび印刷対象格納位置データを含む。）を取得し、ステップＳ２０４に移行して、携帯端末１００の利用者が出力データの提供を受けるのに最適であると思われるいずれかの印刷装置ＰＲを選択する。
【００９９】
このステップＳ２０４では、具体的に、取得した携帯端末位置データをもとに記憶装置６２の印刷装置位置データを検索して、携帯端末１００の位置を基準として距離的または時間的に最も近くにあると思われるいくつかの印刷装置ＰＲを選択する。データ印刷要求に提供希望地域データが含まれているときは、提供希望地域データをもとに記憶装置６２の印刷装置位置データを検索して、提供希望地域データにより特定される地域にあるすべての印刷装置ＰＲを選択する。データ印刷要求に印刷仕様データが含まれているときは、取得した印刷仕様データをもとに記憶装置６２の印刷仕様データを検索して、その印刷仕様データに該当するすべての印刷装置ＰＲを選択する。
【０１００】
また、データ印刷要求に印刷フォーマットデータが含まれているときは、取得した印刷フォーマットデータをもとに記憶装置６２の印刷フォーマットデータを検索して、その印刷フォーマットデータに該当するすべての印刷装置ＰＲを選択する。データ印刷要求に印刷装置識別データが含まれているときは、取得した印刷装置識別データをもとに記憶装置６２の印刷装置識別データを検索して、その印刷装置識別データと一致する印刷装置ＰＲを選択する。なお、データ印刷要求にこれらデータが複合的に含まれているときは、それぞれのデータをもとに絞り込みを行う。ただし、提供希望地域データが含まれている場合に、提供希望地域データにより特定される地域に携帯端末位置データにより特定される位置が含まれていないときは、携帯端末位置データによる絞り込みは行わず、また、印刷装置識別データが含まれているときは、他のデータによる絞り込みは行わない。
【０１０１】
次いで、ステップＳ２０４では、ステップＳ２０２で選択した印刷装置ＰＲをリストアップした印刷装置候補データを生成し、生成した印刷装置候補データを携帯端末１００に送信し、ステップＳ２０８に移行する。
【０１０２】
ステップＳ２０８では、決定信号を携帯端末１００から受信したか否かを判定し、決定信号を受信したと判定されたとき(Yes)は、ステップＳ２１０に移行して、取得した印刷対象格納位置データのＵＲＬにより特定されるＷＷＷサーバＤＳから印刷用データを取得し、ステップＳ２１１に移行して、取得した印刷用データを、その印刷用データを変換可能でかつ決定した印刷装置ＰＲに対応しているデータフォーマット変換用端末ＣＳに送信し、その応答として、決定した印刷装置ＰＲで印刷可能なデータおよびプレビューデータをそのデータフォーマット変換用端末ＣＳから取得し、ステップＳ２１２に移行する。
【０１０３】
ステップＳ２１２では、決定した印刷装置ＰＲについての印刷装置情報を記憶装置６２から読み出し、読み出した印刷装置情報を携帯端末１００に送信し、ステップＳ２１４に移行して、決定した印刷装置ＰＲについての案内データを生成し、生成した案内データを携帯端末１００に送信し、ステップＳ２１６に移行して、プレビューデータを携帯端末１００に送信し、ステップＳ２１８に移行する。
【０１０４】
ステップＳ２１８では、データ印刷実行要求を携帯端末１００から受信したか否かを判定し、データ印刷要求を受信したと判定されたとき(Yes)は、ステップＳ２２０に移行して、認証データを携帯端末１００から受信し、ステップＳ２２２に移行して、受信した認証データに基づいて、携帯端末１００の利用者がデータ出力制御端末３００が提供する印刷サービスを利用する正当な利用者であるか否かを認証する認証処理を実行し、ステップＳ２２４に移行する。
【０１０５】
ステップＳ２２４では、ステップＳ２２２の認証処理の結果、携帯端末１００の利用者が正当な利用者であるか否かを判定し、正当な利用者であると判定されたとき(Yes)は、ステップＳ２２６に移行して、決定した印刷装置ＰＲで印刷可能なデータをその印刷装置ＰＲに送信し、ステップＳ２２８に移行して、データ出力制御端末３００が提供する印刷サービスを携帯端末１００が利用した結果に応じて課金を行う課金処理を実行する。
【０１０６】
このステップＳ２２８では、具体的に、携帯端末１００の通話料金（例えば、１分ごとの通話料金）を算出するとともに、携帯端末１００による利用の結果として、例えば、取得した印刷用データの容量、印刷装置ＰＲでの印刷枚数、印刷装置ＰＲの印刷仕様に対して印刷サービス提供の対価としてのサービス利用料金を定めた料金算出規定テーブルを参照して、携帯端末１００による利用の結果に応じたサービス利用料金を算出し、算出したサービス利用料金を通話料金に加算し、加算した合計金額を携帯端末１００の利用者への請求金額として記憶する。
【０１０７】
次いで、ステップＳ２３０に移行して、ステップＳ２２８の課金処理により算出されたサービス利用料金を示す課金メッセージを携帯端末１００に送信し、ステップＳ２３２に移行して、データの印刷が終了した旨の終了メッセージを携帯端末１００に送信し、ステップＳ２３４に移行して、終了信号を携帯端末１００に送信し、一連の処理を終了する。
【０１０８】
一方、ステップＳ２２４で、携帯端末１００の利用者が正当な利用者でないと判定されたとき(No)は、ステップＳ２３６に移行して、不正利用者である旨のメッセージを携帯端末１００に送信し、一連の処理を終了する。
【０１０９】
一方、ステップＳ２１８で、データ印刷実行要求を携帯端末１００から受信していないと判定されたとき(No)は、ステップＳ２３８に移行して、中断信号を携帯端末１００から受信したか否かを判定し、中断信号を受信したと判定されたとき(Yes)は、一連の処理を終了するが、そうでないと判定されたとき(No)は、ステップＳ２１８に移行する。
【０１１０】
一方、ステップＳ２０８で、決定信号を携帯端末１００から受信していないと判定されたとき(No)は、ステップＳ２４０に移行して、リトライ信号を携帯端末１００から受信したか否かを判定し、リトライ信号を受信したと判定されたとき(Yes)は、ステップＳ２００に移行するが、そうでないと判定されたとき(No)は、ステップＳ２０８に移行する。
【０１１１】
一方、ステップＳ２００で、データ印刷要求を携帯端末１００から受信していないと判定されたとき(No)は、データ印刷要求を受信するまでステップＳ２００で待機する。
【０１１２】
次に、上記実施の形態の動作を説明する。
【０１１３】
まず、データ出力制御端末３００が提供する印刷サービスを利用する正当な利用者が、自己が所持する携帯端末１００を操作し、例えば、ＷＷＷサーバＤＳ1にアクセスすると、ステップＳ９６，Ｓ９８を経て、ＷＷＷサーバＤＳ1から表示用データが取得され、取得された表示用データがＬＣＤ４４に表示されるとともに、データ印刷要求項目がその表示用データの末尾に付されてＬＣＤ４４に表示される。このとき、利用者が、ＬＣＤ４４に表示されたデータの詳細データを印刷しようとする場合を例にとって説明する。
【０１１４】
利用者が目的のデータを印刷するためには、まず、キーパネル４０の入力によりＬＣＤ４４に表示されたデータ印刷要求項目を選択する。
【０１１５】
携帯端末１００では、データ印刷要求項目が選択されると、ステップＳ１００，Ｓ１０２を経て、ＣＰＵ３０により、位置測定装置４６により現在地点の位置が測定され、印刷に関する諸情報の入力要求がＬＣＤ４４に表示される。ここで、利用者は、印刷に関する諸情報として閲覧しているＷＷＷサーバＤＳ1のＵＲＬを指定することにより入力すると、ステップＳ１０４〜Ｓ１０８を経て、入力された印刷に関する諸情報に基づいて、携帯端末位置データおよび印刷対象格納位置データがデータ印刷要求に含めるデータとして生成され、データ印刷要求がデータ出力制御端末３００に送信される。データ印刷要求のデータ出力制御端末３００への送信は、送受信制御装置４２により行われるが、具体的には、送受信制御装置４２の複数の通信装置のうちいずれかの通信装置により基地局２００と通信が行われる。通信状態の変化等何らかの原因によりこの通信装置での通信に失敗したときは、送受信制御装置４２の複数の通信装置のうち他の通信装置により基地局２００と通信が行われる。このとき、長距離通信装置４２ａまたは短距離通信装置４２ｂが通信装置として選択されたときは、長距離無線ＬＡＮまたは短距離無線ＬＡＮにより基地局２００と通信が行われる。
【０１１６】
データ出力制御端末３００では、データ印刷要求を受信すると、ステップＳ２００〜Ｓ２０４を経て、ＣＰＵ５０により、受信したデータ印刷要求に含まれるデータ（携帯端末位置データおよび印刷対象格納位置データ）が取得され、取得された携帯端末位置データをもとに記憶装置６２の印刷装置位置データが検索されて、携帯端末１００の位置を基準として距離的または時間的に最も近くにあると思われるいくつかの印刷装置ＰＲが選択される。このとき、印刷装置ＰＲ1〜ＰＲ5が選択されたとすると、ステップＳ２０６を経て、印刷装置ＰＲ1〜ＰＲ5をリストアップした印刷装置候補データが生成され、生成された印刷装置候補データが携帯端末１００に送信される。
【０１１７】
携帯端末１００では、印刷装置候補データを受信すると、ステップＳ１１０を経て、受信した印刷装置候補データに基づいて、リストアップされた印刷装置ＰＲ1〜ＰＲ5がＬＣＤ４４に表示される。ここで、利用者は、印刷装置ＰＲ1の選択をキーパネル４０から入力すると、ステップＳ１１２，Ｓ１１４を経て、印刷装置ＰＲ1を決定したことを示す決定信号がデータ出力制御端末３００に送信される。
【０１１８】
データ出力制御端末３００では、決定信号を受信すると、ステップＳ２０８〜Ｓ２１１を経て、取得された印刷対象格納位置データのＵＲＬにより特定されるＷＷＷサーバＤＳ1から印刷用データが取得され、取得された印刷用データが、その印刷用データを変換可能でかつ決定された印刷装置ＰＲ1に対応しているデータフォーマット変換用端末ＣＳ（例えば、データフォーマット変換用端末ＣＳ1）に送信され、その応答として、決定された印刷装置ＰＲ1で印刷可能なデータおよびプレビューデータがデータフォーマット変換用端末ＣＳ1から取得される。そして、ステップＳ２１２〜Ｓ２１６を経て、決定された印刷装置ＰＲ1についての印刷装置情報が記憶装置６２から読み出され、読み出された印刷装置情報が携帯端末１００に送信され、決定された印刷装置ＰＲ1についての案内データが生成され、生成された案内データが携帯端末１００に送信され、プレビューデータが携帯端末１００に送信される。
【０１１９】
携帯端末１００では、印刷装置情報、案内データおよびプレビューデータを受信すると、ステップＳ１１６〜Ｓ１２０を経て、受信した印刷装置情報に基づいて、印刷装置ＰＲに関する詳細情報がＬＣＤ４４に表示され、受信した案内データに基づいて、携帯端末１００の位置から印刷装置ＰＲ1が設置されている設置場所までの案内情報がＬＣＤ４４に表示され、受信したプレビューデータに基づいて、決定した印刷装置ＰＲ1で印刷されたときのイメージ画像がＬＣＤ４４に表示される。ここで、利用者は、印刷しようとする印刷用データが、ＬＣＤ４４に表示されたイメージ画像で間違いない旨の選択をキーパネル４０から入力すると、ステップＳ１２２〜Ｓ１２６を経て、データ印刷実行要求およびＲＯＭ３２の認証データがデータ出力制御端末３００に送信される。このとき、プレビューデータが複数のデータから構成されるときは、利用者は、それらのうち印刷を希望する部分を特に指定（トリミング）することもできる。トリミングを行った場合は、指定部分を印刷する要求を含むデータ印刷実行要求がデータ出力制御端末３００に送信される。
【０１２０】
データ出力制御端末３００では、データ印刷実行要求および認証データを受信すると、ステップＳ２１８〜Ｓ２２２を経て、受信した認証データに基づいて認証処理が実行される。ここで、利用者は、データ出力制御端末３００が提供する印刷サービスを利用する正当な利用者であるので、ステップＳ２２４〜Ｓ２３４を経て、決定された印刷装置ＰＲ1で印刷可能なデータが印刷装置ＰＲ1に送信される。このとき、データ印刷実行要求に指定部分を印刷する要求が含まれているときは、印刷装置ＰＲ1で印刷可能なデータのうちその指定部分が印刷装置ＰＲ1に送信される。そして、課金処理が実行され、課金メッセージ、終了メッセージおよび終了信号が携帯端末１００に送信される。
【０１２１】
携帯端末１００では、課金メッセージ、終了メッセージおよび終了信号を受信すると、ステップＳ１２８，Ｓ１３０を繰り返し経て、課金メッセージおよび終了メッセージがＬＣＤ４４に表示される。一方、印刷装置ＰＲ1では、印刷装置ＰＲ1で印刷可能なデータを受信すると、受信したデータに基づいて印刷が行われる。
【０１２２】
利用者は、終了メッセージが表示された後、ＬＣＤ４４に表示された案内情報を見ながら印刷装置ＰＲ1が設置されている店舗Ｓ1までにおもむき、印刷装置ＰＲ1で印刷されたデータを受け取る。この印刷サービス提供の対価としてのサービス利用料金は、携帯端末１００の通話料金に合算されて請求される。
【０１２３】
これに対し、サービス提供者は、印刷サービス提供の対価としてのサービス利用料金を通話料金と合算して利用者に請求することにより、サービス提供の対価を得ることができる。
【０１２４】
なお、利用者が、印刷に関する諸情報として、出力データの提供を希望する大まかな場所である提供希望地域を入力した場合は、その提供希望地域を示す提供希望地域データがデータ出力制御端末３００に送信され、データ出力制御端末３００では、取得された提供希望地域データをもとに記憶装置６２の印刷装置位置データが検索されて、提供希望地域データにより特定される地域にあるすべての印刷装置ＰＲが選択される。
【０１２５】
例えば、利用者が、提供希望地域として「渋谷」を入力した場合は、携帯端末１００では、渋谷周辺に設置されているすべての印刷装置ＰＲがＬＣＤ４４に表示される。
【０１２６】
また、利用者が、印刷に関する諸情報として、印刷装置ＰＲの印刷仕様を入力した場合は、その印刷仕様を示す印刷仕様データがデータ出力制御端末３００に送信され、データ出力制御端末３００では、取得された印刷仕様データをもとに記憶装置６２の印刷仕様データが検索されて、その印刷仕様データに該当するすべての印刷装置ＰＲが選択される。
【０１２７】
例えば、利用者が、印刷仕様として「カラー」を入力した場合は、携帯端末１００では、データをカラーで印刷可能なすべての印刷装置ＰＲがＬＣＤ４４に表示される。
【０１２８】
また、利用者が、印刷に関する諸情報として、データフォーマットを入力した場合は、そのデータフォーマットを示す印刷フォーマットデータがデータ出力制御端末３００に送信され、データ出力制御端末３００では、取得された印刷フォーマットデータをもとに記憶装置６２の印刷フォーマットデータが検索されて、その印刷フォーマットデータに該当するすべての印刷装置ＰＲが選択される。
【０１２９】
例えば、利用者が、データフォーマットとして「ＨＴＭＬ形式」を入力した場合は、携帯端末１００では、ＨＴＭＬ形式のデータを変換可能なデータフォーマット変換用端末ＣＳが対応しているすべての印刷装置ＰＲがＬＣＤ４４に表示される。
【０１３０】
また、利用者が、印刷装置ＰＲを直接指定するために、印刷に関する諸情報として、印刷装置ＰＲの印刷装置ＩＤを入力した場合は、その印刷装置ＩＤを示す印刷装置識別データがデータ出力制御端末３００に送信され、データ出力制御端末３００では、取得された印刷装置識別データをもとに記憶装置６２の印刷装置識別データが検索されて、その印刷装置識別データと一致する印刷装置ＰＲが選択される。
【０１３１】
例えば、利用者が、印刷装置ＩＤとして「０００１」を入力した場合は、携帯端末１００では、印刷装置ＩＤが「０００１」である印刷装置ＰＲがＬＣＤ４４に表示される。このとき、印刷装置ＩＤが「０００１」である印刷装置ＰＲが存在しない場合は、一切の印刷装置ＰＲが表示されない。
【０１３２】
また、利用者が、印刷に関する諸情報として、印刷希望地域、印刷仕様およびデータフォーマットを複合的に入力した場合は、それらを示すデータがデータ出力制御端末３００に送信され、データ出力制御端末３００では、取得された複数のデータをもとに絞り込みが行われて、それらに該当するすべての印刷装置ＰＲが選択される。
【０１３３】
例えば、利用者が、印刷希望地域、印刷仕様およびデータフォーマットとして、「渋谷」、「カラー」および「ＨＴＭＬ形式」を入力した場合は、携帯端末１００では、ＨＴＭＬ形式のデータを変換可能なデータフォーマット変換用端末ＣＳが対応している印刷装置ＰＲのうち、渋谷周辺に配置されしかもデータをカラーで印刷可能なすべての印刷装置ＰＲがＬＣＤ４４に表示される。
【０１３４】
また、利用者が、データ出力制御端末３００が提供する印刷サービスを利用する正当な利用者でない場合は、イメージ画像がＬＣＤ４４に表示されたときに、印刷しようとする印刷用データが、ＬＣＤ４４に表示されたイメージ画像で間違いない旨の選択をキーパネル４０から入力しても、印刷装置ＰＲ1によって目的のデータが印刷されることはない。
【０１３５】
このようにして、本実施の形態では、携帯端末１００は、ＷＷＷサーバＤＳからデータを取得し、取得したデータをＬＣＤ４４に表示するとともにデータ印刷要求項目をその表示用データの末尾に付してＬＣＤ４４に表示し、表示したデータ印刷要求項目が選択されたときは、データ印刷要求をデータ出力制御端末３００に発するようにした。
【０１３６】
これにより、ＬＣＤ４４に表示される表示用データの詳細情報が印刷装置ＰＲで印刷されるので、従来に比して、利用者が携帯端末１００で閲覧しているインターネット４００上の簡易情報に対応する詳細情報を手軽に入手することができ、特に、表示用データに付されたデータ印刷要求項目を選択するだけでデータ印刷が行われるので、データ印刷を比較的簡単に行うことができる。したがって、サービス提供者は、利用者に対して、高い満足感が得られる情報サービスを提供することができる。
【０１３７】
さらに、本実施の形態では、携帯端末１００は、異なる通信方式によりデータ出力制御端末３００と通信を行う複数の通信装置を有する送受信制御装置４２を備え、複数の通信装置のうちいずれかの通信装置によりデータ印刷要求をデータ出力制御端末３００に発し、データ出力制御端末３００との通信に失敗したときは、複数の通信装置のうち他の通信手段によりデータ印刷要求をデータ出力制御端末３００に発するようにした。
【０１３８】
これにより、移動しながら通信を行う携帯端末１００のように通信状態が動的に変化する環境においても、基地局２００との通信を比較的確実に確立することができる。したがって、サービス提供者は、利用者に対して、携帯端末１００の通信状態によらず、快適な通信環境を提供することができる。
【０１３９】
さらに、本実施の形態では、携帯端末１００は、長距離無線ＬＡＮおよび短距離無線ＬＡＮを通信装置として有する。
【０１４０】
これにより、ネットワークケーブルを接続する作業をすることなく、データ印刷を比較的簡単に行うことができる。したがって、サービス提供者は、利用者に対して、さらに高い満足感が得られる情報サービスを提供することができる。
【０１４１】
さらに、本実施の形態では、携帯端末１００は、ＬＣＤ４４に表示されるイメージ画像データが複数のデータから構成される場合に、それらのうち印刷を希望する部分の指定を入力されたときは、指定部分を印刷する要求を含むデータ印刷実行要求をデータ出力制御端末３００に発するようにした。
【０１４２】
これにより、利用者は、インターネット４００上の詳細情報のうち必要な情報だけを入手することができる。したがって、サービス提供者は、利用者に対して、さらに高い満足感が得られる情報サービスを提供することができる。
【０１４３】
さらに、本実施の形態では、データ出力制御端末３００は、複数の印刷装置ＰＲのなかから、携帯端末１００の利用者が出力データの提供を受けるのに最適であると思われる印刷装置ＰＲを選択するようにした。
【０１４４】
これにより、利用者が出力データの提供を受けやすくなり、インターネット４００上の詳細情報をさらに手軽に入手することができる。したがって、サービス提供者は、利用者に対して、さらに高い満足感が得られる情報サービスを提供することができる。
【０１４５】
さらに、本実施の形態では、データ出力制御端末３００は、データ印刷要求に含まれる携帯端末位置データをもとに記憶装置６２の印刷装置位置データを検索して、携帯端末１００の位置を基準として距離的または時間的に最も近くにあると思われる印刷装置ＰＲを選択するようにした。
【０１４６】
これにより、携帯端末１００の位置を基準として距離的または時間的に最も近くにあると思われる印刷装置ＰＲにおいてデータ印刷要求に係るデータが印刷されるので、利用者が出力データの提供を一層受けやすくなり、インターネット４００上の詳細情報をさらに手軽に入手することができる。したがって、サービス提供者は、利用者に対して、さらに高い満足感が得られる情報サービスを提供することができる。
【０１４７】
さらに、本実施の形態では、データ出力制御端末３００は、データ印刷要求に含まれる提供希望地域データをもとに記憶装置６２の印刷装置位置データを検索して、その提供希望地域データにより特定される地域にある印刷装置ＰＲを選択するようにした。
【０１４８】
これにより、利用者が出力データの提供を希望する大まかな場所である提供希望地域にある印刷装置ＰＲにおいてデータ印刷要求に係るデータが印刷されるので、利用者の目的に合った出力データの提供を受けられることとなり、インターネット４００上の詳細情報をさらに手軽に入手することができる。したがって、サービス提供者は、利用者に対して、さらに高い満足感が得られる情報サービスを提供することができる。
【０１４９】
さらに、本実施の形態では、データ出力制御端末３００は、データ印刷要求に含まれる提供希望地域データにより特定される地域に携帯端末位置データにより特定される位置が含まれていないときは、携帯端末位置データによる検索を行わないようにした。
【０１５０】
これにより、利用者が提供希望地域を入力した場合は、携帯端末位置データによる検索よりも提供希望地域データによる検索が優先され、提供希望地域にある印刷装置ＰＲにおいてデータ印刷要求に係るデータが印刷されるので、利用者の目的を優先した出力データの提供を受けられることとなり、インターネット４００上の詳細情報をさらに手軽に入手することができる。したがって、サービス提供者は、利用者に対して、さらに高い満足感が得られる情報サービスを提供することができる。
【０１５１】
さらに、本実施の形態では、データ出力制御端末３００は、データ印刷要求に含まれる印刷フォーマットデータをもとに記憶装置６２の印刷フォーマットデータを検索して、その印刷フォーマットデータに該当する印刷装置ＰＲを選択するようにした。
【０１５２】
これにより、利用者が指定したデータフォーマットで印刷可能な印刷装置ＰＲにおいてデータ印刷要求に係るデータが印刷されるので、利用者の目的に合った出力データの提供を受けられることとなり、インターネット４００上の詳細情報をさらに手軽に入手することができる。したがって、サービス提供者は、利用者に対して、さらに高い満足感が得られる情報サービスを提供することができる。
【０１５３】
さらに、本実施の形態では、データ出力制御端末３００は、データ印刷要求に含まれる印刷仕様データをもとに記憶装置６２の印刷仕様データを検索して、その印刷仕様データに該当する印刷装置ＰＲを選択するようにした。
【０１５４】
これにより、利用者が指定した印刷仕様で印刷可能な印刷装置ＰＲにおいてデータ印刷要求に係るデータが印刷されるので、利用者の目的に合った出力データの提供を受けられることとなり、インターネット４００上の詳細情報をさらに手軽に入手することができる。したがって、サービス提供者は、利用者に対して、さらに高い満足感が得られる情報サービスを提供することができる。
【０１５５】
さらに、本実施の形態では、データ出力制御端末３００は、データ印刷要求に含まれる印刷装置識別データのみをもとに記憶装置６２の印刷装置識別データを検索して、その印刷装置識別データと一致する印刷装置ＰＲを選択するようにした。
【０１５６】
これにより、利用者が一意に指定した印刷装置ＰＲにおいてデータ印刷要求に係るデータが印刷されるので、利用者の目的に合った出力データの提供を受けられることとなり、インターネット４００上の詳細情報をさらに手軽に入手することができる。したがって、サービス提供者は、利用者に対して、さらに高い満足感が得られる情報サービスを提供することができる。
【０１５７】
さらに、本実施の形態では、データ出力制御端末３００は、選択した印刷装置ＰＲに対応する印刷装置情報を携帯端末１００に出力するようにした。
【０１５８】
これにより、利用者に対して、出力データの提供を行う印刷装置ＰＲに関する情報を通知することにより、利用者が間違ってデータを印刷してしまうのを防止することができる。したがって、サービス提供者は、利用者に対して、さらに高い満足感が得られる情報サービスを提供することができる。
【０１５９】
さらに、本実施の形態では、データ出力制御端末３００は、データ印刷要求に係るデータをＷＷＷサーバＤＳから取得するようにした。
【０１６０】
これにより、詳細情報を印刷するにあたっては、データ出力制御端末３００により印刷用データおよび印刷装置ＰＲで印刷可能なデータが処理されるので、携帯端末１００に対するメモリの増設が不要でしかも携帯端末１００にかかる処理負荷が低減される。また、携帯端末１００にデータを読み込む必要がないので、通信時間が低減され、出力データの提供を受けるまでに要する時間が少なくなる。したがって、サービス提供者は、利用者に対して、携帯端末１００の機能によらず、快適な印刷環境となる印刷サービスを提供することができる。
【０１６１】
さらに、本実施の形態では、データ出力制御端末３００は、携帯端末１００の位置を特定するための携帯端末位置データに基づいて、複数の印刷装置ＰＲのなかからいずれかを選択するようにした。
【０１６２】
これにより、携帯端末１００の位置に関係のある印刷装置ＰＲによりデータが印刷されるので、例えば、携帯端末１００の位置を基準として距離的または時間的に最も近くにあると思われる印刷装置ＰＲを選択するようにすれば、利用者が出力データの提供を受けやすくなり、インターネット４００上の詳細情報をさらに手軽に入手することができる。したがって、サービス提供者は、利用者に対して、さらに高い満足感が得られる情報サービスを提供することができる。
【０１６３】
さらに、本実施の形態では、データ出力制御端末３００は、データ印刷要求に含まれるＵＲＬにより特定されるＷＷＷサーバＤＳからデータを取得するようにした。
【０１６４】
これにより、インターネット４００に接続されるすべてのＷＷＷサーバＤＳにある詳細情報を入手することができる。したがって、サービス提供者は、利用者に対して、さらに高い満足感が得られる情報サービスを提供することができる。
【０１６５】
さらに、本実施の形態では、データ出力制御端末３００は、データ印刷要求に係るデータとして印刷用データをＷＷＷサーバＤＳから取得するようにした。
【０１６６】
これにより、携帯端末１００では大まかな情報が表示され、印刷装置ＰＲでは詳細な情報が印刷されるので、携帯端末１００では、インターネット４００上の詳細情報を入手することができる上に、なお快適な表示処理も実現することができる。したがって、サービス提供者は、利用者に対して、さらに高い満足感が得られる情報サービスを提供することができるとともに、さらに快適な印刷環境となる印刷サービスを提供することができる。
【０１６７】
さらに、本実施の形態では、データ出力制御端末３００は、データフォーマット変換用端末ＣＳで生成したプレビューデータを携帯端末１００に送信し、プレビューデータの出力に対する応答として携帯端末１００からデータ印刷実行要求を受けたときは、データ印刷要求に係るデータを印刷装置ＰＲに出力するようにした。
【０１６８】
これにより、利用者に対して、出力データの提供に先立ってそのプレビューデータを通知することにより、利用者が間違ってデータを印刷してしまうのを防止することができる。したがって、サービス提供者は、利用者に対して、さらに高い満足感が得られる情報サービスを提供することができる。
【０１６９】
さらに、本実施の形態では、データ出力制御端末３００は、データ出力制御端末３００が提供する印刷サービスを携帯端末１００が利用した結果に応じて課金を行うようにした。
【０１７０】
これにより、印刷サービス提供の対価としてのサービス利用料金を明確に算出することができるとともに、印刷サービス提供を受けるごとに逐一サービス利用料金を計算しなくてすむ。したがって、サービス提供者は、サービス提供料金精算のための事務手続きが容易となり、さらには、利用者に対してサービス利用料金を明確に示せるので、さらに高い満足感が得られる情報サービスを提供することができる。
【０１７１】
さらに、本実施の形態では、印刷サービス提供の対価としてのサービス利用料金を通話料金と合算するようにした。
【０１７２】
これにより、利用者は、サービス利用料金の支払いが容易になるとともに、サービス提供者は、サービス利用料金の回収が容易かつ確実になるとともにサービス利用料金精算のための事務手続きがさらに容易になる。
【０１７３】
さらに、本実施の形態では、データ出力制御端末３００は、データフォーマット変換用端末ＣＳで変換したデータを印刷装置ＰＲに出力するようにした。
【０１７４】
これにより、印刷装置ＰＲが新たに増設されても、サービス提供者側でデータフォーマット変換用端末ＣＳの設定を、その新たな印刷装置ＰＲについてのみ変更すればよく、利用者側で何ら設定の変更をしなくても、その新たな印刷装置ＰＲを利用することができる。したがって、サービス提供者は、印刷装置ＰＲの増設に伴う設定作業が容易になり、さらには、利用者に対して、さらに高い満足感が得られる情報サービスを提供することができる。
【０１７５】
さらに、本実施の形態では、データ出力制御端末３００は、携帯端末１００の位置から、決定した印刷装置ＰＲが設置されている設置場所まで利用者を案内するための案内情報を示す案内データを携帯端末１００に送信するようにした。
【０１７６】
これにより、利用者は、案内情報に従って印刷装置ＰＲが設置されている設置場所まで行くことができるので、出力データを比較的確実に入手することができる。したがって、サービス提供者は、利用者に対して、さらに高い満足感が得られる情報サービスを提供することができる。
【０１７７】
さらに、本実施の形態では、データフォーマット変換用端末ＣＳ1〜ＣＳlは、インターネット４００の伝送負荷またはデータフォーマット変換用端末ＣＳの処理負荷に応じて、データフォーマット変換用端末ＣＳ1〜ＣＳlのうちいずれかまたは複数を選択し、選択したデータフォーマット変換用端末ＣＳでデータフォーマット変換処理を実行するようにした。
【０１７８】
これにより、インターネット４００の伝送負荷または処理負荷が小さいデータフォーマット変換用端末ＣＳでデータフォーマット変換処理が実行されるので、インターネット４００の伝送負荷またはデータフォーマット変換用端末ＣＳの処理負荷によらず、出力データの提供を受けるまでに要する時間がおよそ一定となる。したがって、サービス提供者は、利用者に対して、さらに快適な印刷環境となる印刷サービスを提供することができる。
【０１７９】
上記実施の形態において、データ出力制御端末３００は、請求項１、２、５、６、９、１０、１１、１４、１５または１８記載のデータ出力制御装置に対応し、印刷装置ＰＲは、請求項１、５、９、１０、１４または１８記載の出力端末に対応し、ＷＷＷサーバＤＳは、請求項１または１０記載のデータ蓄積端末に対応し、データフォーマット変換用端末ＣＳは、請求項９または１８記載の画像データ生成手段に対応している。
【０１８０】
また、上記実施の形態において、キーパネル４０は、請求項１、２、９、１０、１１または１８記載の入力手段に対応し、送受信制御装置４２は、請求項５、６、１４若しくは１５記載の通信手段または請求項５、６、１４若しくは１５記載の通信路選択手段に対応し、ＬＣＤ４４は、請求項１、２、９、１０、１１または１８記載の表示手段に対応している。
【０１８１】
また、上記実施の形態において、ステップＳ９６は、請求項１、２、１０または１１記載の端末側取得手段に対応し、ステップＳ１０８は、請求項１、２、５、６、１０、１１、１４若しくは１５記載のデータ出力要求発信手段または請求項９若しくは１８記載のデータ印刷要求発信手段に対応し、ステップＳ１２４は、請求項９または１８記載のデータ印刷実行要求発信手段に対応している。
【０１８２】
また、上記実施の形態において、ステップＳ２０４は、請求項１、５、９、１０、１４または１８記載の選択手段に対応し、ステップＳ２１０は、請求項１または１０記載の取得手段に対応し、ステップＳ２２６は、請求項１、５、９、１０、１４または１８記載の出力手段に対応している。
【０１８３】
なお、上記実施の形態においては、携帯端末１００は、ＷＷＷサーバＤＳから取得したデータをＬＣＤ４４に表示するとともにデータ印刷要求項目をその表示用データの末尾に付してＬＣＤ４４に表示し、表示したデータ印刷要求項目が選択されたときは、データ印刷要求をデータ出力制御端末３００に発するように構成したが、これに限らず、ＷＷＷサーバＤＳから取得したデータをＬＣＤ４４に表示するとともにデータ印刷要求項目をその表示用データとは別のメニュー項目としてＬＣＤ４４に表示し、表示したデータ印刷要求項目が選択されたときは、データ印刷要求をデータ出力制御端末３００に発するように構成してもよい。
【０１８４】
これにより、メニュー項目として表示されたデータ印刷要求項目を選択するだけでデータ印刷が行われるので、データ印刷を比較的簡単に行うことができる。
したがって、サービス提供者は、利用者に対して、高い満足感が得られる情報サービスを提供することができる。
【０１８５】
また、上記実施の形態においては、携帯端末１００は、ＷＷＷサーバＤＳから取得したデータをＬＣＤ４４に表示するとともにデータ印刷要求項目をその表示用データの末尾に付してＬＣＤ４４に表示し、表示したデータ印刷要求項目が選択されたときは、データ印刷要求をデータ出力制御端末３００に発するように構成したが、これに限らず、データ印刷要求を入力するための入力ボタンをキーパネル４０の一部として設け、入力ボタンが押下されたときは、データ印刷要求をデータ出力制御端末３００に発するように構成してもよい。
【０１８６】
これにより、入力ボタンを押下するだけでデータ印刷が行われるので、データ印刷を比較的簡単に行うことができる。したがって、サービス提供者は、利用者に対して、高い満足感が得られる情報サービスを提供することができる。
【０１８７】
また、上記実施の形態においては、データ印刷要求には、携帯端末位置データ、印刷対象格納位置データ、提供希望地域データ、印刷仕様データ、印刷フォーマットデータおよび印刷装置識別データを含めるようにしたが、これに限らず、印刷対象格納位置データのみを含めるようにしてもよい。
【０１８８】
これにより、単に、ＷＷＷサーバＤＳから取得したデータをＬＣＤ４４に表示するという機能しか有していない携帯端末であっても、印刷サービスを利用することができる。したがって、サービス提供者は、利用者に対して、携帯端末の機能によらず、印刷サービスを提供することができる。
【０１８９】
また、上記実施の形態においては、データ出力制御端末３００は、携帯端末１００で生成した携帯端末位置データをもとに記憶装置６２の印刷装置位置データを検索するように構成したが、これに限らず、携帯端末１００が接続する基地局２００からの携帯端末１００の位置に関する位置データに基づいて、携帯端末位置データを生成し、生成した携帯端末位置データをもとに記憶装置６２の印刷装置位置データを検索するように構成してもよい。このような構成であっても、上記実施の形態と同等の効果が得られる。
【０１９０】
また、上記実施の形態においては、携帯端末１００は、位置測定装置４６により現在地点の位置を測定し、測定した位置に基づいて携帯端末位置データを生成するように構成したが、これに限らず、携帯端末１００が接続する基地局２００からの携帯端末１００の位置に関する位置データを取得し、取得した位置データに基づいて携帯端末位置データを生成するように構成してもよい。このような構成であっても、上記実施の形態と同等の効果が得られる。
【０１９１】
また、上記実施の形態においては、携帯端末１００の利用者が出力データの提供を受けるのに最適であると思われる印刷装置ＰＲとして、携帯端末の位置を基準として距離的または時間的に最も近くにあると思われる印刷装置ＰＲ、提供希望地域データにより特定される地域にある印刷装置ＰＲ、印刷フォーマットデータに該当する印刷装置ＰＲ、印刷仕様データに該当する印刷装置ＰＲ、および印刷装置識別データと一致する印刷装置ＰＲを選択するように構成したが、これに限らず、さらに例えば、印刷装置ＰＲのデータ出力速度を考慮して利用者が時間的に最も早く出力データの提供を受けることができると思われる印刷装置ＰＲ、または出力データの提供に対する対価が最も安い印刷装置ＰＲを選択するように構成してもよい。
【０１９２】
前者の構成であれば、利用者が時間的に最も早く出力データの提供を受けることができると思われる印刷装置ＰＲにおいてデータ印刷要求に係るデータが印刷されるので、利用者の目的に合った出力データの提供を受けられることとなり、インターネット４００上の詳細情報をさらに手軽に入手することができる。したがって、サービス提供者は、利用者に対して、さらに高い満足感が得られる情報サービスを提供することができる。
【０１９３】
後者の構成であれば、出力データの提供に対する対価が最も安い印刷装置ＰＲにおいてデータ印刷要求に係るデータが印刷されるので、利用者の目的に合った出力データの提供を受けられることとなり、インターネット４００上の詳細情報をさらに手軽に入手することができる。したがって、サービス提供者は、利用者に対して、さらに高い満足感が得られる情報サービスを提供することができる。
【０１９４】
また、上記実施の形態においては、データを印刷する印刷装置ＰＲ1〜ＰＲnを設け、携帯端末１００からのデータ印刷要求に係るデータをいずれかの印刷装置ＰＲで印刷するように構成したが、これに限らず、例えば、データを表示しまたは音声等として出力する出力装置を設け、携帯端末１００からのデータ出力要求に係るデータをいずれかの出力装置で出力するように構成してもよい。
【０１９５】
また、上記実施の形態においては、データフォーマット変換用端末ＣＳでプレビューデータを生成するように構成したが、これに限らず、データ出力制御端末３００でプレビューデータを生成するように構成してもよい。
【０１９６】
また、上記実施の形態においては、データフォーマット変換用端末ＣＳ1〜ＣＳlは、インターネット４００の伝送負荷またはデータフォーマット変換用端末ＣＳの処理負荷に応じて、データフォーマット変換用端末ＣＳ1〜ＣＳlのうちいずれかまたは複数を選択し、選択したデータフォーマット変換用端末ＣＳでデータフォーマット変換処理を実行するように構成したが、これに限らず、特定のデータフォーマット変換用端末でデータフォーマット変換処理を実行するように構成してもよい。
【０１９７】
また、上記実施の形態において、図４および図６のフローチャートに示す処理を実行するにあたっては、特定のデータ出力制御端末３００で行うように構成したが、これに限らず、データフォーマット変換用端末ＣＳ1〜ＣＳlにみるように、複数のデータ出力制御用端末を設けておき、インターネット４００の伝送負荷またはデータ出力制御用端末の処理負荷に応じて、複数のデータ出力制御用端末のうちいずれかを選択し、選択したデータ出力制御用端末で行うように構成してもよい。
【０１９８】
このような構成であれば、インターネット４００の伝送負荷または処理負荷が小さいデータ出力制御用端末で図４および図６のフローチャートに示す処理が実行されるので、インターネット４００の伝送負荷またはデータ出力制御端末の処理負荷によらず、出力データの提供を受けるまでに要する時間がおよそ一定となる。したがって、サービス提供者は、利用者に対して、さらに快適な印刷環境となる印刷サービスを提供することができる。
【０１９９】
また、上記実施の形態においては、本発明に係る携帯端末およびデータ出力制御システムを、インターネット４００に適用した場合を説明したが、これに限らず、もちろんインターネット４００以外のネットワークにも適用することができる。
【０２００】
また、上記実施の形態においては、携帯端末１００と、データフォーマット変換用端末ＣＳ1〜ＣＳlと、ＷＷＷサーバＤＳ1〜ＤＳmと、印刷装置ＰＲ1〜ＰＲnと、データ出力制御端末３００とを同一のネットワークを介して接続したが、これに限らず、データ出力制御端末３００と携帯端末１００、データ出力制御端末３００とデータフォーマット変換用端末ＣＳ1〜ＣＳl、データ出力制御端末３００とＷＷＷサーバＤＳ1〜ＤＳm、およびデータ出力制御端末３００と印刷装置ＰＲ1〜ＰＲnをそれぞれ異なるネットワークを介して接続してもよい。
【０２０１】
また、上記実施の形態において、図４および図６のフローチャートに示す処理を実行するにあたってはいずれも、ＲＯＭ３２，５２にあらかじめ格納されている制御プログラムを実行する場合について説明したが、これに限らず、これらの手順を示したプログラムが記憶された記憶媒体から、そのプログラムをＲＡＭ３４，５４に読み込んで実行するようにしてもよい。
【０２０２】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０２０３】
また、上記実施の形態においては、本発明に係る携帯端末およびデータ出力制御システムを、図２に示すように、データ出力制御端末３００により、サービス提供者が、利用者からのデータの印刷要求に応じて、そのデータ印刷要求に係るデータをＷＷＷサーバＤＳ1〜ＤＳmのうちいずれかから取得して印刷装置ＰＲ1〜ＰＲnのうちいずれかに出力するというサービスを提供する場合について適用したが、これに限らず、本発明の主旨を逸脱しない範囲で他の場合にも適用可能である。
【図面の簡単な説明】
【０２０４】
【図１】図１は、本発明に係る請求項１および９記載の携帯端末並びに請求項１０および１８記載のデータ出力制御システムの構成を示す概念図である。
【図２】図２は、本発明に係る携帯端末およびデータ出力制御システムを適用するネットワークシステムの構成を示すブロック図である。
【図３】図３は、携帯端末１００の構成を示すブロック図である。
【図４】図４は、データ印刷要求処理を示すフローチャートである。
【図５】図５は、データ出力制御端末３００の構成を示すブロック図である。
【図６】図６は、データ出力制御処理を示すフローチャートである。
【符号の説明】
【０２０５】
１０…データ出力制御装置、１１…取得手段、１２…選択手段、１３…出力手段、１４…画像データ生成手段、１５…出力端末、１６…データ蓄積端末、２０，１００…携帯端末、２１…端末側取得手段、２２…表示手段、２３，２７…入力手段、２４…データ出力要求発信手段、２５…通信手段、２６…通信路選択手段、２８…データ印刷実行要求発信手段、３０，５０…ＣＰＵ、３２，５２…ＲＯＭ、３４，５４…ＲＡＭ、３５，５５…ＶＲＡＭ、３６…ＬＣＤＣ、３８，５８…Ｉ／Ｆ、３９，５９…バス、４０…キーパネル、４２…送受信制御装置、４２ａ…長距離通信装置、４２ｂ…短距離通信装置、４４…ＬＣＤ、４６…位置測定装置、５６…ＣＲＴＣ、６０…入力装置、６２…記憶装置、６４…表示装置、３００…データ出力制御端末、４００…インターネット、ＣＳ…データフォーマット変換用端末、ＤＳ…ＷＷＷサーバ、ＰＲ，ＰＲ１〜ＰＲｎ…印刷装置。
【図１】
2007026466.tif 000003
【図２】
2007026466.tif 000004
【図３】
2007026466.tif 000005
【図４】
2007026466.tif 000006
【図５】
2007026466.tif 000007
【図６】
2007026466.tif 000008
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
利用者が所持しデータの出力要求を発する携帯可能な携帯端末と、各地に点在して設置
されデータを出力する複数の出力端末とにネットワークを介して通信可能に接続し、前記
複数の出力端末のなかからいずれかを選択する選択手段と、前記データ出力要求に係るデ
ータを前記選択手段で選択した出力端末に適合するデータフォーマットに変換して出力す
る出力制御手段とを備えるデータ出力制御装置を利用する当該携帯端末であって、
異なる通信方式により前記データ出力制御装置と通信を行う複数の通信手段と、前記複
数の通信手段のうち前記データ出力制御装置と現在通信可能な通信手段を選択する通信路
選択手段と、前記通信路選択手段で選択した通信手段により前記データ出力要求を前記デ
ータ出力制御装置に発するデータ出力要求発信手段とを備えることを特徴とする携帯端末
。
【請求項２】
前記通信路選択手段及び前記データ出力要求発信手段は、前記複数の通信手段のうちい
ずれかの通信手段により前記データ出力要求を前記データ出力制御装置に発し、前記デー
タ出力制御装置との通信に失敗したときは、前記複数の通信手段のうち他の通信手段によ
り前記データ出力要求を前記データ出力制御装置に発するようになっていることを特徴と
する請求項１に記載の携帯端末。
【請求項３】
長距離無線ＬＡＮ（Local-Area Network）及び短距離無線ＬＡＮの少なくとも一方を前
記通信手段として有することを特徴とする請求項１又は請求項２に記載の携帯端末。
【請求項４】
利用者が所持しデータの印刷要求を発する携帯可能な携帯端末と、各地に点在して設置
されデータを印刷する複数の出力端末とにネットワークを介して通信可能に接続し、前記
複数の出力端末のなかからいずれかを選択する選択手段と、前記データ印刷要求に係るデ
ータが前記選択手段で選択した出力端末で印刷されたときのイメージ画像である前記携帯
端末で表示可能なイメージ画像データを生成する画像データ生成手段と、前記データ印刷
要求に係るデータを前記選択手段で選択した出力端末に適合するデータフォーマットに変
換して出力する出力制御手段とを備え、前記出力手段は、前記画像データ生成手段で生成
したイメージ画像データを前記携帯端末に出力し、前記イメージ画像データの出力に対す
る応答として前記携帯端末からデータ印刷実行要求を受けたときは、前記データ印刷要求
に係るデータを前記選択手段で選択した出力端末に出力するようになっているデータ出力
制御装置を利用する当該携帯端末であって、
前記データ印刷要求を前記データ出力制御装置に発するデータ印刷要求発信手段と、前
記データ出力制御装置からのイメージ画像データを表示する表示手段と、前記表示手段に
表示されたイメージ画像データが複数のデータから構成されるときはそれらのうち印刷を
希望する部分の指定を入力するための入力手段と、前記データ印刷実行要求を前記データ
出力制御装置に発するデータ印刷実行要求発信手段とを備え、
前記データ印刷実行要求発信手段は、前記入力手段による入力があったときは、前記入
力手段で入力した指定部分を印刷する要求を含むデータ印刷実行要求を前記データ出力制
御装置に発するようになっていることを特徴とする携帯端末。
【請求項５】
利用者が所持しデータの出力要求を発する携帯可能な携帯端末と、前記携帯端末からの
データ出力要求を受けてそのデータ出力要求に係るデータの出力制御を行うデータ出力制
御装置とを含んで構成されるシステムであって、
前記データ出力制御装置は、前記携帯端末と、各地に点在して設置されデータを出力す
る複数の出力端末とにネットワークを介して通信可能に接続し、
前記複数の出力端末のなかからいずれかを選択する選択手段と、前記データ出力要求に
係るデータを前記選択手段で選択した出力端末に適合するデータフォーマットに変換して
出力する出力制御手段とを備え、
前記携帯端末は、異なる通信方式により前記データ出力制御装置と通信を行う複数の通
信手段と、前記複数の通信手段のうち前記データ出力制御装置と現在通信可能な通信手段
を選択する通信路選択手段と、前記通信路選択手段で選択した通信手段により前記データ
出力要求を前記データ出力制御装置に発するデータ出力要求発信手段とを備えることを特
徴とするデータ出力制御システム。
【請求項６】
前記通信路選択手段及び前記データ出力要求発信手段は、前記複数の通信手段のうちい
ずれかの通信手段により前記データ出力要求を前記データ出力制御装置に発し、前記デー
タ出力制御装置との通信に失敗したときは、前記複数の通信手段のうち他の通信手段によ
り前記データ出力要求を前記データ出力制御装置に発するようになっていることを特徴と
する請求項５に記載のデータ出力制御システム。
【請求項７】
前記携帯端末は、長距離無線ＬＡＮ（Local-Area Network）及び短距離無線ＬＡＮの少
なくとも一方を前記通信手段として有することを特徴とする請求項５又は請求項６に記載
のデータ出力制御システム。
【請求項８】
利用者が所持しデータの出力要求を発する携帯可能な携帯端末と、前記携帯端末からの
データ出力要求を受けてそのデータ出力要求に係るデータの出力制御を行うデータ出力制
御装置とを含んで構成されるシステムであって、
前記データ出力制御装置は、前記携帯端末と、各地に点在して設置されデータを印刷す
る複数の出力端末とにネットワークを介して通信可能に接続し、
前記複数の出力端末のなかからいずれかを選択する選択手段と、前記データ印刷要求に
係るデータが前記選択手段で選択した出力端末で印刷されたときのイメージ画像である前
記携帯端末で表示可能なイメージ画像データを生成する画像データ生成手段と、前記デー
タ印刷要求に係るデータを前記選択手段で選択した出力端末に適合するデータフォーマッ
トに変換して出力する出力制御手段とを備え、
前記出力手段は、前記画像データ生成手段で生成したイメージ画像データを前記携帯端
末に出力し、前記イメージ画像データの出力に対する応答として前記携帯端末からデータ
印刷実行要求を受けたときは、前記データ印刷要求に係るデータを前記選択手段で選択し
た出力端末に出力するようになっており、
前記携帯端末は、前記データ印刷要求を前記データ出力制御装置に発するデータ印刷要
求発信手段と、前記データ出力制御装置からのイメージ画像データを表示する表示手段と
、前記表示手段に表示されたイメージ画像データが複数のデータから構成されるときはそ
れらのうち印刷を希望する部分の指定を入力するための入力手段と、前記データ印刷実行
要求を前記データ出力制御装置に発するデータ印刷実行要求発信手段とを備え、
前記データ印刷実行要求発信手段は、前記入力手段による入力があったときは、前記入
力手段で入力した指定部分を印刷する要求を含むデータ印刷実行要求を前記データ出力制
御装置に発するようになっていることを特徴とするデータ出力制御システム。
【手続補正２】
【補正対象書類名】明細書
【補正対象項目名】全文
【補正方法】変更
【補正の内容】
【発明の詳細な説明】
【技術分野】
【０００１】
本発明は、利用者が所持する携帯端末と、各地に点在して設置された複数の印刷装置と
にネットワークを介して通信可能に接続し、携帯端末からのデータ印刷要求を受け、その
データ印刷要求に係るデータをいずれかの印刷装置に出力するシステムおよび端末に係り
、特に、ネットワーク上の詳細情報を手軽に入手するのに好適な携帯端末およびデータ出
力制御システムに関する。
【背景技術】
【０００２】
近年、インターネットの情報は、例えば、ＮＴＴ移動通信網株式会社（ＮＴＴ  ＤｏＣ
ｏＭｏ）が提供するｉモード（登録商標）を利用することにより、どこでも手軽に入手す
ることができる。
【発明の開示】
【発明が解決しようとする課題】
【０００３】
しかしながら、こうした携帯端末は、インターネットの情報をどこでも手軽に入手する
ことができる反面、携帯端末の小型化や省力化を図る等の理由から表示手段が簡易な構成
となっているため、表示される情報は、通常のパソコンで表示するものに比してかなり簡
素化されたものであり、利用者が十分に満足できる情報提供を実現しているとは言い難か
った。
【０００４】
したがって、携帯端末の小型化や省力化を維持しつつ、詳細な情報を入手するためには
、携帯端末と印刷装置とを組み合わせて、大まかな情報は携帯端末で表示し、詳細な情報
は印刷装置で印刷するという形態を提案することができる。しかし、このように携帯端末
と印刷装置とを組み合わせた形態では、技術的に解決しなければならない、いくつかの問
題がある。
【０００５】
例えば、印刷装置は大型であるため携帯端末に付随して持ち運ぶのが困難であることか
ら、詳細情報を印刷するには、通常、家庭やオフィスに設置された印刷装置を利用するこ
とが考えられる。しかし、固定された特定の印刷装置を利用するのでは、情報をどこでも
手軽に入手できるとは言い難く、これを実現するためには、印刷装置を携帯可能な程度ま
で小型化するか、あるいは任意の印刷装置を利用できるようにする必要がある。前者の場
合は、現段階では技術的に達成するのがきわめて困難であり、現実的ではない。後者の場
合は、印刷装置ごとに固有のドライバが必要であることから、利用しようとするすべての
印刷装置のドライバを携帯端末に組み込まなければならず、やはり現実的ではない。
【０００６】
そこで、本発明は、このような従来の技術の有する未解決の課題に着目してなされたも
のであって、ネットワーク上の詳細情報を手軽に入手するのに好適な携帯端末およびデー
タ出力制御システムを提供することを目的としている。
【課題を解決するための手段】
【０００７】
上記目的を達成するために、本発明に係る携帯端末並びにデータ出力制御システムを提
案することができる。以下、本発明に係る携帯端末並びにデータ出力制御システムの構成
を説明する。  
【０００８】
本願は発明の携帯端末は、
利用者が所持しデータの出力要求を発する携帯可能な携帯端末と、各地に点在して設置
されデータを出力する複数の出力端末とにネットワークを介して通信可能に接続し、前記
複数の出力端末のなかからいずれかを選択する選択手段と、前記データ出力要求に係るデ
ータを前記選択手段で選択した出力端末に適合するデータフォーマットに変換して出力す
る出力制御手段とを備えるデータ出力制御装置を利用する当該携帯端末であって、
異なる通信方式により前記データ出力制御装置と通信を行う複数の通信手段と、前記複
数の通信手段のうち前記データ出力制御装置と現在通信可能な通信手段を選択する通信路
選択手段と、前記通信路選択手段で選択した通信手段により前記データ出力要求を前記デ
ータ出力制御装置に発するデータ出力要求発信手段とを備えることを特徴とする。
【０００９】
本願は発明の携帯端末は、
前記通信路選択手段及び前記データ出力要求発信手段は、前記複数の通信手段のうちい
ずれかの通信手段により前記データ出力要求を前記データ出力制御装置に発し、前記デー
タ出力制御装置との通信に失敗したときは、前記複数の通信手段のうち他の通信手段によ
り前記データ出力要求を前記データ出力制御装置に発するようになっていることを特徴と
する。
【００１０】
本願発明の携帯端末は、
長距離無線ＬＡＮ（Local-Area Network）及び短距離無線ＬＡＮの少なくとも一方を前
記通信手段として有することを特徴とする。
【００１１】
本願発明の携帯端末は、
利用者が所持しデータの印刷要求を発する携帯可能な携帯端末と、各地に点在して設置
されデータを印刷する複数の出力端末とにネットワークを介して通信可能に接続し、前記
複数の出力端末のなかからいずれかを選択する選択手段と、前記データ印刷要求に係るデ
ータが前記選択手段で選択した出力端末で印刷されたときのイメージ画像である前記携帯
端末で表示可能なイメージ画像データを生成する画像データ生成手段と、前記データ印刷
要求に係るデータを前記選択手段で選択した出力端末に適合するデータフォーマットに変
換して出力する出力制御手段とを備え、前記出力手段は、前記画像データ生成手段で生成
したイメージ画像データを前記携帯端末に出力し、前記イメージ画像データの出力に対す
る応答として前記携帯端末からデータ印刷実行要求を受けたときは、前記データ印刷要求
に係るデータを前記選択手段で選択した出力端末に出力するようになっているデータ出力
制御装置を利用する当該携帯端末であって、
前記データ印刷要求を前記データ出力制御装置に発するデータ印刷要求発信手段と、前
記データ出力制御装置からのイメージ画像データを表示する表示手段と、前記表示手段に
表示されたイメージ画像データが複数のデータから構成されるときはそれらのうち印刷を
希望する部分の指定を入力するための入力手段と、前記データ印刷実行要求を前記データ
出力制御装置に発するデータ印刷実行要求発信手段とを備え、
前記データ印刷実行要求発信手段は、前記入力手段による入力があったときは、前記入
力手段で入力した指定部分を印刷する要求を含むデータ印刷実行要求を前記データ出力制
御装置に発するようになっていることを特徴とする。
【００１２】
本願発明のデータ出力制御システムは、
利用者が所持しデータの出力要求を発する携帯可能な携帯端末と、前記携帯端末からの
データ出力要求を受けてそのデータ出力要求に係るデータの出力制御を行うデータ出力制
御装置とを含んで構成されるシステムであって、
前記データ出力制御装置は、前記携帯端末と、各地に点在して設置されデータを出力す
る複数の出力端末とにネットワークを介して通信可能に接続し、
前記複数の出力端末のなかからいずれかを選択する選択手段と、前記データ出力要求に
係るデータを前記選択手段で選択した出力端末に適合するデータフォーマットに変換して
出力する出力制御手段とを備え、
前記携帯端末は、異なる通信方式により前記データ出力制御装置と通信を行う複数の通
信手段と、前記複数の通信手段のうち前記データ出力制御装置と現在通信可能な通信手段
を選択する通信路選択手段と、前記通信路選択手段で選択した通信手段により前記データ
出力要求を前記データ出力制御装置に発するデータ出力要求発信手段とを備えることを特
徴とする。
【００１３】
本願発明のデータ出力制御システムは、
前記通信路選択手段及び前記データ出力要求発信手段は、前記複数の通信手段のうちい
ずれかの通信手段により前記データ出力要求を前記データ出力制御装置に発し、前記デー
タ出力制御装置との通信に失敗したときは、前記複数の通信手段のうち他の通信手段によ
り前記データ出力要求を前記データ出力制御装置に発するようになっていることを特徴と
する。
【００１４】
本願発明のデータ出力制御システムは、
前記携帯端末は、長距離無線ＬＡＮ（Local-Area Network）及び短距離無線ＬＡＮの少
なくとも一方を前記通信手段として有することを特徴とする。
【００１５】
本願発明のデータ出力制御システムは、
利用者が所持しデータの出力要求を発する携帯可能な携帯端末と、前記携帯端末からの
データ出力要求を受けてそのデータ出力要求に係るデータの出力制御を行うデータ出力制
御装置とを含んで構成されるシステムであって、
前記データ出力制御装置は、前記携帯端末と、各地に点在して設置されデータを印刷す
る複数の出力端末とにネットワークを介して通信可能に接続し、
前記複数の出力端末のなかからいずれかを選択する選択手段と、前記データ印刷要求に
係るデータが前記選択手段で選択した出力端末で印刷されたときのイメージ画像である前
記携帯端末で表示可能なイメージ画像データを生成する画像データ生成手段と、前記デー
タ印刷要求に係るデータを前記選択手段で選択した出力端末に適合するデータフォーマッ
トに変換して出力する出力制御手段とを備え、
前記出力手段は、前記画像データ生成手段で生成したイメージ画像データを前記携帯端
末に出力し、前記イメージ画像データの出力に対する応答として前記携帯端末からデータ
印刷実行要求を受けたときは、前記データ印刷要求に係るデータを前記選択手段で選択し
た出力端末に出力するようになっており、
前記携帯端末は、前記データ印刷要求を前記データ出力制御装置に発するデータ印刷要
求発信手段と、前記データ出力制御装置からのイメージ画像データを表示する表示手段と
、前記表示手段に表示されたイメージ画像データが複数のデータから構成されるときはそ
れらのうち印刷を希望する部分の指定を入力するための入力手段と、前記データ印刷実行
要求を前記データ出力制御装置に発するデータ印刷実行要求発信手段とを備え、
前記データ印刷実行要求発信手段は、前記入力手段による入力があったときは、前記入
力手段で入力した指定部分を印刷する要求を含むデータ印刷実行要求を前記データ出力制
御装置に発するようになっていることを特徴とする。
【００１６】
本発明に係る携帯端末２０は、図１に示すように、利用者が所持しデータの出力要求を発する携帯可能な携帯端末２０と、各地に点在して設置されデータを出力する複数の出力端末１５と、データを蓄積するデータ蓄積端末１６とにネットワークを介して通信可能に接続し、前記データ出力要求に係るデータを前記データ蓄積端末１６から取得する取得手段１１と、前記複数の出力端末１５のなかからいずれかを選択する選択手段１２と、前記取得手段１１で取得したデータを前記選択手段１２で選択した出力端末１５に出力する出力手段１３とを備えるデータ出力制御装置１０を利用する当該携帯端末であって、前記データ蓄積端末１６からデータを取得する端末側取得手段２１と、前記端末側取得手段２１で取得したデータを表示する表示手段２２と、前記表示手段２２で表示したデータの出力要求を入力するための入力手段２３と、前記入力手段２３で入力したデータ出力要求を前記データ出力制御装置１０に発するデータ出力要求発信手段２４とを備える。
このような構成であれば、携帯端末２０では、端末側取得手段２１により、データ蓄積
端末１６からデータが取得され、表示手段２２により、取得されたデータが表示される。
そして、表示されたデータの出力要求が入力手段２３から入力されると、データ出力要求
発信手段２４により、入力されたデータ出力要求がデータ出力制御装置１０に発せられる
。
データ出力制御装置１０では、携帯端末２０からデータ出力要求を受けると、取得手段
１１により、そのデータ出力要求に係るデータがデータ蓄積端末１６から取得され、選択
手段１２により、複数の出力端末１５のうちいずれかが選択され、出力手段１３により、
取得されたデータが、選択された出力端末１５に出力される。そして、出力端末１５によ
り、そのデータが出力される。
ここで、選択手段１２は、複数の出力端末１５のなかかからいずれかを選択するように
なっていればどのような構成であってもよいが、具体的には、携帯端末２０の利用者が出
力データの提供を受けるのに最適であると思われる出力端末１５を選択するようになって
いる。この場合、携帯端末２０の利用者が出力データの提供を受けるのに最適であると思
われる出力端末１５としては、例えば、携帯端末２０の位置を基準として距離的または時
間的に最も近くにあると思われる出力端末１５、携帯端末２０の利用者の目的地を基準と
して距離的または時間的に最も近くにあると思われる出力端末１５、出力端末１５のデー
タ出力速度を考慮して利用者が時間的に最も早く出力データの提供を受けることができる
と思われる出力端末１５、または出力データの提供に対する対価が最も安い出力端末１５
が挙げられる。以下、前述した携帯端末２０またはデータ出力制御システムと同様である
。
また、出力端末１５は、データを出力するようになっていればどのような構成であって
もよく、これには、例えば、データを表示する表示手段、データを音声等として出力する
音出力手段、またはデータを印刷する印刷手段を備えたものが含まれる。以下、前述した
携帯端末２０またはデータ出力制御システムと同様である。
さらに、本発明に係る携帯端末２０は、図１に示すように、携帯端末２０において、前
記入力手段２３への入力を促すための入力項目を前記端末側取得手段２１で取得したデー
タに付して前記表示手段２２に表示し、前記データ出力要求発信手段２４は、前記入力手
段２３による入力として前記入力項目が選択されたときは、前記表示手段２２で表示した
データの出力要求を前記データ出力制御装置１０に発するようになっている。
このような構成であれば、携帯端末２０では、表示手段２２により、取得されたデータ
が表示されるとともに、入力手段２３への入力を促すための入力項目が、取得されたデー
タに付されて表示される。そして、入力項目が選択されると、データ出力要求発信手段２
４により、表示されたデータの出力要求がデータ出力制御装置１０に発せられる。
さらに、本発明に係る携帯端末２０は、図１に示すように、携帯端末２０において、前
記入力手段２３への入力を促すための入力項目を前記端末側取得手段２１で取得したデー
タとは別のメニュー項目として前記表示手段２２に表示し、前記データ出力要求発信手段
２４は、前記入力手段２３による入力として前記入力項目が選択されたときは、前記表示
手段２２で表示したデータの出力要求を前記データ出力制御装置１０に発するようになっ
ている。
このような構成であれば、携帯端末２０では、表示手段２２により、取得されたデータ
が表示され、入力手段２３への入力を促すための入力項目がメニュー項目として表示され
る。そして、入力項目が選択されると、データ出力要求発信手段２４により、表示された
データの出力要求がデータ出力制御装置１０に発せられる。
さらに、本発明に係る携帯端末２０は、図１に示すように、携帯端末２０において、デ
ータ出力要求を入力するための入力ボタンを前記入力手段２３として設けた。
このような構成であれば、携帯端末２０では、入力ボタンが押下されると、表示された
データの出力要求がデータ出力制御装置１０に発せられる。
さらに、本発明に係る携帯端末２０は、図１に示すように、利用者が所持しデータの出
力要求を発する携帯可能な携帯端末２０と、各地に点在して設置されデータを出力する複
数の出力端末１５とにネットワークを介して通信可能に接続し、前記複数の出力端末１５
のなかからいずれかを選択する選択手段１２と、前記データ出力要求に係るデータを前記
選択手段１２で選択した出力端末１５に出力する出力手段１３とを備えるデータ出力制御
装置１０を利用する当該携帯端末であって、異なる通信方式により前記データ出力制御装
置１０と通信を行う複数の通信手段２５と、前記複数の通信手段２５のうち前記データ出
力制御装置１０と現在通信可能な通信手段２５を選択する通信路選択手段２６と、前記通
信路選択手段２６で選択した通信手段２５により前記データ出力要求を前記データ出力制
御装置１０に発するデータ出力要求発信手段２４とを備える。
このような構成であれば、携帯端末２０では、通信路選択手段２６により、複数の通信
手段２５のうちデータ出力制御装置１０と現在通信可能な通信手段２５が選択され、デー
タ出力要求発信手段２４によって、選択された通信手段２５によりデータ出力要求がデー
タ出力制御装置１０に発せられる。
データ出力制御装置１０では、携帯端末２０からデータ出力要求を受けると、選択手段
１２により、複数の出力端末１５のうちいずれかが選択され、出力手段１３により、デー
タ出力要求に係るデータが、選択された出力端末１５に出力される。そして、出力端末１
５により、そのデータが出力される。
ここで、データ出力要求に係るデータは、例えば、携帯端末２０から受信することによ
り得るようにしてもよいし、当該データ出力制御装置１０および携帯端末２０以外のとこ
ろから取得することにより得るようにしてもよい。後者の場合、より具体的には、次のよ
うな構成が挙げられる。すなわち、前記データ出力制御装置１０は、さらに、データを蓄
積するデータ蓄積端末１６にネットワークを介して通信可能に接続し、前記データ出力要
求に係るデータを前記データ蓄積端末１６から取得する取得手段１１を備え、前記出力手
段１３は、前記取得手段１１で取得したデータを前記選択手段１２で選択した出力端末１
５に出力するようになっている。以下、前述したデータ出力制御システムと同様である。
このような構成であれば、データ出力制御装置１０では、携帯端末２０からデータ出力
要求を受けると、取得手段１１により、データ出力要求に係るデータがデータ蓄積端末１
６から取得され、出力手段１３により、取得されたデータが選択手段１２で選択された出
力端末１５に出力される。
さらに、本発明に係る携帯端末２０は、図１に示すように、携帯端末２０において、前
記通信路選択手段２６および前記データ出力要求発信手段２４は、前記複数の通信手段２
５のうちいずれかの通信手段２５により前記データ出力要求を前記データ出力制御装置１
０に発し、前記データ出力制御装置１０との通信に失敗したときは、前記複数の通信手段
２５のうち他の通信手段２５により前記データ出力要求を前記データ出力制御装置１０に
発するようになっている。
このような構成であれば、携帯端末２０では、通信路選択手段２６およびデータ出力要
求発信手段２４によって、複数の通信手段２５のうちいずれかの通信手段２５によりデー
タ出力要求がデータ出力制御装置１０に発せられ、データ出力制御装置１０との通信に失
敗したときは、複数の通信手段２５のうち他の通信手段２５によりデータ出力要求がデー
タ出力制御装置１０に発せられる。
さらに、本発明に係る携帯端末２０は、図１に示すように、携帯端末２０において、長
距離無線ＬＡＮ（Local-Area Network）および短距離無線ＬＡＮの少なくとも一方を前記
通信手段２５として有する。
このような構成であれば、携帯端末２０では、通信路選択手段２６により、長距離無線
ＬＡＮまたは短距離無線ＬＡＮが通信手段２５として選択されると、データ出力要求発信
手段２４によって、長距離無線ＬＡＮまたは短距離無線ＬＡＮによりデータ出力要求がデ
ータ出力制御装置１０に発せられる。
さらに、本発明に係る携帯端末２０は、図１に示すように、利用者が所持しデータの出
力要求を発する携帯可能な携帯端末２０と、各地に点在して設置されデータを出力する複
数の出力端末１５と、データを蓄積する複数のデータ蓄積端末１６とにネットワークを介
して通信可能に接続し、前記データ出力要求に含まれる前記データ蓄積端末１６でのデー
タの格納位置を特定するための出力対象格納位置データにより特定されるデータ蓄積端末
１６から当該データ出力要求に係るデータを取得する取得手段１１と、前記複数の出力端
末１５のなかからいずれかを選択する選択手段１２と、前記取得手段１１で取得したデー
タを前記選択手段１２で選択した出力端末１５に出力する出力手段１３とを備えるデータ
出力制御装置１０を利用する当該携帯端末であって、前記データ蓄積端末１６からデータ
を取得する端末側取得手段２１と、前記端末側取得手段２１で取得したデータを表示する
表示手段２２と、前記端末側取得手段２１で取得したデータの前記データ蓄積端末１６で
の格納位置を特定するための出力対象格納位置データのみを含むデータ出力要求を前記デ
ータ出力制御装置１０に発するデータ出力要求発信手段２４とを備える。
このような構成であれば、携帯端末２０では、端末側取得手段２１により、データ蓄積
端末１６からデータが取得され、表示手段２２により、取得されたデータが表示される。
そして、データ出力発信手段により、出力対象格納位置データのみを含むデータ出力要求
がデータ出力制御装置１０に発せられる。
データ出力制御装置１０では、携帯端末２０からデータ出力要求を受けると、取得手段
１１により、そのデータ出力要求に含まれる出力対象格納位置データにより特定されるデ
ータ蓄積端末１６からそのデータ出力要求に係るデータが取得され、選択手段１２により
、複数の出力端末１５のうちいずれかが選択され、出力手段１３により、取得されたデー
タが、選択された出力端末１５に出力される。そして、出力端末１５により、そのデータ
が出力される。
さらに、本発明に係る携帯端末２０は、図１に示すように、利用者が所持しデータの印
刷要求を発する携帯可能な携帯端末２０と、各地に点在して設置されデータを印刷する複
数の出力端末１５とにネットワークを介して通信可能に接続し、前記複数の出力端末１５
のなかからいずれかを選択する選択手段１２と、前記データ印刷要求に係るデータが前記
選択手段１２で選択した出力端末１５で印刷されたときのイメージ画像である前記携帯端
末２０で表示可能なイメージ画像データを生成する画像データ生成手段１４と、前記デー
タ印刷要求に係るデータを前記選択手段１２で選択した出力端末１５に出力する出力手段
１３とを備え、前記出力手段１３は、前記画像データ生成手段１４で生成したイメージ画
像データを前記携帯端末２０に出力し、前記イメージ画像データの出力に対する応答とし
て前記携帯端末２０からデータ印刷実行要求を受けたときは、前記データ印刷要求に係る
データを前記選択手段１２で選択した出力端末１５に出力するようになっているデータ出
力制御装置１０を利用する当該携帯端末であって、前記データ印刷要求を前記データ出力
制御装置１０に発するデータ出力要求発信手段２４と、前記データ出力制御装置１０から
のイメージ画像データを表示する表示手段２２と、前記表示手段２２に表示されたイメー
ジ画像データが複数のデータから構成されるときはそれらのうち印刷を希望する部分の指
定を入力するための入力手段２７と、前記データ印刷実行要求を前記データ出力制御装置
１０に発するデータ印刷実行要求発信手段２８とを備え、前記データ印刷実行要求発信手
段２８は、前記入力手段２７による入力があったときは、前記入力手段２７で入力した指
定部分を印刷する要求を含むデータ印刷実行要求を前記データ出力制御装置１０に発する
ようになっている。
このような構成であれば、携帯端末２０では、データ出力要求発信手段２４により、デ
ータ印刷要求がデータ出力制御装置１０に出力される。
データ出力制御装置（１０）では、携帯端末２０からデータ印刷要求を受けると、選択
手段１２により、複数の出力端末１５のなかからいずれかが選択され、画像データ生成手
段１４により、データ印刷要求に係るデータがその選択された出力端末１５で印刷された
ときのイメージ画像であるイメージ画像データが生成され、出力手段１３により、生成さ
れたイメージ画像データが携帯端末２０に出力される。
携帯端末２０では、データ出力制御装置１０からイメージ画像データを受けると、表示
手段２２により、そのイメージ画像データが表示される。このとき、表示されたイメージ
画像データが複数のデータから構成されるときは、それらのうち印刷を希望する部分の指
定が入力手段２７から入力されると、データ印刷実行要求発信手段２８により、その指定
部分を印刷する要求を含むデータ印刷実行要求がデータ出力制御装置１０に発せられる。
データ出力制御装置１０では、携帯端末２０からデータ印刷実行要求を受けると、出力
手段１３により、そのデータ印刷要求に係るデータが選択手段１２で選択された出力端末
１５に出力される。そして、出力端末１５により、そのデータが印刷される。
ここで、データ印刷要求に係るデータは、例えば、携帯端末２０から受信することによ
り得るようにしてもよいし、当該データ出力制御装置１０および携帯端末２０以外のとこ
ろから取得することにより得るようにしてもよい。後者の場合、より具体的には、次のよ
うな構成が挙げられる。すなわち、前記データ出力制御装置１０は、さらに、データを蓄
積するデータ蓄積端末１６にネットワークを介して通信可能に接続し、前記データ印刷要
求に係るデータを前記データ蓄積端末１６から取得する取得手段１１を備え、前記出力手
段１３は、前記取得手段１１で取得したデータを前記選択手段１２で選択した出力端末１
５に出力するようになっている。以下、前述したデータ出力制御システムと同様である。
このような構成であれば、データ出力制御装置１０では、携帯端末２０からデータ印刷
要求を受けると、取得手段１１により、データ印刷要求に係るデータがデータ蓄積端末１
６から取得され、出力手段１３により、取得されたデータが選択手段１２で選択された出
力端末１５に出力される。
一方、本発明に係るデータ出力制御システムは、図１に示すように、利用者が所持しデ
ータの出力要求を発する携帯可能な携帯端末２０と、前記携帯端末２０からのデータ出力
要求を受けてそのデータ出力要求に係るデータの出力制御を行うデータ出力制御装置１０
とを含んで構成されるシステムであって、前記データ出力制御装置１０は、前記携帯端末
２０と、各地に点在して設置されデータを出力する複数の出力端末１５と、データを蓄積
するデータ蓄積端末１６とにネットワークを介して通信可能に接続し、前記データ出力要
求に係るデータを前記データ蓄積端末１６から取得する取得手段１１と、前記複数の出力
端末１５のなかからいずれかを選択する選択手段１２と、前記取得手段１１で取得したデ
ータを前記選択手段１２で選択した出力端末１５に出力する出力手段１３とを備え、前記
携帯端末２０は、前記データ蓄積端末１６からデータを取得する端末側取得手段２１と、
前記端末側取得手段２１で取得したデータを表示する表示手段２２と、前記表示手段２２
で表示したデータの出力要求を入力するための入力手段２３と、前記入力手段２３で入力
したデータ出力要求を前記データ出力制御装置１０に発するデータ出力要求発信手段２４
とを備える。
このような構成であれば、前述した携帯端末２０と同様の作用が得られる。
さらに、本発明に係るデータ出力制御システムは、図１に示すように、データ出力制御
システムにおいて、前記携帯端末２０は、前記入力手段２３への入力を促すための入力項
目を前記端末側取得手段２１で取得したデータに付して前記表示手段２２に表示し、前記
データ出力要求発信手段２４は、前記入力手段２３による入力として前記入力項目が選択
されたときは、前記表示手段２２で表示したデータの出力要求を前記データ出力制御装置
１０に発するようになっている。
このような構成であれば、前述した携帯端末２０と同様の作用が得られる。
さらに、本発明に係るデータ出力制御システムは、図１に示すように、データ出力制御
システムにおいて、前記携帯端末２０は、前記入力手段２３への入力を促すための入力項
目を前記端末側取得手段２１で取得したデータとは別のメニュー項目として前記表示手段
２２に表示し、前記データ出力要求発信手段２４は、前記入力手段２３による入力として
前記入力項目が選択されたときは、前記表示手段２２で表示したデータの出力要求を前記
データ出力制御装置１０に発するようになっている。
このような構成であれば、前述した携帯端末２０と同様の作用が得られる。
さらに、本発明に係るデータ出力制御システムは、図１に示すように、データ出力制御
システムにおいて、前記携帯端末２０は、データ出力要求を入力するための入力ボタンを
前記入力手段２３として設けた。
このような構成であれば、前述した携帯端末２０と同様の作用が得られる。
さらに、本発明に係るデータ出力制御システムは、図１に示すように、利用者が所持し
データの出力要求を発する携帯可能な携帯端末２０と、前記携帯端末２０からのデータ出
力要求を受けてそのデータ出力要求に係るデータの出力制御を行うデータ出力制御装置１
０とを含んで構成されるシステムであって、前記データ出力制御装置１０は、前記携帯端
末２０と、各地に点在して設置されデータを出力する複数の出力端末１５とにネットワー
クを介して通信可能に接続し、前記複数の出力端末１５のなかからいずれかを選択する選
択手段１２と、前記データ出力要求に係るデータを前記選択手段１２で選択した出力端末
１５に出力する出力手段１３とを備え、前記携帯端末２０は、異なる通信方式により前記
データ出力制御装置１０と通信を行う複数の通信手段２５と、前記複数の通信手段２５の
うち前記データ出力制御装置１０と現在通信可能な通信手段２５を選択する通信路選択手
段２６と、前記通信路選択手段２６で選択した通信手段２５により前記データ出力要求を
前記データ出力制御装置１０に発するデータ出力要求発信手段２４とを備える。
このような構成であれば、前述した携帯端末２０と同様の作用が得られる。
さらに、本発明に係るデータ出力制御システムは、図１に示すように、データ出力制御
システムにおいて、前記通信路選択手段２６および前記データ出力要求発信手段２４は、
前記複数の通信手段２５のうちいずれかの通信手段２５により前記データ出力要求を前記
データ出力制御装置１０に発し、前記データ出力制御装置１０との通信に失敗したときは
、前記複数の通信手段２５のうち他の通信手段２５により前記データ出力要求を前記デー
タ出力制御装置１０に発するようになっている。
このような構成であれば、前述した携帯端末２０と同様の作用が得られる。
さらに、本発明に係るデータ出力制御システムは、図１に示すように、データ出力制御
システムにおいて、前記携帯端末２０は、長距離無線ＬＡＮ（Local-Area Network）およ
び短距離無線ＬＡＮの少なくとも一方を前記通信手段２５として有する。
このような構成であれば、前述した携帯端末２０と同様の作用が得られる。
さらに、本発明に係るデータ出力制御システムは、図１に示すように、利用者が所持し
データの出力要求を発する携帯可能な携帯端末２０と、前記携帯端末２０からのデータ出
力要求を受けてそのデータ出力要求に係るデータの出力制御を行うデータ出力制御装置１
０とを含んで構成されるシステムであって、前記データ出力制御装置１０は、前記携帯端
末２０と、各地に点在して設置されデータを出力する複数の出力端末１５と、データを蓄
積する複数のデータ蓄積端末１６とにネットワークを介して通信可能に接続し、前記デー
タ出力要求に含まれる前記データ蓄積端末１６でのデータの格納位置を特定するための出
力対象格納位置データにより特定されるデータ蓄積端末１６から当該データ出力要求に係
るデータを取得する取得手段１１と、前記複数の出力端末１５のなかからいずれかを選択
する選択手段１２と、前記取得手段１１で取得したデータを前記選択手段１２で選択した
出力端末１５に出力する出力手段１３とを備え、前記携帯端末２０は、前記データ蓄積端
末１６からデータを取得する端末側取得手段２１と、前記端末側取得手段２１で取得した
データを表示する表示手段２２と、前記端末側取得手段２１で取得したデータの前記デー
タ蓄積端末１６での格納位置を特定するための出力対象格納位置データのみを含むデータ
出力要求を前記データ出力制御装置１０に発するデータ出力要求発信手段２４とを備える
。
このような構成であれば、前述した携帯端末２０と同様の作用が得られる。
さらに、本発明に係るデータ出力制御システムは、図１に示すように、利用者が所持し
データの出力要求を発する携帯可能な携帯端末２０と、前記携帯端末２０からのデータ出
力要求を受けてそのデータ出力要求に係るデータの出力制御を行うデータ出力制御装置１
０とを含んで構成されるシステムであって、前記データ出力制御装置１０は、前記携帯端
末２０と、各地に点在して設置されデータを印刷する複数の出力端末１５とにネットワー
クを介して通信可能に接続し、前記複数の出力端末１５のなかからいずれかを選択する選
択手段１２と、前記データ印刷要求に係るデータが前記選択手段１２で選択した出力端末
１５で印刷されたときのイメージ画像である前記携帯端末２０で表示可能なイメージ画像
データを生成する画像データ生成手段１４と、前記データ印刷要求に係るデータを前記選
択手段１２で選択した出力端末１５に出力する出力手段１３とを備え、前記出力手段１３
は、前記画像データ生成手段１４で生成したイメージ画像データを前記携帯端末２０に出
力し、前記イメージ画像データの出力に対する応答として前記携帯端末２０からデータ印
刷実行要求を受けたときは、前記データ印刷要求に係るデータを前記選択手段１２で選択
した出力端末１５に出力するようになっており、前記携帯端末２０は、前記データ印刷要
求を前記データ出力制御装置１０に発するデータ出力要求発信手段２４と、前記データ出
力制御装置１０からのイメージ画像データを表示する表示手段２２と、前記表示手段２２
に表示されたイメージ画像データが複数のデータから構成されるときはそれらのうち印刷
を希望する部分の指定を入力するための入力手段２７と、前記データ印刷実行要求を前記
データ出力制御装置１０に発するデータ印刷実行要求発信手段２８とを備え、前記データ
印刷実行要求発信手段２８は、前記入力手段２７による入力があったときは、前記入力手
段２７で入力した指定部分を印刷する要求を含むデータ印刷実行要求を前記データ出力制
御装置１０に発するようになっている。
このような構成であれば、前述した携帯端末２０と同様の作用が得られる。
【発明を実施するための最良の形態】
【００１７】
以下、本発明の実施の形態を図面を参照しながら説明する。図２ないし図６は、本発明
に係る携帯端末およびデータ出力制御システムの実施の形態を示す図である。
この実施の形態は、本発明に係る携帯端末およびデータ出力制御システムを、図２に示
すように、利用者が所持する携帯電話等の携帯端末１００と、各地に点在する複数の店舗
Ｓ1〜Ｓnにそれぞれ設置された印刷装置ＰＲ1〜ＰＲnとにインターネット４００を介して
通信可能に接続するデータ出力制御端末３００により、サービス提供者が、利用者からの
データの印刷要求に応じて、そのデータ印刷要求に係るデータをＷＷＷ（World Wide Web
）サーバＤＳ1〜ＤＳmのうちいずれかから取得して印刷装置ＰＲ1〜ＰＲnのうちいずれか
に出力するというサービスを提供する場合について適用したものである。なお、発明の理
解を容易にするため、携帯端末１００を１台しか図示していないが、実際には、異なる複
数機種の携帯端末１００がインターネット４００に接続可能となっている。
【００１８】
まず、本発明に係る携帯端末およびデータ出力制御システムを適用するネットワークシ
ステムの構成を図２を参照しながら説明する。図２は、本発明に係る携帯端末およびデー
タ出力制御システムを適用するネットワークシステムの構成を示すブロック図である。
【００１９】
インターネット４００には、図２に示すように、携帯端末１００とインターネット４０
０との通信を中継する中継局２１０と、データを印刷する印刷装置ＰＲ1〜ＰＲnと、デー
タを蓄積するＷＷＷサーバＤＳ1〜ＤＳmと、データ印刷要求に係るデータをＷＷＷサーバ
ＤＳ1〜ＤＳmのうちいずれかから取得して印刷装置ＰＲ1〜ＰＲnのうちいずれかに出力す
るデータ出力制御端末３００と、データ出力制御端末３００が取得したデータを印刷装置
ＰＲ1〜ＰＲnで印刷可能なデータに変換するデータフォーマット変換用端末ＣＳ1〜ＣＳl
とが接続されている。
【００２０】
中継局２１０には、携帯端末１００と無線通信を行う複数の基地局２００が接続されて
おり、中継局２１０は、携帯端末１００がインターネット４００に接続するときは、携帯
端末１００に代わってインターネット４００上での一端末となって、基地局２００を介し
て受信した携帯端末１００からのデータをインターネット４００を介して目的の端末に送
信するとともに、インターネット４００上にある目的の端末のデータを基地局２００を介
して携帯端末１００に送信するようになっている。なお、携帯端末１００は、少なくとも
３つの基地局２００と同時に通信を行い、中継局２１０は、携帯端末１００からの電波が
それら基地局２００に到達するまでの時間のそれぞれの時間差を測定し、測定した時間差
に基づいて携帯端末１００の位置を測定するようになっている。
【００２１】
ＷＷＷサーバＤＳ1〜ＤＳmは、携帯端末１００で表示するための表示用データと、表示
用データに対応する印刷装置ＰＲ1〜ＰＲnで印刷するための印刷用データとを記憶する記
憶部と、中継局２１０やデータ出力制御端末３００等のインターネット４００に接続され
る端末からのリクエストに応じてその端末に記憶部のデータを送信するリクエスト処理部
とで構成されている。
【００２２】
リクエスト処理部は、図示しないＣＰＵが外部記憶装置等に格納されたプログラムを実
行することにより実現される機能であって、外部端末（携帯端末１００，データ出力制御
端末３００等）からのデータ送信リクエストがあったときは、記憶部の表示用データまた
は印刷用データを送信するようになっている。表示用データまたは印刷用データのどちら
を送信するかは、データ送信リクエストに含まれるＵＲＬにより判定する。なお、記憶部
には、印刷用データとして、テキストデータ、静止画像データ、サウンドデータ、ＭＰＥ
Ｇ等の動画データ、ＶＲＭＬ等の３Ｄ画像データ、またはＪＡＶＡ（登録商標）等のプロ
グラムデータ等の各種のファイルや、ＨＴＭＬ（Hyper Text Markup Language）ファイル
が格納されている。
【００２３】
データフォーマット変換用端末ＣＳ1〜ＣＳlは、データ出力制御端末３００が取得した
データを印刷装置ＰＲ1〜ＰＲnで印刷可能なデータに変換するデータフォーマット変換処
理を実行するための端末であって、インターネット４００の伝送負荷またはデータフォー
マット変換用端末ＣＳの処理負荷に応じて、データフォーマット変換用端末ＣＳ1〜ＣＳl
のうちいずれかまたは複数を選択し、選択したデータフォーマット変換用端末ＣＳでデー
タフォーマット変換処理を実行するようになっている。具体的には、インターネット４０
０の伝送負荷またはデータフォーマット変換用端末ＣＳの処理負荷が小さい順に、データ
フォーマット変換用端末ＣＳ1〜ＣＳlのうちデータフォーマット変換処理に必要ないずれ
かまたは複数を選択する。
【００２４】
データフォーマット変換処理が実行されるデータフォーマット変換用端末ＣＳは、デー
タ出力制御端末３００からデータフォーマット変換要求および変換対象となるデータを受
信し、データフォーマット変換処理により、データ出力制御端末３００が取得したデータ
のうち所定のフォーマットのデータを、印刷装置ＰＲ1〜ＰＲnのうち対応するもので印刷
可能なデータに変換し、変換したデータをデータ出力制御端末３００に送信する。
【００２５】
例えば、データフォーマット変換用端末ＣＳ1〜ＣＳ3でフォーマット変換処理が実行さ
れている場合において、データフォーマット変換用端末ＣＳ1は、データ出力制御端末３
００が取得したデータのうち所定のデータフォーマットＡ（例えば、ＨＴＭＬ形式）のデ
ータを、印刷装置ＰＲ1〜ＰＲ5で印刷可能なデータに変換し、データフォーマット変換用
端末ＣＳ2は、データ出力制御端末３００が取得したデータのうち所定のデータフォーマ
ットＢ（例えば、ＪＰＥＧ形式）のデータを、印刷装置ＰＲ6〜ＰＲ10で印刷可能なデー
タに変換し、データフォーマット変換用端末ＣＳ3は、データ出力制御端末３００が取得
したデータのうち所定のデータフォーマットＣ（例えば、ＷＯＲＤ（登録商標）文書形式
）のデータを、印刷装置ＰＲ11〜ＰＲ15で印刷可能なデータに変換するという具合である
。この場合、見かけ上、印刷装置ＰＲ1〜ＰＲ5は、所定のデータフォーマットＡのデータ
を専用に印刷する装置となり、印刷装置ＰＲ6〜ＰＲ10は、所定のデータフォーマットＢ
のデータを専用に印刷する装置となり、印刷装置ＰＲ11〜ＰＲ15は、所定のデータフォー
マットＣのデータを専用に印刷する装置となる。
【００２６】
また、データフォーマット変換処理が実行されるデータフォーマット変換用端末ＣＳは
、データ出力制御端末３００が取得したデータを変換するとともに、携帯端末１００の各
機種ごとに、その表示機能（表示可能行数、表示解像度等）に応じて、データ出力制御端
末３００が取得したデータが印刷装置ＰＲで印刷されたときのイメージ画像である携帯端
末１００で表示可能なプレビューデータを生成し、生成したプレビューデータをデータ出
力制御端末３００に送信するようになっている。
【００２７】
したがって、データ出力制御端末３００は、データ印刷要求に係るデータを印刷しよう
とする印刷装置ＰＲに対応しているデータフォーマット変換用端末ＣＳに対し、データフ
ォーマット変換要求およびＷＷＷサーバＤＳから取得したデータを送信し、その応答とし
て、印刷しようとする印刷装置ＰＲで印刷可能なデータおよびプレビューデータを受信す
る。
【００２８】
次に、携帯端末１００の構成を図３を参照しながら説明する。図３は、携帯端末１００
の構成を示すブロック図である。
【００２９】
携帯端末１００は、図３に示すように、制御プログラムに基づいて演算およびシステム
全体を制御するＣＰＵ３０と、所定領域にあらかじめＣＰＵ３０の制御プログラム等を格
納しているＲＯＭ３２と、ＲＯＭ３２等から読み出したデータやＣＰＵ３０の演算過程で
必要な演算結果を格納するためのＲＡＭ３４と、ＲＡＭ３４の特定領域に格納されている
データを画像信号に変換してＬＣＤ（Liquid Crystal Display）４４に出力するＬＣＤＣ
（Liquid Crystal Display Controller）３６と、外部装置に対してデータの入出力を媒
介するＩ／Ｆ３８とで構成されており、これらは、データを転送するための信号線である
バス３９で相互にかつデータ授受可能に接続されている。
【００３０】
Ｉ／Ｆ３８には、外部装置として、ヒューマンインターフェースとして複数のキーによ
りデータの入力が可能なキーパネル４０と、基地局２００と無線により通信を行う送受信
制御装置４２と、画像信号に基づいて画面を表示するＬＣＤ４４と、現在地点の位置を測
定する位置測定装置４６とが接続されている。
【００３１】
送受信制御装置４２は、異なる通信方式により基地局２００と通信を行う複数の通信装
置を有しており、複数の通信装置のうちいずれかの通信装置により基地局２００と通信を
行い、基地局２００との通信に失敗したときは、複数の通信装置のうち他の通信装置によ
り基地局２００と通信を行うようになっている。これら通信装置は、少なくとも長距離無
線ＬＡＮにより基地局２００と通信を行う長距離通信装置４２ａと、短距離無線ＬＡＮに
より基地局２００と通信を行う短距離通信装置４２ｂとを備える。なお、発明の理解を容
易にするため、基地局２００と通信を行う装置として、長距離通信装置４２ａおよび短距
離通信装置４２ｂしか図示していないが、これ以外にも、異なる通信方式により基地局２
００と通信を行うさらに複数の通信装置を接続してもよい。
【００３２】
ＲＯＭ３２には、ＣＰＵ３０の制御プログラムのほか、データ出力制御端末３００が提
供する印刷サービスを利用する正当な利用者であるか否かを認証するための認証データが
格納されている。
【００３３】
ＲＡＭ３４は、特定領域として、ＬＣＤ４４に表示するための表示用データを格納する
ＶＲＡＭ３５を有しており、ＶＲＡＭ３５は、ＣＰＵ３０とＬＣＤＣ３６とで独立にアク
セスが可能となっている。
【００３４】
ＬＣＤＣ３６は、ＶＲＡＭ３５に格納されている表示用データを先頭アドレスから所定
周期で順次読み出し、読み出した表示用データを画像信号に変換してＬＣＤ４４に出力す
るようになっている。
【００３５】
位置測定装置４６は、ＧＰＳ（Global Positioning System）等を利用するものであっ
て、現在の時刻を示す時刻信号を送信する周回衛星から時刻信号を受信し、それら時刻信
号により示される時刻のずれおよび各周回衛星の周回軌道に基づいて、現在地点の位置を
測定するようになっている。
【００３６】
ＣＰＵ３０は、マイクロプロセッシングユニットＭＰＵ等からなり、ＲＯＭ３２の所定
領域に格納されている所定のプログラムを起動させ、そのプログラムに従って、図４のフ
ローチャートに示すデータ印刷要求処理を実行するようになっている。図４は、データ印
刷要求処理を示すフローチャートである。
【００３７】
データ印刷要求処理は、データ出力制御端末３００に対して、データ印刷要求を発する
ことにより、利用者が指定するＷＷＷサーバＤＳのデータを印刷装置ＰＲ1〜ＰＲnのうち
いずれかで印刷する要求を行う処理であって、ＣＰＵ３０において実行されると、図４に
示すように、まず、ステップＳ９６に移行する。
【００３８】
ステップＳ９６では、利用者が指定するＷＷＷサーバＤＳにアクセスしてそのＷＷＷサ
ーバＤＳから表示用データを取得し、ステップＳ９８に移行して、取得した表示用データ
をＬＣＤ４４に表示するとともに、取得した表示用データに対応する印刷用データの印刷
要求を入力するためのデータ印刷要求項目を、その表示用データの末尾に付してＬＣＤ４
４に表示し、ステップＳ１００に移行する。
【００３９】
ステップＳ１００では、利用者によるキーパネル４０の入力によりデータ印刷要求項目
が選択されたか否かを判定し、データ印刷要求項目が選択されたと判定されたとき(Yes)
は、データ印刷要求を入力したとしてステップＳ１０２に移行して、位置測定装置４６に
より現在地点の位置を測定し、ステップＳ１０４に移行して、印刷に関する諸情報をキー
パネル４０から入力する。利用者は、この印刷に関する諸情報として、例えば、印刷対象
となる印刷用データが格納されているＷＷＷサーバＤＳのインターネット４００上での位
置を一意に特定するＵＲＬや、出力データの提供を希望する大まかな場所である提供希望
地域や、用紙サイズ、カラー／モノクロの別、印刷精度または印刷速度等の印刷装置ＰＲ
の印刷仕様や、印刷対象となる印刷用データのデータフォーマットや、印刷装置ＰＲを直
接指定する場合はその印刷装置ＰＲを識別するための印刷装置ＩＤを入力する。
これら入力項目は、いずれも必須項目ではなく、利用者の必要に応じて選択的に入力す
る。ただし、ＷＷＷサーバＤＳのＵＲＬは、特に指定がないときは、利用者が携帯端末１
００で現在閲覧しているＷＷＷサーバＤＳのＵＲＬが自動的に入力される。
【００４０】
次いで、ステップＳ１０６に移行して、入力された印刷に関する諸情報に基づいて、デ
ータ印刷要求に含めるデータを生成する。すなわち、データ印刷要求に含めるデータは、
ステップＳ１０２で測定した現在地点の位置を、その現在地点の位置を特定するための携
帯端末位置データとして、ＷＷＷサーバＤＳのＵＲＬを、そのＵＲＬを示す印刷対象格納
位置データとして、提供希望地域が入力されたときは、その提供希望地域を示す提供希望
地域データとして、印刷装置ＰＲの印刷仕様が入力されたときは、その印刷仕様を示す印
刷仕様データとして、データフォーマットが入力されたときは、そのデータフォーマット
を示す印刷フォーマットデータとして、印刷装置ＰＲの印刷装置ＩＤが入力されたときは
、その印刷装置ＩＤを示す印刷装置識別データとして、生成する。
【００４１】
次いで、ステップＳ１０８に移行して、送受信制御装置４２によりデータ印刷要求をデ
ータ出力制御端末３００に送信し、ステップＳ１１０に移行して、その応答として、利用
者が出力データの提供を受けるのに最適であると思われるいくつかの印刷装置ＰＲの候補
がリストアップされた印刷装置候補データをデータ出力制御端末３００から受信し、受信
した印刷装置候補データに基づいて、リストアップされた印刷装置ＰＲの候補をＬＣＤ４
４に表示し、ステップＳ１１２に移行する。
【００４２】
ステップＳ１１２では、ＬＣＤ４４に表示された印刷装置ＰＲの候補のなかに出力デー
タの提供を希望する印刷装置ＰＲがあるか否かを判定し、ＬＣＤ４４に表示された印刷装
置ＰＲの候補のなかからいずれかの選択をキーパネル４０から入力することにより、出力
データの提供を希望する印刷装置ＰＲがあると判定されたとき(Yes)は、ステップＳ１１
４に移行する。
【００４３】
ステップＳ１１４では、印刷装置ＰＲを決定したことを示す決定信号をデータ出力制御
端末３００に送信し、ステップＳ１１６に移行して、決定信号送信の第１の応答として、
決定した印刷装置ＰＲに関する詳細情報（印刷装置ＰＲの設置場所、印刷仕様等）である
印刷装置情報をデータ出力制御端末３００から受信し、受信した印刷装置情報に基づいて
、印刷装置ＰＲに関する詳細情報をＬＣＤ４４に表示し、ステップＳ１１８に移行する。
【００４４】
ステップＳ１１８では、決定信号送信の第２の応答として、携帯端末１００の位置から
、決定した印刷装置ＰＲが設置されている設置場所まで利用者を案内するための案内情報
（道順情報、地図情報等）を示す案内データをデータ出力制御端末３００から受信し、受
信した案内データに基づいて、案内情報をＬＣＤ４４に表示し、ステップＳ１２０に移行
して、決定信号送信の第３の応答として、プレビューデータをデータ出力制御端末３００
から受信し、受信したプレビューデータに基づいて、決定した印刷装置ＰＲで印刷された
ときのイメージ画像をＬＣＤ４４に表示し、ステップＳ１２２に移行する。
【００４５】
ステップＳ１２２では、印刷しようとする印刷用データが、ＬＣＤ４４に表示されたイ
メージ画像で間違いないか否かを判定し、ＬＣＤ４４に表示されたイメージ画像で間違い
ない旨の選択をキーパネル４０から入力することにより、ＬＣＤ４４に表示されたイメー
ジ画像で間違いないと判定されたとき(Yes)は、ステップＳ１２４に移行する。このとき
、プレビューデータが複数のデータから構成されるときは、それらのうち印刷を希望する
部分を特に指定することもできる。
【００４６】
ステップＳ１２４では、データ印刷実行要求をデータ出力制御端末３００に送信し、ス
テップＳ１２６に移行して、ＲＯＭ３２の認証データをデータ出力制御端末３００に送信
し、ステップＳ１２８に移行して、その応答として、データ出力制御端末３００からメッ
セージを受信し、受信したメッセージをＬＣＤ４４に表示し、ステップＳ１３０に移行し
て、データの印刷が終了したことを示す終了信号をデータ出力制御端末３００から受信し
たか否かを判定し、終了信号を受信したと判定されたとき(Yes)は、一連の処理を終了す
るが、そうでないと判定されたとき(No)は、終了信号を受信するまでステップＳ１２８を
繰り返す。
【００４７】
一方、ステップＳ１２２で、ＬＣＤ４４に表示されたイメージ画像が間違いである旨の
選択をキーパネル４０から入力することにより、ＬＣＤ４４に表示されたイメージ画像が
間違いであると判定されたとき(No)は、ステップＳ１３２に移行して、データの印刷を中
断する要求である中断信号をデータ出力制御端末３００に送信し、一連の処理を終了する
。
【００４８】
一方、ステップＳ１１２で、ＬＣＤ４４に表示された印刷装置ＰＲの候補のなかに希望
する印刷装置ＰＲがない旨の選択をキーパネル４０から入力することにより、出力データ
の提供を希望する印刷装置ＰＲがないと判定されたとき(No)は、ステップＳ１３４に移行
して、出力データの提供を受けるのに最適であると思われる印刷装置ＰＲを再検索する要
求であるリトライ信号をデータ出力制御端末３００に送信し、ステップＳ１０４に移行す
る。
【００４９】
一方、ステップＳ１００で、データ印刷要求項目が選択されないと判定されたとき(No)
は、データ印刷要求を入力しないとしてデータ印刷要求項目が選択されるまでステップＳ
１００で待機する。
【００５０】
次に、データ出力制御端末３００の構成を図５を参照しながら説明する。図５は、デー
タ出力制御端末３００の構成を示すブロック図である。
【００５１】
データ出力制御端末３００は、携帯端末１００からのデータ印刷要求に係るデータを取
得し、印刷装置ＰＲ1〜ＰＲnのうちデータを印刷すべきいずれかを選択し、取得したデー
タをその選択した印刷装置ＰＲに出力するようになっており、図５に示すように、制御プ
ログラムに基づいて演算およびシステム全体を制御するＣＰＵ５０と、所定領域にあらか
じめＣＰＵ５０の制御プログラム等を格納しているＲＯＭ５２と、ＲＯＭ５２等から読み
出したデータやＣＰＵ５０の演算過程で必要な演算結果を格納するためのＲＡＭ５４と、
ＲＡＭ５４の特定領域に格納されているデータを画像信号に変換して出力するＣＲＴＣ５
６と、外部装置に対してデータの入出力を媒介するＩ／Ｆ５８とで構成されており、これ
らは、データを転送するための信号線であるバス５９で相互にかつデータ授受可能に接続
されている。
【００５２】
Ｉ／Ｆ５８には、外部装置のヒューマンインターフェースとして、少なくてもデータの
入力が可能なキーボードやマウス等とを備える入力装置６０と、データやテーブル等をフ
ァイルとして格納する記憶装置６２と、画像信号に基づいて画面を表示する表示装置６４
と、インターネット４００に接続するための信号線とが接続されている。
【００５３】
ＲＡＭ５４は、特定領域として、表示装置６４に表示するための表示用データを格納す
るＶＲＡＭ５５を有しており、ＶＲＡＭ５５は、ＣＰＵ５０とＣＲＴＣ５６とで独立にア
クセスが可能となっている。
【００５４】
ＣＲＴＣ５６は、ＶＲＡＭ５５に格納されている表示用データを先頭アドレスから所定
周期で順次読み出し、読み出した表示用データを画像信号に変換して表示装置６４に出力
するようになっている。
【００５５】
記憶装置６２には、印刷装置ＰＲ1〜ＰＲnのうちデータを印刷すべきいずれかを選択す
るにあたって必要な印刷装置ＰＲに関する印刷装置情報が格納されている。印刷装置情報
は、各印刷装置ＰＲ1〜ＰＲnごとに、その印刷装置ＰＲの設置場所を特定するための印刷
装置位置データと、その印刷装置ＰＲに対応しているデータフォーマット変換用端末ＣＳ
が変換可能なデータフォーマット（すなわち、その印刷装置ＰＲが印刷可能なデータフォ
ーマット）を示す印刷フォーマットデータと、その印刷装置ＰＲの印刷仕様を示す印刷仕
様データと、その印刷装置ＩＤを示す印刷装置識別データとを登録して構成されている。
【００５６】
ＣＰＵ５０は、マイクロプロセッシングユニットＭＰＵ等からなり、ＲＯＭ５２の所定
領域に格納されている所定のプログラムを起動させ、そのプログラムに従って、図６のフ
ローチャートに示すデータ出力制御処理を実行するようになっている。図６は、データ出
力制御処理を示すフローチャートである。
【００５７】
データ出力制御処理は、携帯端末１００からのデータ印刷要求に係る印刷用データをＷ
ＷＷサーバＤＳから取得し、携帯端末１００の利用者が出力データの提供を受けるのに最
適であると思われるいずれかの印刷装置ＰＲを選択し、取得した印刷用データをその選択
した印刷装置ＰＲに出力するものであって、ＣＰＵ５０において実行されると、図６に示
すように、まず、ステップＳ２００に移行するようになっている。
【００５８】
ステップＳ２００では、データ印刷要求を携帯端末１００から受信したか否かを判定し
、データ印刷要求を受信したと判定されたとき(Yes)は、ステップＳ２０２に移行して、
受信したデータ印刷要求に含まれるデータ（少なくとも携帯端末位置データおよび印刷対
象格納位置データを含む。）を取得し、ステップＳ２０４に移行して、携帯端末１００の
利用者が出力データの提供を受けるのに最適であると思われるいずれかの印刷装置ＰＲを
選択する。
【００５９】
このステップＳ２０４では、具体的に、取得した携帯端末位置データをもとに記憶装置
６２の印刷装置位置データを検索して、携帯端末１００の位置を基準として距離的または
時間的に最も近くにあると思われるいくつかの印刷装置ＰＲを選択する。データ印刷要求
に提供希望地域データが含まれているときは、提供希望地域データをもとに記憶装置６２
の印刷装置位置データを検索して、提供希望地域データにより特定される地域にあるすべ
ての印刷装置ＰＲを選択する。データ印刷要求に印刷仕様データが含まれているときは、
取得した印刷仕様データをもとに記憶装置６２の印刷仕様データを検索して、その印刷仕
様データに該当するすべての印刷装置ＰＲを選択する。
【００６０】
また、データ印刷要求に印刷フォーマットデータが含まれているときは、取得した印刷
フォーマットデータをもとに記憶装置６２の印刷フォーマットデータを検索して、その印
刷フォーマットデータに該当するすべての印刷装置ＰＲを選択する。データ印刷要求に印
刷装置識別データが含まれているときは、取得した印刷装置識別データをもとに記憶装置
６２の印刷装置識別データを検索して、その印刷装置識別データと一致する印刷装置ＰＲ
を選択する。なお、データ印刷要求にこれらデータが複合的に含まれているときは、それ
ぞれのデータをもとに絞り込みを行う。ただし、提供希望地域データが含まれている場合
に、提供希望地域データにより特定される地域に携帯端末位置データにより特定される位
置が含まれていないときは、携帯端末位置データによる絞り込みは行わず、また、印刷装
置識別データが含まれているときは、他のデータによる絞り込みは行わない。
【００６１】
次いで、ステップＳ２０４では、ステップＳ２０２で選択した印刷装置ＰＲをリストア
ップした印刷装置候補データを生成し、生成した印刷装置候補データを携帯端末１００に
送信し、ステップＳ２０８に移行する。
【００６２】
ステップＳ２０８では、決定信号を携帯端末１００から受信したか否かを判定し、決定
信号を受信したと判定されたとき(Yes)は、ステップＳ２１０に移行して、取得した印刷
対象格納位置データのＵＲＬにより特定されるＷＷＷサーバＤＳから印刷用データを取得
し、ステップＳ２１１に移行して、取得した印刷用データを、その印刷用データを変換可
能でかつ決定した印刷装置ＰＲに対応しているデータフォーマット変換用端末ＣＳに送信
し、その応答として、決定した印刷装置ＰＲで印刷可能なデータおよびプレビューデータ
をそのデータフォーマット変換用端末ＣＳから取得し、ステップＳ２１２に移行する。
【００６３】
ステップＳ２１２では、決定した印刷装置ＰＲについての印刷装置情報を記憶装置６２
から読み出し、読み出した印刷装置情報を携帯端末１００に送信し、ステップＳ２１４に
移行して、決定した印刷装置ＰＲについての案内データを生成し、生成した案内データを
携帯端末１００に送信し、ステップＳ２１６に移行して、プレビューデータを携帯端末１
００に送信し、ステップＳ２１８に移行する。
【００６４】
ステップＳ２１８では、データ印刷実行要求を携帯端末１００から受信したか否かを判
定し、データ印刷要求を受信したと判定されたとき(Yes)は、ステップＳ２２０に移行し
て、認証データを携帯端末１００から受信し、ステップＳ２２２に移行して、受信した認
証データに基づいて、携帯端末１００の利用者がデータ出力制御端末３００が提供する印
刷サービスを利用する正当な利用者であるか否かを認証する認証処理を実行し、ステップ
Ｓ２２４に移行する。
【００６５】
ステップＳ２２４では、ステップＳ２２２の認証処理の結果、携帯端末１００の利用者
が正当な利用者であるか否かを判定し、正当な利用者であると判定されたとき(Yes)は、
ステップＳ２２６に移行して、決定した印刷装置ＰＲで印刷可能なデータをその印刷装置
ＰＲに送信し、ステップＳ２２８に移行して、データ出力制御端末３００が提供する印刷
サービスを携帯端末１００が利用した結果に応じて課金を行う課金処理を実行する。
【００６６】
このステップＳ２２８では、具体的に、携帯端末１００の通話料金（例えば、１分ごと
の通話料金）を算出するとともに、携帯端末１００による利用の結果として、例えば、取
得した印刷用データの容量、印刷装置ＰＲでの印刷枚数、印刷装置ＰＲの印刷仕様に対し
て印刷サービス提供の対価としてのサービス利用料金を定めた料金算出規定テーブルを参
照して、携帯端末１００による利用の結果に応じたサービス利用料金を算出し、算出した
サービス利用料金を通話料金に加算し、加算した合計金額を携帯端末１００の利用者への
請求金額として記憶する。
【００６７】
次いで、ステップＳ２３０に移行して、ステップＳ２２８の課金処理により算出された
サービス利用料金を示す課金メッセージを携帯端末１００に送信し、ステップＳ２３２に
移行して、データの印刷が終了した旨の終了メッセージを携帯端末１００に送信し、ステ
ップＳ２３４に移行して、終了信号を携帯端末１００に送信し、一連の処理を終了する。
【００６８】
一方、ステップＳ２２４で、携帯端末１００の利用者が正当な利用者でないと判定され
たとき(No)は、ステップＳ２３６に移行して、不正利用者である旨のメッセージを携帯端
末１００に送信し、一連の処理を終了する。
【００６９】
一方、ステップＳ２１８で、データ印刷実行要求を携帯端末１００から受信していない
と判定されたとき(No)は、ステップＳ２３８に移行して、中断信号を携帯端末１００から
受信したか否かを判定し、中断信号を受信したと判定されたとき(Yes)は、一連の処理を
終了するが、そうでないと判定されたとき(No)は、ステップＳ２１８に移行する。
【００７０】
一方、ステップＳ２０８で、決定信号を携帯端末１００から受信していないと判定され
たとき(No)は、ステップＳ２４０に移行して、リトライ信号を携帯端末１００から受信し
たか否かを判定し、リトライ信号を受信したと判定されたとき(Yes)は、ステップＳ２０
０に移行するが、そうでないと判定されたとき(No)は、ステップＳ２０８に移行する。
【００７１】
一方、ステップＳ２００で、データ印刷要求を携帯端末１００から受信していないと判
定されたとき(No)は、データ印刷要求を受信するまでステップＳ２００で待機する。
【００７２】
次に、上記実施の形態の動作を説明する。
【００７３】
まず、データ出力制御端末３００が提供する印刷サービスを利用する正当な利用者が、
自己が所持する携帯端末１００を操作し、例えば、ＷＷＷサーバＤＳ1にアクセスすると
、ステップＳ９６，Ｓ９８を経て、ＷＷＷサーバＤＳ1から表示用データが取得され、取
得された表示用データがＬＣＤ４４に表示されるとともに、データ印刷要求項目がその表
示用データの末尾に付されてＬＣＤ４４に表示される。このとき、利用者が、ＬＣＤ４４
に表示されたデータの詳細データを印刷しようとする場合を例にとって説明する。
【００７４】
利用者が目的のデータを印刷するためには、まず、キーパネル４０の入力によりＬＣＤ
４４に表示されたデータ印刷要求項目を選択する。
【００７５】
携帯端末１００では、データ印刷要求項目が選択されると、ステップＳ１００，Ｓ１０
２を経て、ＣＰＵ３０により、位置測定装置４６により現在地点の位置が測定され、印刷
に関する諸情報の入力要求がＬＣＤ４４に表示される。ここで、利用者は、印刷に関する
諸情報として閲覧しているＷＷＷサーバＤＳ1のＵＲＬを指定することにより入力すると
、ステップＳ１０４〜Ｓ１０８を経て、入力された印刷に関する諸情報に基づいて、携帯
端末位置データおよび印刷対象格納位置データがデータ印刷要求に含めるデータとして生
成され、データ印刷要求がデータ出力制御端末３００に送信される。データ印刷要求のデ
ータ出力制御端末３００への送信は、送受信制御装置４２により行われるが、具体的には
、送受信制御装置４２の複数の通信装置のうちいずれかの通信装置により基地局２００と
通信が行われる。通信状態の変化等何らかの原因によりこの通信装置での通信に失敗した
ときは、送受信制御装置４２の複数の通信装置のうち他の通信装置により基地局２００と
通信が行われる。このとき、長距離通信装置４２ａまたは短距離通信装置４２ｂが通信装
置として選択されたときは、長距離無線ＬＡＮまたは短距離無線ＬＡＮにより基地局２０
０と通信が行われる。
【００７６】
データ出力制御端末３００では、データ印刷要求を受信すると、ステップＳ２００〜Ｓ
２０４を経て、ＣＰＵ５０により、受信したデータ印刷要求に含まれるデータ（携帯端末
位置データおよび印刷対象格納位置データ）が取得され、取得された携帯端末位置データ
をもとに記憶装置６２の印刷装置位置データが検索されて、携帯端末１００の位置を基準
として距離的または時間的に最も近くにあると思われるいくつかの印刷装置ＰＲが選択さ
れる。このとき、印刷装置ＰＲ1〜ＰＲ5が選択されたとすると、ステップＳ２０６を経て
、印刷装置ＰＲ1〜ＰＲ5をリストアップした印刷装置候補データが生成され、生成された
印刷装置候補データが携帯端末１００に送信される。
【００７７】
携帯端末１００では、印刷装置候補データを受信すると、ステップＳ１１０を経て、受
信した印刷装置候補データに基づいて、リストアップされた印刷装置ＰＲ1〜ＰＲ5がＬＣ
Ｄ４４に表示される。ここで、利用者は、印刷装置ＰＲ1の選択をキーパネル４０から入
力すると、ステップＳ１１２，Ｓ１１４を経て、印刷装置ＰＲ1を決定したことを示す決
定信号がデータ出力制御端末３００に送信される。
【００７８】
データ出力制御端末３００では、決定信号を受信すると、ステップＳ２０８〜Ｓ２１１
を経て、取得された印刷対象格納位置データのＵＲＬにより特定されるＷＷＷサーバＤＳ
1から印刷用データが取得され、取得された印刷用データが、その印刷用データを変換可
能でかつ決定された印刷装置ＰＲ1に対応しているデータフォーマット変換用端末ＣＳ（
例えば、データフォーマット変換用端末ＣＳ1）に送信され、その応答として、決定され
た印刷装置ＰＲ1で印刷可能なデータおよびプレビューデータがデータフォーマット変換
用端末ＣＳ1から取得される。そして、ステップＳ２１２〜Ｓ２１６を経て、決定された
印刷装置ＰＲ1についての印刷装置情報が記憶装置６２から読み出され、読み出された印
刷装置情報が携帯端末１００に送信され、決定された印刷装置ＰＲ1についての案内デー
タが生成され、生成された案内データが携帯端末１００に送信され、プレビューデータが
携帯端末１００に送信される。
【００７９】
携帯端末１００では、印刷装置情報、案内データおよびプレビューデータを受信すると
、ステップＳ１１６〜Ｓ１２０を経て、受信した印刷装置情報に基づいて、印刷装置ＰＲ
に関する詳細情報がＬＣＤ４４に表示され、受信した案内データに基づいて、携帯端末１
００の位置から印刷装置ＰＲ1が設置されている設置場所までの案内情報がＬＣＤ４４に
表示され、受信したプレビューデータに基づいて、決定した印刷装置ＰＲ1で印刷された
ときのイメージ画像がＬＣＤ４４に表示される。ここで、利用者は、印刷しようとする印
刷用データが、ＬＣＤ４４に表示されたイメージ画像で間違いない旨の選択をキーパネル
４０から入力すると、ステップＳ１２２〜Ｓ１２６を経て、データ印刷実行要求およびＲ
ＯＭ３２の認証データがデータ出力制御端末３００に送信される。このとき、プレビュー
データが複数のデータから構成されるときは、利用者は、それらのうち印刷を希望する部
分を特に指定（トリミング）することもできる。トリミングを行った場合は、指定部分を
印刷する要求を含むデータ印刷実行要求がデータ出力制御端末３００に送信される。
【００８０】
データ出力制御端末３００では、データ印刷実行要求および認証データを受信すると、
ステップＳ２１８〜Ｓ２２２を経て、受信した認証データに基づいて認証処理が実行され
る。ここで、利用者は、データ出力制御端末３００が提供する印刷サービスを利用する正
当な利用者であるので、ステップＳ２２４〜Ｓ２３４を経て、決定された印刷装置ＰＲ1
で印刷可能なデータが印刷装置ＰＲ1に送信される。このとき、データ印刷実行要求に指
定部分を印刷する要求が含まれているときは、印刷装置ＰＲ1で印刷可能なデータのうち
その指定部分が印刷装置ＰＲ1に送信される。そして、課金処理が実行され、課金メッセ
ージ、終了メッセージおよび終了信号が携帯端末１００に送信される。
【００８１】
携帯端末１００では、課金メッセージ、終了メッセージおよび終了信号を受信すると、
ステップＳ１２８，Ｓ１３０を繰り返し経て、課金メッセージおよび終了メッセージがＬ
ＣＤ４４に表示される。一方、印刷装置ＰＲ1では、印刷装置ＰＲ1で印刷可能なデータを
受信すると、受信したデータに基づいて印刷が行われる。
【００８２】
利用者は、終了メッセージが表示された後、ＬＣＤ４４に表示された案内情報を見なが
ら印刷装置ＰＲ1が設置されている店舗Ｓ1までにおもむき、印刷装置ＰＲ1で印刷された
データを受け取る。この印刷サービス提供の対価としてのサービス利用料金は、携帯端末
１００の通話料金に合算されて請求される。
【００８３】
これに対し、サービス提供者は、印刷サービス提供の対価としてのサービス利用料金を
通話料金と合算して利用者に請求することにより、サービス提供の対価を得ることができ
る。
【００８４】
なお、利用者が、印刷に関する諸情報として、出力データの提供を希望する大まかな場
所である提供希望地域を入力した場合は、その提供希望地域を示す提供希望地域データが
データ出力制御端末３００に送信され、データ出力制御端末３００では、取得された提供
希望地域データをもとに記憶装置６２の印刷装置位置データが検索されて、提供希望地域
データにより特定される地域にあるすべての印刷装置ＰＲが選択される。
【００８５】
例えば、利用者が、提供希望地域として「渋谷」を入力した場合は、携帯端末１００で
は、渋谷周辺に設置されているすべての印刷装置ＰＲがＬＣＤ４４に表示される。
【００８６】
また、利用者が、印刷に関する諸情報として、印刷装置ＰＲの印刷仕様を入力した場合
は、その印刷仕様を示す印刷仕様データがデータ出力制御端末３００に送信され、データ
出力制御端末３００では、取得された印刷仕様データをもとに記憶装置６２の印刷仕様デ
ータが検索されて、その印刷仕様データに該当するすべての印刷装置ＰＲが選択される。
【００８７】
例えば、利用者が、印刷仕様として「カラー」を入力した場合は、携帯端末１００では
、データをカラーで印刷可能なすべての印刷装置ＰＲがＬＣＤ４４に表示される。
【００８８】
また、利用者が、印刷に関する諸情報として、データフォーマットを入力した場合は、
そのデータフォーマットを示す印刷フォーマットデータがデータ出力制御端末３００に送
信され、データ出力制御端末３００では、取得された印刷フォーマットデータをもとに記
憶装置６２の印刷フォーマットデータが検索されて、その印刷フォーマットデータに該当
するすべての印刷装置ＰＲが選択される。
【００８９】
例えば、利用者が、データフォーマットとして「ＨＴＭＬ形式」を入力した場合は、携
帯端末１００では、ＨＴＭＬ形式のデータを変換可能なデータフォーマット変換用端末Ｃ
Ｓが対応しているすべての印刷装置ＰＲがＬＣＤ４４に表示される。
【００９０】
また、利用者が、印刷装置ＰＲを直接指定するために、印刷に関する諸情報として、印
刷装置ＰＲの印刷装置ＩＤを入力した場合は、その印刷装置ＩＤを示す印刷装置識別デー
タがデータ出力制御端末３００に送信され、データ出力制御端末３００では、取得された
印刷装置識別データをもとに記憶装置６２の印刷装置識別データが検索されて、その印刷
装置識別データと一致する印刷装置ＰＲが選択される。
【００９１】
例えば、利用者が、印刷装置ＩＤとして「０００１」を入力した場合は、携帯端末１０
０では、印刷装置ＩＤが「０００１」である印刷装置ＰＲがＬＣＤ４４に表示される。こ
のとき、印刷装置ＩＤが「０００１」である印刷装置ＰＲが存在しない場合は、一切の印
刷装置ＰＲが表示されない。
【００９２】
また、利用者が、印刷に関する諸情報として、印刷希望地域、印刷仕様およびデータフ
ォーマットを複合的に入力した場合は、それらを示すデータがデータ出力制御端末３００
に送信され、データ出力制御端末３００では、取得された複数のデータをもとに絞り込み
が行われて、それらに該当するすべての印刷装置ＰＲが選択される。
【００９３】
例えば、利用者が、印刷希望地域、印刷仕様およびデータフォーマットとして、「渋谷
」、「カラー」および「ＨＴＭＬ形式」を入力した場合は、携帯端末１００では、ＨＴＭ
Ｌ形式のデータを変換可能なデータフォーマット変換用端末ＣＳが対応している印刷装置
ＰＲのうち、渋谷周辺に配置されしかもデータをカラーで印刷可能なすべての印刷装置Ｐ
ＲがＬＣＤ４４に表示される。
【００９４】
また、利用者が、データ出力制御端末３００が提供する印刷サービスを利用する正当な
利用者でない場合は、イメージ画像がＬＣＤ４４に表示されたときに、印刷しようとする
印刷用データが、ＬＣＤ４４に表示されたイメージ画像で間違いない旨の選択をキーパネ
ル４０から入力しても、印刷装置ＰＲ1によって目的のデータが印刷されることはない。
【００９５】
このようにして、本実施の形態では、携帯端末１００は、ＷＷＷサーバＤＳからデータ
を取得し、取得したデータをＬＣＤ４４に表示するとともにデータ印刷要求項目をその表
示用データの末尾に付してＬＣＤ４４に表示し、表示したデータ印刷要求項目が選択され
たときは、データ印刷要求をデータ出力制御端末３００に発するようにした。
【００９６】
これにより、ＬＣＤ４４に表示される表示用データの詳細情報が印刷装置ＰＲで印刷さ
れるので、従来に比して、利用者が携帯端末１００で閲覧しているインターネット４００
上の簡易情報に対応する詳細情報を手軽に入手することができ、特に、表示用データに付
されたデータ印刷要求項目を選択するだけでデータ印刷が行われるので、データ印刷を比
較的簡単に行うことができる。したがって、サービス提供者は、利用者に対して、高い満
足感が得られる情報サービスを提供することができる。
【００９７】
さらに、本実施の形態では、携帯端末１００は、異なる通信方式によりデータ出力制御
端末３００と通信を行う複数の通信装置を有する送受信制御装置４２を備え、複数の通信
装置のうちいずれかの通信装置によりデータ印刷要求をデータ出力制御端末３００に発し
、データ出力制御端末３００との通信に失敗したときは、複数の通信装置のうち他の通信
手段によりデータ印刷要求をデータ出力制御端末３００に発するようにした。
【００９８】
これにより、移動しながら通信を行う携帯端末１００のように通信状態が動的に変化す
る環境においても、基地局２００との通信を比較的確実に確立することができる。したが
って、サービス提供者は、利用者に対して、携帯端末１００の通信状態によらず、快適な
通信環境を提供することができる。
【００９９】
さらに、本実施の形態では、携帯端末１００は、長距離無線ＬＡＮおよび短距離無線Ｌ
ＡＮを通信装置として有する。
【０１００】
これにより、ネットワークケーブルを接続する作業をすることなく、データ印刷を比較
的簡単に行うことができる。したがって、サービス提供者は、利用者に対して、さらに高
い満足感が得られる情報サービスを提供することができる。
【０１０１】
さらに、本実施の形態では、携帯端末１００は、ＬＣＤ４４に表示されるイメージ画像
データが複数のデータから構成される場合に、それらのうち印刷を希望する部分の指定を
入力されたときは、指定部分を印刷する要求を含むデータ印刷実行要求をデータ出力制御
端末３００に発するようにした。
【０１０２】
これにより、利用者は、インターネット４００上の詳細情報のうち必要な情報だけを入
手することができる。したがって、サービス提供者は、利用者に対して、さらに高い満足
感が得られる情報サービスを提供することができる。
【０１０３】
さらに、本実施の形態では、データ出力制御端末３００は、複数の印刷装置ＰＲのなか
から、携帯端末１００の利用者が出力データの提供を受けるのに最適であると思われる印
刷装置ＰＲを選択するようにした。
【０１０４】
これにより、利用者が出力データの提供を受けやすくなり、インターネット４００上の
詳細情報をさらに手軽に入手することができる。したがって、サービス提供者は、利用者
に対して、さらに高い満足感が得られる情報サービスを提供することができる。
【０１０５】
さらに、本実施の形態では、データ出力制御端末３００は、データ印刷要求に含まれる
携帯端末位置データをもとに記憶装置６２の印刷装置位置データを検索して、携帯端末１
００の位置を基準として距離的または時間的に最も近くにあると思われる印刷装置ＰＲを
選択するようにした。
【０１０６】
これにより、携帯端末１００の位置を基準として距離的または時間的に最も近くにある
と思われる印刷装置ＰＲにおいてデータ印刷要求に係るデータが印刷されるので、利用者
が出力データの提供を一層受けやすくなり、インターネット４００上の詳細情報をさらに
手軽に入手することができる。したがって、サービス提供者は、利用者に対して、さらに
高い満足感が得られる情報サービスを提供することができる。
【０１０７】
さらに、本実施の形態では、データ出力制御端末３００は、データ印刷要求に含まれる
提供希望地域データをもとに記憶装置６２の印刷装置位置データを検索して、その提供希
望地域データにより特定される地域にある印刷装置ＰＲを選択するようにした。
【０１０８】
これにより、利用者が出力データの提供を希望する大まかな場所である提供希望地域に
ある印刷装置ＰＲにおいてデータ印刷要求に係るデータが印刷されるので、利用者の目的
に合った出力データの提供を受けられることとなり、インターネット４００上の詳細情報
をさらに手軽に入手することができる。したがって、サービス提供者は、利用者に対して
、さらに高い満足感が得られる情報サービスを提供することができる。
【０１０９】
さらに、本実施の形態では、データ出力制御端末３００は、データ印刷要求に含まれる
提供希望地域データにより特定される地域に携帯端末位置データにより特定される位置が
含まれていないときは、携帯端末位置データによる検索を行わないようにした。
【０１１０】
これにより、利用者が提供希望地域を入力した場合は、携帯端末位置データによる検索
よりも提供希望地域データによる検索が優先され、提供希望地域にある印刷装置ＰＲにお
いてデータ印刷要求に係るデータが印刷されるので、利用者の目的を優先した出力データ
の提供を受けられることとなり、インターネット４００上の詳細情報をさらに手軽に入手
することができる。したがって、サービス提供者は、利用者に対して、さらに高い満足感
が得られる情報サービスを提供することができる。
【０１１１】
さらに、本実施の形態では、データ出力制御端末３００は、データ印刷要求に含まれる
印刷フォーマットデータをもとに記憶装置６２の印刷フォーマットデータを検索して、そ
の印刷フォーマットデータに該当する印刷装置ＰＲを選択するようにした。
【０１１２】
これにより、利用者が指定したデータフォーマットで印刷可能な印刷装置ＰＲにおいて
データ印刷要求に係るデータが印刷されるので、利用者の目的に合った出力データの提供
を受けられることとなり、インターネット４００上の詳細情報をさらに手軽に入手するこ
とができる。したがって、サービス提供者は、利用者に対して、さらに高い満足感が得ら
れる情報サービスを提供することができる。
【０１１３】
さらに、本実施の形態では、データ出力制御端末３００は、データ印刷要求に含まれる
印刷仕様データをもとに記憶装置６２の印刷仕様データを検索して、その印刷仕様データ
に該当する印刷装置ＰＲを選択するようにした。
【０１１４】
これにより、利用者が指定した印刷仕様で印刷可能な印刷装置ＰＲにおいてデータ印刷
要求に係るデータが印刷されるので、利用者の目的に合った出力データの提供を受けられ
ることとなり、インターネット４００上の詳細情報をさらに手軽に入手することができる
。したがって、サービス提供者は、利用者に対して、さらに高い満足感が得られる情報サ
ービスを提供することができる。
【０１１５】
さらに、本実施の形態では、データ出力制御端末３００は、データ印刷要求に含まれる
印刷装置識別データのみをもとに記憶装置６２の印刷装置識別データを検索して、その印
刷装置識別データと一致する印刷装置ＰＲを選択するようにした。
【０１１６】
これにより、利用者が一意に指定した印刷装置ＰＲにおいてデータ印刷要求に係るデー
タが印刷されるので、利用者の目的に合った出力データの提供を受けられることとなり、
インターネット４００上の詳細情報をさらに手軽に入手することができる。したがって、
サービス提供者は、利用者に対して、さらに高い満足感が得られる情報サービスを提供す
ることができる。
【０１１７】
さらに、本実施の形態では、データ出力制御端末３００は、選択した印刷装置ＰＲに対
応する印刷装置情報を携帯端末１００に出力するようにした。
【０１１８】
これにより、利用者に対して、出力データの提供を行う印刷装置ＰＲに関する情報を通
知することにより、利用者が間違ってデータを印刷してしまうのを防止することができる
。したがって、サービス提供者は、利用者に対して、さらに高い満足感が得られる情報サ
ービスを提供することができる。
【０１１９】
さらに、本実施の形態では、データ出力制御端末３００は、データ印刷要求に係るデー
タをＷＷＷサーバＤＳから取得するようにした。
【０１２０】
これにより、詳細情報を印刷するにあたっては、データ出力制御端末３００により印刷
用データおよび印刷装置ＰＲで印刷可能なデータが処理されるので、携帯端末１００に対
するメモリの増設が不要でしかも携帯端末１００にかかる処理負荷が低減される。また、
携帯端末１００にデータを読み込む必要がないので、通信時間が低減され、出力データの
提供を受けるまでに要する時間が少なくなる。したがって、サービス提供者は、利用者に
対して、携帯端末１００の機能によらず、快適な印刷環境となる印刷サービスを提供する
ことができる。
【０１２１】
さらに、本実施の形態では、データ出力制御端末３００は、携帯端末１００の位置を特
定するための携帯端末位置データに基づいて、複数の印刷装置ＰＲのなかからいずれかを
選択するようにした。
【０１２２】
これにより、携帯端末１００の位置に関係のある印刷装置ＰＲによりデータが印刷され
るので、例えば、携帯端末１００の位置を基準として距離的または時間的に最も近くにあ
ると思われる印刷装置ＰＲを選択するようにすれば、利用者が出力データの提供を受けや
すくなり、インターネット４００上の詳細情報をさらに手軽に入手することができる。し
たがって、サービス提供者は、利用者に対して、さらに高い満足感が得られる情報サービ
スを提供することができる。
【０１２３】
さらに、本実施の形態では、データ出力制御端末３００は、データ印刷要求に含まれる
ＵＲＬにより特定されるＷＷＷサーバＤＳからデータを取得するようにした。
【０１２４】
これにより、インターネット４００に接続されるすべてのＷＷＷサーバＤＳにある詳細
情報を入手することができる。したがって、サービス提供者は、利用者に対して、さらに
高い満足感が得られる情報サービスを提供することができる。
【０１２５】
さらに、本実施の形態では、データ出力制御端末３００は、データ印刷要求に係るデー
タとして印刷用データをＷＷＷサーバＤＳから取得するようにした。
【０１２６】
これにより、携帯端末１００では大まかな情報が表示され、印刷装置ＰＲでは詳細な情
報が印刷されるので、携帯端末１００では、インターネット４００上の詳細情報を入手す
ることができる上に、なお快適な表示処理も実現することができる。したがって、サービ
ス提供者は、利用者に対して、さらに高い満足感が得られる情報サービスを提供すること
ができるとともに、さらに快適な印刷環境となる印刷サービスを提供することができる。
【０１２７】
さらに、本実施の形態では、データ出力制御端末３００は、データフォーマット変換用
端末ＣＳで生成したプレビューデータを携帯端末１００に送信し、プレビューデータの出
力に対する応答として携帯端末１００からデータ印刷実行要求を受けたときは、データ印
刷要求に係るデータを印刷装置ＰＲに出力するようにした。
【０１２８】
これにより、利用者に対して、出力データの提供に先立ってそのプレビューデータを通
知することにより、利用者が間違ってデータを印刷してしまうのを防止することができる
。したがって、サービス提供者は、利用者に対して、さらに高い満足感が得られる情報サ
ービスを提供することができる。
【０１２９】
さらに、本実施の形態では、データ出力制御端末３００は、データ出力制御端末３００
が提供する印刷サービスを携帯端末１００が利用した結果に応じて課金を行うようにした
。
【０１３０】
これにより、印刷サービス提供の対価としてのサービス利用料金を明確に算出すること
ができるとともに、印刷サービス提供を受けるごとに逐一サービス利用料金を計算しなく
てすむ。したがって、サービス提供者は、サービス提供料金精算のための事務手続きが容
易となり、さらには、利用者に対してサービス利用料金を明確に示せるので、さらに高い
満足感が得られる情報サービスを提供することができる。
【０１３１】
さらに、本実施の形態では、印刷サービス提供の対価としてのサービス利用料金を通話
料金と合算するようにした。
【０１３２】
これにより、利用者は、サービス利用料金の支払いが容易になるとともに、サービス提
供者は、サービス利用料金の回収が容易かつ確実になるとともにサービス利用料金精算の
ための事務手続きがさらに容易になる。
【０１３３】
さらに、本実施の形態では、データ出力制御端末３００は、データフォーマット変換用
端末ＣＳで変換したデータを印刷装置ＰＲに出力するようにした。
【０１３４】
これにより、印刷装置ＰＲが新たに増設されても、サービス提供者側でデータフォーマ
ット変換用端末ＣＳの設定を、その新たな印刷装置ＰＲについてのみ変更すればよく、利
用者側で何ら設定の変更をしなくても、その新たな印刷装置ＰＲを利用することができる
。したがって、サービス提供者は、印刷装置ＰＲの増設に伴う設定作業が容易になり、さ
らには、利用者に対して、さらに高い満足感が得られる情報サービスを提供することがで
きる。
【０１３５】
さらに、本実施の形態では、データ出力制御端末３００は、携帯端末１００の位置から
、決定した印刷装置ＰＲが設置されている設置場所まで利用者を案内するための案内情報
を示す案内データを携帯端末１００に送信するようにした。
【０１３６】
これにより、利用者は、案内情報に従って印刷装置ＰＲが設置されている設置場所まで
行くことができるので、出力データを比較的確実に入手することができる。したがって、
サービス提供者は、利用者に対して、さらに高い満足感が得られる情報サービスを提供す
ることができる。
【０１３７】
さらに、本実施の形態では、データフォーマット変換用端末ＣＳ1〜ＣＳlは、インター
ネット４００の伝送負荷またはデータフォーマット変換用端末ＣＳの処理負荷に応じて、
データフォーマット変換用端末ＣＳ1〜ＣＳlのうちいずれかまたは複数を選択し、選択し
たデータフォーマット変換用端末ＣＳでデータフォーマット変換処理を実行するようにし
た。
【０１３８】
これにより、インターネット４００の伝送負荷または処理負荷が小さいデータフォーマ
ット変換用端末ＣＳでデータフォーマット変換処理が実行されるので、インターネット４
００の伝送負荷またはデータフォーマット変換用端末ＣＳの処理負荷によらず、出力デー
タの提供を受けるまでに要する時間がおよそ一定となる。したがって、サービス提供者は
、利用者に対して、さらに快適な印刷環境となる印刷サービスを提供することができる。
【０１３９】
上記実施の形態において、データ出力制御端末３００は、データ出力制御装置に対応し
、印刷装置ＰＲは、出力端末に対応し、ＷＷＷサーバＤＳは、データ蓄積端末に対応し、
データフォーマット変換用端末ＣＳは、画像データ生成手段に対応している。
【０１４０】
また、上記実施の形態において、キーパネル４０は、入力手段に対応し、送受信制御装
置４２は、通信手段または通信路選択手段に対応し、ＬＣＤ４４は、表示手段に対応して
いる。
【０１４１】
また、上記実施の形態において、ステップＳ９６は、端末側取得手段に対応し、ステッ
プＳ１０８は、データ出力要求発信手段またはデータ印刷要求発信手段に対応し、ステッ
プＳ１２４は、データ印刷実行要求発信手段に対応している。
【０１４２】
また、上記実施の形態において、ステップＳ２０４は、選択手段に対応し、ステップＳ
２１０は、取得手段に対応し、ステップＳ２２６は、出力手段に対応している。
【０１４３】
なお、上記実施の形態においては、携帯端末１００は、ＷＷＷサーバＤＳから取得した
データをＬＣＤ４４に表示するとともにデータ印刷要求項目をその表示用データの末尾に
付してＬＣＤ４４に表示し、表示したデータ印刷要求項目が選択されたときは、データ印
刷要求をデータ出力制御端末３００に発するように構成したが、これに限らず、ＷＷＷサ
ーバＤＳから取得したデータをＬＣＤ４４に表示するとともにデータ印刷要求項目をその
表示用データとは別のメニュー項目としてＬＣＤ４４に表示し、表示したデータ印刷要求
項目が選択されたときは、データ印刷要求をデータ出力制御端末３００に発するように構
成してもよい。
【０１４４】
これにより、メニュー項目として表示されたデータ印刷要求項目を選択するだけでデー
タ印刷が行われるので、データ印刷を比較的簡単に行うことができる。
したがって、サービス提供者は、利用者に対して、高い満足感が得られる情報サービス
を提供することができる。
【０１４５】
また、上記実施の形態においては、携帯端末１００は、ＷＷＷサーバＤＳから取得した
データをＬＣＤ４４に表示するとともにデータ印刷要求項目をその表示用データの末尾に
付してＬＣＤ４４に表示し、表示したデータ印刷要求項目が選択されたときは、データ印
刷要求をデータ出力制御端末３００に発するように構成したが、これに限らず、データ印
刷要求を入力するための入力ボタンをキーパネル４０の一部として設け、入力ボタンが押
下されたときは、データ印刷要求をデータ出力制御端末３００に発するように構成しても
よい。
【０１４６】
これにより、入力ボタンを押下するだけでデータ印刷が行われるので、データ印刷を比
較的簡単に行うことができる。したがって、サービス提供者は、利用者に対して、高い満
足感が得られる情報サービスを提供することができる。
【０１４７】
また、上記実施の形態においては、データ印刷要求には、携帯端末位置データ、印刷対
象格納位置データ、提供希望地域データ、印刷仕様データ、印刷フォーマットデータおよ
び印刷装置識別データを含めるようにしたが、これに限らず、印刷対象格納位置データの
みを含めるようにしてもよい。
【０１４８】
これにより、単に、ＷＷＷサーバＤＳから取得したデータをＬＣＤ４４に表示するとい
う機能しか有していない携帯端末であっても、印刷サービスを利用することができる。し
たがって、サービス提供者は、利用者に対して、携帯端末の機能によらず、印刷サービス
を提供することができる。
【０１４９】
また、上記実施の形態においては、データ出力制御端末３００は、携帯端末１００で生
成した携帯端末位置データをもとに記憶装置６２の印刷装置位置データを検索するように
構成したが、これに限らず、携帯端末１００が接続する基地局２００からの携帯端末１０
０の位置に関する位置データに基づいて、携帯端末位置データを生成し、生成した携帯端
末位置データをもとに記憶装置６２の印刷装置位置データを検索するように構成してもよ
い。このような構成であっても、上記実施の形態と同等の効果が得られる。
【０１５０】
また、上記実施の形態においては、携帯端末１００は、位置測定装置４６により現在地
点の位置を測定し、測定した位置に基づいて携帯端末位置データを生成するように構成し
たが、これに限らず、携帯端末１００が接続する基地局２００からの携帯端末１００の位
置に関する位置データを取得し、取得した位置データに基づいて携帯端末位置データを生
成するように構成してもよい。このような構成であっても、上記実施の形態と同等の効果
が得られる。
【０１５１】
また、上記実施の形態においては、携帯端末１００の利用者が出力データの提供を受け
るのに最適であると思われる印刷装置ＰＲとして、携帯端末の位置を基準として距離的ま
たは時間的に最も近くにあると思われる印刷装置ＰＲ、提供希望地域データにより特定さ
れる地域にある印刷装置ＰＲ、印刷フォーマットデータに該当する印刷装置ＰＲ、印刷仕
様データに該当する印刷装置ＰＲ、および印刷装置識別データと一致する印刷装置ＰＲを
選択するように構成したが、これに限らず、さらに例えば、印刷装置ＰＲのデータ出力速
度を考慮して利用者が時間的に最も早く出力データの提供を受けることができると思われ
る印刷装置ＰＲ、または出力データの提供に対する対価が最も安い印刷装置ＰＲを選択す
るように構成してもよい。
【０１５２】
前者の構成であれば、利用者が時間的に最も早く出力データの提供を受けることができ
ると思われる印刷装置ＰＲにおいてデータ印刷要求に係るデータが印刷されるので、利用
者の目的に合った出力データの提供を受けられることとなり、インターネット４００上の
詳細情報をさらに手軽に入手することができる。したがって、サービス提供者は、利用者
に対して、さらに高い満足感が得られる情報サービスを提供することができる。
【０１５３】
後者の構成であれば、出力データの提供に対する対価が最も安い印刷装置ＰＲにおいて
データ印刷要求に係るデータが印刷されるので、利用者の目的に合った出力データの提供
を受けられることとなり、インターネット４００上の詳細情報をさらに手軽に入手するこ
とができる。したがって、サービス提供者は、利用者に対して、さらに高い満足感が得ら
れる情報サービスを提供することができる。
【０１５４】
また、上記実施の形態においては、データを印刷する印刷装置ＰＲ1〜ＰＲnを設け、携
帯端末１００からのデータ印刷要求に係るデータをいずれかの印刷装置ＰＲで印刷するよ
うに構成したが、これに限らず、例えば、データを表示しまたは音声等として出力する出
力装置を設け、携帯端末１００からのデータ出力要求に係るデータをいずれかの出力装置
で出力するように構成してもよい。
【０１５５】
また、上記実施の形態においては、データフォーマット変換用端末ＣＳでプレビューデ
ータを生成するように構成したが、これに限らず、データ出力制御端末３００でプレビュ
ーデータを生成するように構成してもよい。
【０１５６】
また、上記実施の形態においては、データフォーマット変換用端末ＣＳ1〜ＣＳlは、イ
ンターネット４００の伝送負荷またはデータフォーマット変換用端末ＣＳの処理負荷に応
じて、データフォーマット変換用端末ＣＳ1〜ＣＳlのうちいずれかまたは複数を選択し、
選択したデータフォーマット変換用端末ＣＳでデータフォーマット変換処理を実行するよ
うに構成したが、これに限らず、特定のデータフォーマット変換用端末でデータフォーマ
ット変換処理を実行するように構成してもよい。
【０１５７】
また、上記実施の形態において、図４および図６のフローチャートに示す処理を実行す
るにあたっては、特定のデータ出力制御端末３００で行うように構成したが、これに限ら
ず、データフォーマット変換用端末ＣＳ1〜ＣＳlにみるように、複数のデータ出力制御用
端末を設けておき、インターネット４００の伝送負荷またはデータ出力制御用端末の処理
負荷に応じて、複数のデータ出力制御用端末のうちいずれかを選択し、選択したデータ出
力制御用端末で行うように構成してもよい。
【０１５８】
このような構成であれば、インターネット４００の伝送負荷または処理負荷が小さいデ
ータ出力制御用端末で図４および図６のフローチャートに示す処理が実行されるので、イ
ンターネット４００の伝送負荷またはデータ出力制御端末の処理負荷によらず、出力デー
タの提供を受けるまでに要する時間がおよそ一定となる。したがって、サービス提供者は
、利用者に対して、さらに快適な印刷環境となる印刷サービスを提供することができる。
【０１５９】
また、上記実施の形態においては、本発明に係る携帯端末およびデータ出力制御システ
ムを、インターネット４００に適用した場合を説明したが、これに限らず、もちろんイン
ターネット４００以外のネットワークにも適用することができる。
【０１６０】
また、上記実施の形態においては、携帯端末１００と、データフォーマット変換用端末
ＣＳ1〜ＣＳlと、ＷＷＷサーバＤＳ1〜ＤＳmと、印刷装置ＰＲ1〜ＰＲnと、データ出力制
御端末３００とを同一のネットワークを介して接続したが、これに限らず、データ出力制
御端末３００と携帯端末１００、データ出力制御端末３００とデータフォーマット変換用
端末ＣＳ1〜ＣＳl、データ出力制御端末３００とＷＷＷサーバＤＳ1〜ＤＳm、およびデー
タ出力制御端末３００と印刷装置ＰＲ1〜ＰＲnをそれぞれ異なるネットワークを介して接
続してもよい。
【０１６１】
また、上記実施の形態において、図４および図６のフローチャートに示す処理を実行す
るにあたってはいずれも、ＲＯＭ３２，５２にあらかじめ格納されている制御プログラム
を実行する場合について説明したが、これに限らず、これらの手順を示したプログラムが
記憶された記憶媒体から、そのプログラムをＲＡＭ３４，５４に読み込んで実行するよう
にしてもよい。
【０１６２】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【０１６３】
また、上記実施の形態においては、本発明に係る携帯端末およびデータ出力制御システ
ムを、図２に示すように、データ出力制御端末３００により、サービス提供者が、利用者
からのデータの印刷要求に応じて、そのデータ印刷要求に係るデータをＷＷＷサーバＤＳ
1〜ＤＳmのうちいずれかから取得して印刷装置ＰＲ1〜ＰＲnのうちいずれかに出力すると
いうサービスを提供する場合について適用したが、これに限らず、本発明の主旨を逸脱し
ない範囲で他の場合にも適用可能である。
【図面の簡単な説明】
【０１６４】
【図１】本発明に係る携帯端末並びにデータ出力制御システムの構成を示す概念図。
【図２】本発明に係る携帯端末およびデータ出力制御システムを適用するネットワークシステムの構成を示すブロック図。
【図３】携帯端末１００の構成を示すブロック図。
【図４】データ印刷要求処理を示すフローチャート。
【図５】データ出力制御端末３００の構成を示すブロック図。
【図６】データ出力制御処理を示すフローチャート。
【符号の説明】
【０１６５】
１０…データ出力制御装置、１１…取得手段、１２…選択手段、１３…出力手段、１４
…画像データ生成手段、１５…出力端末、１６…データ蓄積端末、２０，１００…携帯端
末、２１…端末側取得手段、２２…表示手段、２３，２７…入力手段、２４…データ出力
要求発信手段、２５…通信手段、２６…通信路選択手段、２８…データ印刷実行要求発信
手段、３０，５０…ＣＰＵ、３２，５２…ＲＯＭ、３４，５４…ＲＡＭ、３５，５５…Ｖ
ＲＡＭ、３６…ＬＣＤＣ、３８，５８…Ｉ／Ｆ、３９，５９…バス、４０…キーパネル、
４２…送受信制御装置、４２ａ…長距離通信装置、４２ｂ…短距離通信装置、４４…ＬＣ
Ｄ、４６…位置測定装置、５６…ＣＲＴＣ、６０…入力装置、６２…記憶装置、６４…表
示装置、３００…データ出力制御端末、４００…インターネット、ＣＳ…データフォーマ
ット変換用端末、ＤＳ…ＷＷＷサーバ、ＰＲ，ＰＲ1〜ＰＲn…印刷装置。